(57)【要約】【課題】額縁の増加を抑制しながら、タッチ検出の特性が悪化するのを防ぐことが可能なタッチ検出機能付き液晶表示装置を提供する。【解決手段】液晶表示装置は、行列状に配置された液晶表示素子を有する液晶素子配列と、液晶素子配列の行に配置され、対応する行の液晶表示素子に走査信号を供給する走査線と、液晶素子配列の列に配置され、対応する列の液晶表示素子に、画像信号を供給する信号線と、液晶素子配列に配置され、外部近接物体を検出するための駆動信号が供給される複数の駆動電極と、第１電圧の第１電圧配線と、第２電圧の第２電圧配線と、第３電圧の第３電圧配線を備え、外部近接物体の検出期間に、複数の駆動電極のうち、選択される駆動電極は、第１電圧配線および第２電圧配線と交互に接続され、非選択とされる駆動電極は、第３電圧配線に接続される。【選択図】図８
2019075178.tif 000002
【特許請求の範囲】
【請求項１】
行列状に配置された複数の液晶表示素子を有する液晶素子配列と、
前記液晶素子配列の各行に配置され、対応する行に配置された複数の液晶表示素子に走査信号を供給する複数の走査線と、
前記液晶素子配列の各列に配置され、対応する列に配置された複数の液晶表示素子に、画像信号を供給する複数の信号線と、
前記液晶素子配列に配置され、外部近接物体を検出するための駆動信号が供給される複数の駆動電極と、
第１電圧を供給する第１電圧配線と、
前記第１電圧とは異なる第２電圧を供給する第２電圧配線と、
前記第１電圧配線および前記第２電圧配線とは異なる電圧配線であって、第３電圧を供給する第３電圧配線と、
を備え、
前記外部近接物体を検出する期間において、前記複数の駆動電極のうち、選択される駆動電極は、前記第１電圧配線および前記第２電圧配線と交互に電気的に接続されることにより、駆動信号が供給され、前記複数の駆動電極のうち非選択とされる駆動電極は、前記第３電圧配線と電気的に接続され、前記複数の駆動電極は第１方向に延在して配置され、前記第１電圧配線、前記第２電圧配線および前記第３電圧配線は、前記複数の駆動電極の端部と対向し前記第１方向と交差する第２方向に延在して配置される、液晶表示装置。
【請求項２】
前記第１方向は前記液晶素子配列の行方向であり、前記第２方向は前記液晶素子配列の列方向である、請求項１に記載の液晶表示装置。
【請求項３】
前記第１方向は前記液晶素子配列の列方向であり、前記第２方向は前記液晶素子配列の行方向である、請求項１に記載の液晶表示装置。
【請求項４】
前記第２電圧と前記第３電圧とは、同じ電圧値である、請求項１乃至３のいずれか１項に記載の液晶表示装置。
【請求項５】
前記液晶表示装置は、ローパスフィルタを備え、
前記第２電圧配線、前記第３電圧配線および前記ローパスフィルタは、前記液晶素子配列の外部において、互いに電気的に接続されている、請求項１乃至４のいずれか１項に記載の液晶表示装置。
【請求項６】
前記第３電圧配線の線幅は、前記第２電圧配線の線幅よりも細い、請求項１乃至５のいずれか１項に記載の液晶表示装置。
【請求項７】
前記液晶表示装置は、前記複数の駆動電極と、前記第１電圧配線と、前記第２電圧配線と、前記第３電圧配線とに接続された第１駆動回路を備え、
前記第１駆動回路は、前記外部近接物体を検出する期間において、非選択される駆動電極を、前記第３電圧配線に電気的に接続し、選択される駆動電極を、前記第３電圧配線の代わりに、前記第２電圧配線へ周期的に接続する、請求項１乃至６のいずれか１項に記載の液晶表示装置。
【請求項８】
前記第１駆動回路は、前記複数の駆動電極のそれぞれに対応した複数の判定回路を備え、前記複数の判定回路は、前記外部近接物体を検出する期間において、受信する選択信号に基づいて、対応する駆動電極が選択される駆動電極であるか否かを判定する、請求項１乃至７のいずれか１項に記載の液晶表示装置。
【請求項９】
前記複数の駆動電極は、前記複数の液晶表示素子の一方の電極とされ、前記画像信号に応じた表示を行う期間においては、前記第２電圧配線および前記第３電圧配線が、駆動電極に電気的に接続される、請求項１乃至８のいずれか１項に記載の液晶表示装置。
【請求項１０】
前記液晶表示装置は、前記外部近接物体を検出する期間において、前記駆動電極における電圧の変化を増幅する増幅部を備える、請求項１乃至９のいずれか１項に記載の液晶表示装置。
【請求項１１】
行列状に配置された複数の液晶表示素子を有する液晶素子配列と、
前記液晶素子配列の各行に配置され、対応する行に配置された複数の液晶表示素子に走査信号を供給する複数の走査線と、
前記液晶素子配列の各列に配置され、対応する列に配置された複数の液晶表示素子に、画像信号を供給する複数の信号線と、
前記液晶素子配列に配置され、外部近接物体を検出するための駆動信号が供給される複数の駆動電極と、
第１電圧を供給する第１電圧配線と、
前記第１電圧とは異なる第２電圧を供給する第２電圧配線と、
前記第１電圧配線および前記第２電圧配線とは異なる電圧配線であって、第３電圧を供給する第３電圧配線と、
前記液晶素子配列の外部において、前記第２電圧配線、前記第３電圧配線と互いに電気的に接続されたローパスフィルタ、とを備え、
前記外部近接物体を検出する期間において、前記複数の駆動電極のうち、選択される駆動電極は、前記第１電圧配線および前記第２電圧配線と交互に電気的に接続されることにより、駆動信号が供給され、前記複数の駆動電極のうち非選択とされる駆動電極は、前記第３電圧配線と電気的に接続されている、液晶表示装置。
【請求項１２】
行列状に配置された複数の液晶表示素子を有する液晶素子配列と、
前記液晶素子配列の各行に配置され、対応する行に配置された複数の液晶表示素子に走査信号を供給する複数の走査線と、
前記液晶素子配列の各列に配置され、対応する列に配置された複数の液晶表示素子に、画像信号を供給する複数の信号線と、
前記液晶素子配列に配置され、外部近接物体を検出するための駆動信号が供給される複数の駆動電極と、
第１電圧を供給する第１電圧配線と、
前記第１電圧とは異なる第２電圧を供給する第２電圧配線と、
前記第１電圧配線および前記第２電圧配線とは異なる電圧配線であって、第３電圧を供給する第３電圧配線、とを備え、
前記外部近接物体を検出する期間において、前記複数の駆動電極のうち、選択される駆動電極は、前記第１電圧配線および前記第２電圧配線と交互に電気的に接続されることにより、駆動信号が供給され、前記複数の駆動電極のうち非選択とされる駆動電極は、前記第３電圧配線と電気的に接続され、
前記第３電圧配線の線幅は、前記第２電圧配線の線幅よりも細い、液晶表示装置。
【発明の詳細な説明】
【技術分野】
【０００１】
本発明は、液晶表示装置に関し、特に外部近接物体を検出可能なタッチ検出機能付き液晶表示装置に関する。
【背景技術】
【０００２】
近年、いわゆるタッチパネルと呼ばれる、外部近接物体を検出可能なタッチ検出装置が注目されている。タッチパネルは、液晶表示装置等の表示装置上に装着または一体化される。このように、タッチパネルが表示装置上に装着または一体化された液晶表示装置、すなわちタッチ検出機能付き液晶表示装置は、表示装置に各種のボタン画像等を表示させ、外部物体がボタン画像に近接したことをタッチパネルで検出する。これにより、タッチパネルを通常の機械式ボタンの代わりとして、情報入力の手段として用いることを可能としている。このようなタッチ検出機能付きの液晶表示装置は、キーボードやマウスのような情報入力の手段を必ずしも必要としないため、コンピュータのほか、携帯電話のような携帯情報端末などでも、使用が拡大する傾向にある。
【０００３】
タッチ検出装置の検出方式としては、光学式、抵抗式、静電容量式などのいくつかの方式が存在する。このなかで、静電容量式のタッチ検出装置は、比較的単純な構造を有し、低消費電力であるため、携帯情報端末などに用いられている。特許文献１には、静電容量式のタッチ検出装置が記載されている。
【０００４】
また、液晶表示装置においては、ますます表示面の大型化、高精細化が求められており、これに合わせて、タッチパネルには大型化、高精密化が求められている。さらに、液晶表示装置の大型化を抑制しながら、表示面の大型化を図るために、狭額縁化が求められている。すなわち、液晶表示装置の表示面を囲む額縁を狭くすることが求められている。
【先行技術文献】
【特許文献】
【０００５】
【特許文献１】特開２０１２−２３０６５７号公報
【発明の概要】
【発明が解決しようとする課題】
【０００６】
静電容量式のタッチ検出装置においては、例えば、特許文献１に示されているように、駆動電極と検出電極とが交差する交差部分における容量の値が、指等の外部物体が近接（接触を含む）することにより変化することを利用して、外部物体の近接を検出している。すなわち、駆動電極に駆動信号を供給したとき、検出電極に生じる検出信号に基づいて、外部物体の近接を検出している。タッチ検出装置では、このような駆動電極と検出電極とが、それぞれ複数個設けられ、複数の駆動電極は、列方向に順次配置され、複数の検出電極は、複数の駆動電極と交差するように、行方向に順次配置される。
【０００７】
タッチパネルの大型化、高精密化を図るためには、駆動信号によって発生させる駆動電極の電圧変化の高速化を図ることが望ましい。一方、駆動信号を形成する回路は、額縁に相当する領域に形成される。額縁の増加を抑制しながら、駆動電極の電圧変化を高速化しようとすると、タッチ検出に関する特性の悪化が危惧される。
【０００８】
本発明の目的は、額縁の増加を抑制し、タッチ検出の特性を向上させることが可能なタッチ検出機能付き液晶表示装置を提供することにある。
【課題を解決するための手段】
【０００９】
本発明の一態様に係わる液晶表示装置は、行列状に配置された複数の液晶表示素子を有する液晶素子配列と、液晶素子配列の各行に配置され、対応する行に配置された複数の液晶表示素子に走査信号を供給する複数の走査線と、液晶素子配列の各列に配置され、対応する列に配置された複数の液晶表示素子に、画像信号を供給する複数の信号線と、液晶素子配列に配置され、外部近接物体を検出するための駆動信号が供給される複数の駆動電極と、第１電圧を供給する第１電圧配線と、第１電圧とは異なる第２電圧を供給する第２電圧配線と、第１電圧配線および前記第２電圧配線とは異なる電圧配線であって、第３電圧を供給する第３電圧配線と、を備え、外部近接物体を検出する期間において、複数の駆動電極のうち、選択される駆動電極は、第１電圧配線および第２電圧配線と交互に電気的に接続されることにより、駆動信号が供給され、複数の駆動電極のうち非選択とされる駆動電極は、第３電圧配線と電気的に接続される、ものである。
【００１０】
また、他の一態様に係わる液晶表示装置は、行列状に配置された複数の液晶表示素子を有する液晶素子配列と、液晶素子配列に配置され、外部近接物体を検出するための駆動信号が供給される複数の駆動電極と、外部近接物体を検出する期間において、電圧を供給する電圧配線と、複数の駆動電極のそれぞれに対応した複数の駆動信号を形成する駆動信号形成回路と、外部近接物体を検出する期間において、複数の駆動信号に基づいて、複数の駆動電極のうち、選択される駆動電極を判定し、選択される駆動電極と判定した駆動電極に、駆動信号形成回路により形成された駆動信号を供給し、非選択と判定した駆動電極を、電圧配線に電気的に接続する、判定回路と、を備えるものである。
【図面の簡単な説明】
【００１１】
【図１】実施の形態１に係わるタッチ検出機能付き液晶表示装置の構成を示すブロック図である。
【図２】（Ａ）〜（Ｃ）は、静電容量型タッチ検出（相互容量方式）の基本原理を説明するための説明図である。
【図３】（Ａ）および（Ｂ）は、実施の形態１に係わるタッチ検出機能付き液晶表示装置を実装したモジュールの概略を示す平面図および断面図である。
【図４】（Ａ）〜（Ｃ）は、実施の形態１に係わるタッチ検出機能付き液晶表示装置を実装したモジュールの概略を示す平面図および断面図である。
【図５】実施の形態１に係わるタッチ検出機能付き液晶表示装置を実装したモジュールの構成を示す平面図である。
【図６】実施の形態１に係わる液晶素子配列の構成を示す回路図である。
【図７】実施の形態１に係わるタッチ検出機能付き液晶表示装置の構成を示すブロック図である。
【図８】実施の形態１に係わる駆動電極ドライバの構成を示す回路図である。
【図９】（Ａ）〜（Ｇ）は、実施の形態１に係わる液晶表示装置の波形図である。
【図１０】実施の形態２に係わる液晶表示装置の構成を示す回路図である。
【図１１】（Ａ）〜（Ｃ）は、静電容量型タッチ検出（自己容量方式）の基本原理を説明するための説明図である。
【図１２】実施の形態３に係わるタッチ用半導体装置の構成を示すブロック図である。
【図１３】実施の形態３に係わる液晶表示装置の構成を示す回路図である。
【図１４】（Ａ）〜（Ｈ）は、実施の形態３に係わる液晶表示装置の波形図である。
【図１５】実施の形態４に係わる液晶表示装置の要部構成を示す回路図である。
【図１６】（Ａ）および（Ｂ）は、共通電極の配置を模式的に示す図である。
【図１７】（Ａ）および（Ｂ）は、共通電極の配置を模式的に示す図である。
【図１８】（Ａ）および（Ｂ）は、本発明者らの検討を説明するための説明図である。
【図１９】（Ａ）および（Ｂ）は、本発明者らの検討を説明するための説明図である。
【図２０】（Ａ）および（Ｂ）は、本発明者らの検討を説明するための説明図である。
【図２１】（Ａ）および（Ｂ）は、本発明者らの検討を説明するための説明図である。
【発明を実施するための形態】
【００１２】
以下、本発明の各実施の形態について、図面を参照しつつ説明する。なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１３】
また、本明細書と各図において、既出の図に関して前述したものと同様の要素には、同一の符号を付して、詳細な説明を適宜省略することがある。
【００１４】
図面を参照して、具体的に実施の形態を説明する前に、本発明に先立って、本発明者らが、検討した事項を説明する。静電容量型のタッチ検出方式としては、複数の方式が存在する。ここでは、タッチ検出方式として、あとで説明する実施の形態において採用されている相互容量方式を例にして、検討した事項の説明を行う。また、本明細書においては、タッチ検出装置が、表示装置と一体化されたインセルタイプのタッチ検出機能付き液晶表示装置に適用した例について説明する。ここで、インセルタイプのタッチ検出機能付き液晶表示装置とは、タッチ検出装置に含まれる駆動電極および検出電極の少なくとも一方が、表示装置の液晶を介して対向する一対の基板間に設けられたタッチ検出機能付き液晶表示装置を意味する。具体的には、タッチ検出装置に含まれる駆動電極が、液晶を駆動する駆動電極としても用いられている場合を説明する。駆動電極が、タッチ検出用の駆動電極および液晶表示用の駆動電極として、共用されることから、以下の説明においては、駆動電極を共通電極と称する場合もある。
【００１５】
＜静電容量型タッチ検出（相互容量方式）の基本原理＞
先ず、相互容量方式の基本原理を説明する。図２（Ａ）〜（Ｃ）は、実施の形態において採用されている静電容量方式のタッチ検出の基本原理を示す模式図である。図２（Ａ）において、ＴＬ（０）〜ＴＬ（ｐ）のそれぞれは、液晶パネルに設けられた共通電極であり、ＲＬ（０）〜ＲＬ（ｐ）のそれぞれは、タッチ検出パネル部に設けられた検出電極である。図２（Ａ）において、共通電極ＴＬ（０）〜ＴＬ（ｐ）のそれぞれは、列方向に延在し、行方向に平行して配置されている。また、検出電極ＲＬ（０）〜ＲＬ（ｐ）のそれぞれは、共通電極ＴＬ（０）〜ＴＬ（ｐ）と交差するように、行方向に延在し、列方向に平行して配置されている。検出電極ＲＬ（０）〜ＲＬ（ｐ）と共通電極ＴＬ（０）〜ＴＬ（ｐ）との間に隙間が生じるように、検出電極ＲＬ（０）〜Ｒ（ｐ）は、共通電極ＴＬ（０）〜ＴＬ（ｐ）の上方に形成されている。
【００１６】
図２（Ａ）において、１２−０〜１２−ｐのそれぞれは、単位駆動電極ドライバを模式的に示している。同図では、単位駆動電極ドライバ１２−０〜１２−ｐから、駆動信号Ｔｘ（０）〜Ｔｘ（ｐ）が出力されている。また、１３−０〜１３−ｐのそれぞれは、単位増幅部を模式的に示している。図２（Ａ）において、実線の○で囲んだパルス信号は、駆動信号Ｔｘ（ｉ）の波形を示している。外部物体として、同図では、指がＦＧとして示されている。
【００１７】
図２の例では、共通電極ＴＬ（２）に、単位駆動電極ドライバ１２−２から駆動信号Ｔｘ（２）として、パルス信号が供給されている。共通電極ＴＬ（２）にパルス信号である駆動信号Ｔｘ（２）を供給することにより、図２（Ｂ）に示すように、共通電極ＴＬ（２）と交差する検出電極ＲＬ（ｎ）との間で電界が発生する。このとき、指ＦＧが、液晶パネルの共通電極ＴＬ（２）に近接している位置をタッチしていると、指ＦＧと共通電極ＴＬ（２）との間でも電界が発生し、共通電極ＴＬ（２）と検出電極ＲＬ（ｎ）との間で発生している電界が減少する。これにより、共通電極ＴＬ（２）と検出電極ＲＬ（ｎ）との間の電荷量が減少する。その結果、図２（Ｃ）に示すように、駆動信号Ｔｘ（２）の供給に応答して生じる電荷量は、指ＦＧがタッチしているときは、タッチしていないときに比べてΔＱだけ減少する。電荷量の差は、電圧の差として検出信号Ｒｘ（ｎ）に表れ、単位増幅部１３−ｎに供給され、増幅される。
【００１８】
なお、図２（Ｃ）において、横軸は時間を示しており、縦軸は電荷量を示している。駆動信号Ｔｘ（２）の立ち上がりに応答して、電荷量は、増加（同図において、上側に増加）し、駆動信号Ｔｘ（２）の電圧の立ち下がりに応答して、電荷量は、増加（同図において、下側に増加）する。このとき、指ＦＧのタッチの有無によって、増加する電荷量が変わる。また、この図面では、電荷量が、上側に増加した後、下側へ増加する前に、リセットが行われており、同様に、電荷量が下側へ増加した後、上側へ増加する前に、電荷量のリセットが行われている。このようにして、リセットされた電荷量を基準として、上下に電荷量が変化する。
【００１９】
共通電極ＴＬ（０）〜ＴＬ（ｐ）に、駆動信号Ｔｘ（０）〜Ｔｘ（ｐ）を、順次、供給することにより、駆動信号Ｔｘ（ｉ）を供給した共通電極と交差する複数の検出電極ＲＬ（０）〜ＲＬ（ｐ）のそれぞれから、それぞれの交差部分に近接した位置に指ＦＧがタッチしているか否かに応じた電圧値を有する検出信号Ｒｘ（０）〜Ｒｘ（ｐ）が出力されることになる。電荷量に差ΔＱが生じている時刻において、検出信号Ｒｘ（０）〜Ｒｘ（ｐ）のそれぞれを、サンプリングし、アナログ／デジタル変換回路（以下、Ａ／Ｄ変換回路と称する）を用いて、デジタル信号へ変換する。Ａ／Ｄ変換回路によって変換されたデジタル信号を信号処理することにより、タッチされた位置の座標を抽出する。
【００２０】
＜本発明者らの検討事項＞
＜＜共通電極の配置、駆動方法＞＞
あとで説明するが、液晶パネルは、行列状に配置された複数の液晶表示素子と、液晶表示素子へ表示される画像信号を供給する複数の信号線とを備えている。この信号線と共通電極との配置方法により、２種類の配置方法が考えられる。すなわち、信号線と共通電極とが交差するように配置する方法（以下、横ＣＯＭ配置とも称する）と、信号線と共通電極とを平行して配置する方法（以下、縦ＣＯＭ配置と称する）とが考えられる。図１６は、横ＣＯＭ配置の例を模式的に示しており、図１７は、縦ＣＯＭ配置の例を模式的に示している。図１６および図１７を用いて、横ＣＯＭ配置および縦ＣＯＭ配置を説明すると、次のようになる。
【００２１】
図１６（Ａ）および（Ｂ）において、２は液晶パネルを示し、ＴＬ（０）〜ＴＬ（１１）は、共通電極を示し、ＲＬ（０）〜ＲＬ（３）は、検出電極を示している。同図では示していないが、信号線は、検出電極ＲＬ（０）〜ＲＬ（３）と平行するように配置されている。すなわち、信号線は、共通電極ＴＬ（０）〜ＴＬ（１１）と交差するように配置されている。また、図１６（Ａ）および（Ｂ）において、１３−０〜１３−３は、単位増幅部を示している。
【００２２】
図１７（Ａ）および（Ｂ）においても、２は液晶パネルを示しており、ＴＬ（０）〜ＴＬ（７）は、共通電極を示し、ＲＬ（０）〜ＲＬ（３）は、検出電極を示している。この場合、信号線（図示せず）は、共通電極ＴＬ（０）〜ＴＬ（７）と平行に配置されている。同図においても、１３−０〜１３−３は、単位増幅部を示している。
【００２３】
また、液晶パネルにおいては、表示を行う期間（以下、表示期間と称する）と、タッチあるいは外部近接物体を検出する期間（以下、タッチ検出期間と称する）とが、時間的に重ならないように制御される。共通電極に注目して述べると、共通電極には、表示期間においては、表示用の駆動信号が供給され、タッチ検出期間においては、タッチ検出用の駆動信号が供給されることになる。
【００２４】
タッチ検出期間においては、複数の共通電極から、タッチを検出する位置に配置された共通電極を選択し、選択された共通電極の電圧を、図２において説明したように、駆動信号に基づいて変化させる。タッチ検出期間において、駆動信号に基づいて、その電圧を変化させる共通電極を、本明細書では、選択共通電極とも称する。一方、タッチ検出期間において、タッチを検出しない位置に配置された共通電極は、非選択とされる。言い換えるならば、非選択の共通電極（以下、非選択共通電極とも称する）は、タッチ検出期間では、その電圧は変化しない。
【００２５】
タッチ検出期間において、選択共通電極の電圧を駆動信号に基づいて変化させる駆動方法としても、２種類の駆動方法が考えられる。すなわち、共通電極毎にスイッチを用意し、選択共通電極に設けられたスイッチを駆動信号によりスイッチ制御し、スイッチを介して、選択共通電極にハイレベルの電圧とロウレベルの電圧を選択的に供給する駆動方法（以下、ＤＣ駆動とも称する）と、駆動信号を選択共通電極に印加し、駆動信号の電圧によって選択共通電極を直接的に充放電することにより変化させる駆動方法（以下、ＡＣ駆動とも称する）とが考えられる。図１６（Ａ）および図１７（Ａ）には、ＤＣ駆動の例が示されており、図１６（Ｂ）および図１７（Ｂ）には、ＡＣ駆動の例が示されている。次に、ＤＣ駆動とＡＣ駆動について、図１６および図１７を用いて説明する。ＤＣ駆動の場合、駆動信号によって、スイッチを選択的にオン／オフすることにより、選択共通電極の電圧を変化させる。そのため、以下の説明においては、ＤＣ駆動において、スイッチをオン／オフさせる駆動信号は、選択信号とも称する。
【００２６】
図１６（Ａ）では、共通電極ＴＬ（１）が選択共通電極として指定され、残りの共通電極ＴＬ（０）、ＴＬ（２）〜ＴＬ（１１）が非選択共通電極として指定された状態が示されている。また、図１７（Ａ）では、共通電極ＴＬ（６）が選択共通電極として指定され、残りの共通電極ＴＬ（０）〜ＴＬ（５）、ＴＬ（７）が非選択共通電極として指定された状態が示されている。
【００２７】
図１６（Ａ）において、Ｌｎ−ＴＰＨは、ハイレベルの電圧ＴＰＨを供給する電圧配線を示しており、Ｌｎ−ＶＣＯＭＤＣ１およびＬｎ−ＶＣＯＭＤＣ２は、ロウレベルの電圧ＶＣＯＭＤＣを供給する電圧配線を示している。共通電極ＴＬ（０）〜ＴＬ（１１）のそれぞれに対応したスイッチＳＥが、電圧配線Ｌｎ−ＴＰＨとＬｎ−ＶＣＯＭＤＣ１との間に接続されている。図１６（Ａ）では、共通電極ＴＬ（０）〜ＴＬ（１１）のそれぞれに対応したスイッチＳＥのうち、共通電極ＴＬ（１）に対応するスイッチＳＥについてのみ、構成を明示し、共通電極ＴＬ（０）、ＴＬ（２）〜ＴＬ（１１）に対応するスイッチＳＥはその構成を省略して記載されている。明示したスイッチＳＥを例にして説明すると、スイッチＳＥは、スイッチＳ１１の一方の端子とスイッチＳＥ１２´の一方の端子が接続され、スイッチＳＥ１１の他端が電圧配線Ｌｎ−ＴＰＨに接続され、スイッチＳＥ１２´の他端が電圧配線Ｌｎ−ＶＣＯＭＤＣ１に接続されている。スイッチＳ１１とスイッチＳ１２´の接続部は対応する共通電極ＴＬ（１）に接続されている。スイッチＳＥ１１とＳＥ１２´は、駆動信号（選択信号）Ｔｘ（１）により、相補的にオン／オフするように制御される。これにより、選択共通電極ＴＬ（１）は、スイッチＳＥ１１またはＳＥ１２´を介して、電圧配線Ｌｎ−ＴＰＨまたは電圧配線Ｌｎ−ＶＣＯＭＤＣ１に接続されることになる。その結果として、駆動信号Ｔｘ（１）の電圧変化に従って、選択共通電極である共通電極ＴＬ（１）は、電圧配線Ｌｎ−ＴＰＨにおける電圧ＴＰＨまたは電圧配線Ｌｎ−ＶＣＯＭＤＣ１における電圧ＶＣＯＭＤＣによって充電または放電され、その電圧が変化する。
【００２８】
一方、タッチ検出期間において、非選択共通電極として指定される共通電極ＴＬ（０）、ＴＬ（２）〜ＴＬ（１１）のそれぞれについては、それぞれに対応するスイッチＳＥ１２がオン状態となるように制御される。このとき、共通電極ＴＬ（１）に対応するスイッチＳＥ１２はオフされている。これにより、非選択共通電極である共通電極ＴＬ（０）、ＴＬ（２）〜ＴＬ（１１）のそれぞれは、電圧配線ＶＣＯＭＤＣ２に接続される。
【００２９】
図１７（Ａ）に示した縦ＣＯＭ配列においても、図１６（Ａ）と同様に、選択共通電極である共通電極ＴＬ（６）は、対応するスイッチＳＥを介して、電圧配線Ｌｎ−ＴＰＨまたはＬｎ−ＶＣＯＭＤＣ１に接続され、電圧配線Ｌｎ−ＴＰＨまたはＬｎ−ＶＣＯＭＤＣ１から充電または放電される。また、非選択共通電極ＴＬ（０）〜ＴＬ（５）、ＴＬ（７）は、電圧配線Ｌｎ−ＶＣＯＭＤＣ２に接続される。
【００３０】
次に、ＡＣ駆動について、図１６（Ｂ）および図１７（Ｂ）を参照して説明する。ＡＣ駆動においては、駆動信号Ｔｘが、選択共通電極（図１６（Ｂ）では共通電極ＴＬ（１））に直接供給される。このとき、非選択共通電極である共通電極ＴＬ（０）、ＴＬ（２）〜ＴＬ（１１）は、スイッチＳＥ１３を介して電圧配線ＶＣＯＭに接続される。この場合、選択共通電極（共通電極ＴＬ（１））は、駆動信号Ｔｘにより充電または放電されることにより、その電圧が変化することになる。図１７（Ｂ）に示した縦ＣＯＭ配列においても同様である。
【００３１】
図１６（Ａ）および（Ｂ）には、駆動信号Ｔｘ（１）および駆動信号Ｔｘに基づいた選択共通電極における電圧の変化と、この選択共通電極における電圧変化によって生じる非選択共通電極における電圧の変化が、それぞれの共通電極に模式的に示されている。
【００３２】
各共通電極ＴＬ（０）〜ＴＬ（１１）またはＴＬ（０）〜ＴＬ（７）間には寄生容量が存在する。また、共通電極ＴＬ（０）〜ＴＬ（１１）またはＴＬ（０）〜ＴＬ（７）と、検出電極ＲＬ（０）〜ＲＬ（３）との間にも寄生容量が存在する。そのため、選択共通電極（共通電極ＴＬ（１）またはＴＬ（６））における電圧が、変化すると、この電圧変化が、寄生容量を介して、非選択共通電極に伝達され、非選択共通電極においても電圧が変化する。非選択共通電極は、スイッチＳＥ１２またはＳＥ１３を介して、電圧配線Ｌｎ−ＶＣＯＭＤＣ２またはＶＣＯＭに接続されているため、寄生容量により電圧が上昇または下降したあと、ロウレベルの電圧ＶＣＯＭＤＣへ向かって変化することになる。
【００３３】
＜＜共通電極および検出電極の立ち上がり時間および立ち下がり時間＞＞
本発明者らは、図１６に示した横ＣＯＭ配置の液晶パネルと図１７に示した縦ＣＯＭ配置の液晶パネルにおいて、共通電極の電圧を変化させてから、その共通電極の電圧が所定電圧になるまでの時間と、検出電極の電圧が所定の電圧になるまでの時間を調べた。ここでは、図１６（Ａ）および図１６（Ｂ）に示した横ＣＯＭ配置の液晶パネルでの結果を示す。図１８（Ａ）は、横ＣＯＭ配置の液晶パネルが実装されたモジュールの構成を示している。図１８（Ａ）において、３００は、ＴＦＴ基板であり、ＴＬ（０）〜ＴＬ（６）は、共通電極であり、ＲＬ（０）〜ＲＬ（ｐ）は、検出電極であり、１３−ｎは、検出電極ＲＬ（ｎ）に接続された単位増幅部を示している。
【００３４】
図１９（Ａ）および（Ｂ）は、図１８（Ａ）に示したモジュールにおいて、共通電極、例えば共通電極ＴＬ（０）を選択共通電極とし、その一端部（ｎａ）の電圧を、（１）ＤＣ駆動、（２）ＡＣ駆動、および（３）ＤＣ駆動＋非選択共通電極フローティングで変化させた場合の選択共通電極における電圧の変化の時間および検出電極における電圧の変化の時間を示す図である。ここで、（１）ＤＣ駆動は、図１６および図１７で説明したＤＣ駆動において、電圧配線Ｌｎ−ＶＣＯＭＤＣ１とＬｎ−ＶＣＯＭＤＣ２とが図示しない共通の配線Ｌｎ−ＶＣＯＭＤＣで構成されている。（２）ＡＣ駆動は、図１６および図１７で説明したＤＣ駆動およびＡＣ駆動である。また、（３）ＤＣ駆動＋非選択共通電極フローティングは、図１６（Ａ）および図１７（Ａ）で説明したＤＣ駆動において、電圧配線Ｌｎ−ＶＣＯＭＤＣ１とＬｎ−ＶＣＯＭＤＣ２とが図示しない共通のＤＣ配線Ｌｎ−ＶＣＯＭＤＣで構成されており、非選択共通電極（図１６（Ａ）では、共通電極ＴＬ（０）、ＴＬ（２）〜ＴＬ（１１））に対応したスイッチＳＥ１２をオフ状態にして電気的に絶縁（フローティング）しておくことを意味している。すなわち、非選択共通電極をフローティング状態で、選択共通電極を電圧配線Ｌｎ−ＴＰＨまたは電圧配線Ｌｎ−ＶＣＯＭＤＣに接続するようにした状態である。
【００３５】
図１９（Ａ）において、縦軸は、時間を示しており、横軸は、共通電極の駆動方法を示している。すなわち、横軸における（２）は、図１６（Ｂ）で説明したＡＣ駆動によって、駆動した場合を示し、（１）は、図１６（Ａ）で説明したＤＣ駆動によって、駆動した場合を示している。また、横軸における（３）は、非選択共通電極をフローティングにした状態で、選択共通電極をＤＣ駆動した場合を示している。（１）〜（３）の駆動方法により、選択共通電極（共通電極ＴＬ（０））の一端部（ｎａ）における電圧を立ち上げたときに、この一端部（ｎａ）から最も離れた他端部（ｎｂ）における電圧が所定の電圧値まで立ち上がる時間が、図１９（Ａ）では、時間Ｔｒで示されている。同様に、一端部（ｎａ）における電圧を立ち下げたときに、最も離れた他端部（ｎｂ）における電圧が所定の電圧値まで立ち下がる時間が、時間Ｔｆとして示されている。この図１９（Ａ）から、所定の電圧値までに変化する時間は、（３）ＤＣ駆動＋非選択共通電極フローティング、（１）ＤＣ駆動、（２）ＡＣ駆動の順に早くなることが判る。
【００３６】
図１９（Ｂ）も、縦軸および横軸は、図１９（Ａ）と同じである。ただし、図１９（Ｂ）においては、選択共通電極ＴＬ（０）の一端部（ｎａ）における電圧を、（１）〜（３）の駆動方法で変化させてから、検出電極において、選択共通電極ＴＬ（０）から最も離れた位置における電圧が所定の電圧値になるまでの時間を示している。図１８（Ａ）では、共通電極ＴＬ（０）が選択共通電極であるため、検出電極ＲＬ（ｎ）の端部に接続された単位増幅部１３−ｎの出力が所定の電圧に到達するまでの時間を測定している。図１９（Ｂ）においても、選択電極ＴＬ（０）の一端部（ｎａ）の電圧を立ち上げたときに、単位増幅部１３−ｎの出力が所定の電圧値に立ち上がるまでの時間が、Ｔｒとして示されており、一端部（ｎａ）の電圧を立ち下げたときに、単位増幅部１３−ｎの出力が所定の電圧値になるまでの時間をＴｆとして示している。
【００３７】
図１９（Ｂ）を見た場合、（１）ＤＣ駆動のとき、検出電極における電圧が所定値になるまでの時間は、（１）ＤＣ駆動の立ち上がりのときに、長くなっている。また、検出電極における電圧が所定の電圧値になるまでの時間は、（３）ＤＣ駆動＋非選択共通電極フローティング、（１）ＡＣ駆動の順に早くなることが判る。
【００３８】
図１８（Ｂ）は、図１８（Ａ）に示した共通電極ＴＬ（０）上に測定電極を配置して、その測定電極における電圧変化を示した図である。この場合、測定電極は、共通電極および検出電極とは電気的に分離されるようにし、所定のバイアス電圧が印加されている。図１８（Ｂ）には、共通電極ＴＬ（０）を選択共通電極として、上記した（１）〜（３）の駆動方法で、この共通電極ＴＬ（０）の電圧を変化させたときの、測定電極の電圧変化が示されている。図１８（Ｂ）において、縦軸は測定電極の電圧を示しており、横軸は時間を示している。同図において、（１）は、ＤＣ駆動によって共通電極ＴＬ（０）〜ＴＬ（６）を駆動したときの電圧変化を示しており、（２）は、ＡＣ駆動によって共通電極ＴＬ（０）〜ＴＬ（６）を駆動したときの電圧変化を示しており、（３）は、ＤＣ駆動＋非選択共通電極フローティングによって共通電極ＴＬ（０）〜ＴＬ（６）を駆動したときの電圧波形を示している。なお、測定電極には、所定のバイアス電圧が印加されているため、それぞれの電圧波形は、０Ｖを含めて上下に変化している。
【００３９】
図１８（Ｂ）においても、（１）ＤＣ駆動の場合、電圧波形の立ち上がりが遅くなって
いることが判る。
【００４０】
横ＣＯＭ配置の場合を説明したが、縦ＣＯＭ配置の場合も、同様な結果となった。
【００４１】
本発明者らは、（１）ＤＣ駆動において、図１９（Ｂ）に示したように、検出電極の電圧の立ち上がり時間が長くなることと、図１８（Ｂ）に示した（１）ＤＣ駆動時の電圧立ち上がりが遅くなる理由として、非選択共通電極と選択共通電極とが同じ電圧配線Ｌｎ−ＶＣＯＭＤＣに接続されることによるものと考えた。すなわち、図１６（Ａ）を例にして説明すると、（１）ＤＣ駆動において、図１６（Ａ）に示したスイッチＳＥ１１、ＳＥ１２、ＳＥ１２´は、例えば電界効果型トランジスタ（以下、ＭＯＳＦＥＴとも称する）により構成される。共通電極間には寄生容量が存在するため、選択共通電極の電圧を立ち上げると、寄生容量により非選択共通電極の電圧も上昇する。非選択共通電極における電圧の上昇を下げるように、非選択共通電極から電圧配線Ｌｎ−ＶＣＯＭＤＣに電流が流れるため、この電圧配線Ｌｎ−ＶＣＯＭＤＣの電圧が変動することになる。電圧配線Ｌｎ−ＶＣＯＭＤＣの電圧が変動することにより、スイッチＳＥ１１を構成するＭＯＳＦＥＴのゲート・ソース間の電位差が低下するため、このＭＯＳＦＥＴを流れるドレイン電流が減少し、選択共通電極の立ち上がりが遅くなるものと考えている。
【００４２】
また、（１）ＤＣ駆動においては、非選択共通電極に接続される電圧配線Ｌｎ−ＶＣＯＭＤＣと選択共通電極に接続される電圧配線Ｌｎ−ＶＣＯＭＤＣとが、同じ電圧配線であるため、タッチ検出期間においては、電圧配線Ｌｎ−ＶＣＯＭＤＣに、非選択共通電極の寄生容量も接続されることになる。そのため、スイッチＳＥを構成するスイッチＳＥ１２をオンさせ、選択共通電極である共通電極ＴＬ（１）の電圧をロウレベルの電圧ＶＣＯＭＤＣ側へ変化させる速度が遅くなる。言い換えるならば、スイッチＳＥ１２を介して、選択共通電極（ＴＬ（１））をロウレベルの電圧ＶＣＯＭＤＣへ充電するのに時間が掛かり、選択共通電極の電圧変化が遅くなる。
【００４３】
本発明者らは、さらに、タッチ検出期間において、非選択共通電極を、電圧配線Ｌｎ−ＶＣＯＭＤＣに接続した場合と、フローティング状態にした場合とでの相違を明らかにするために、検討を行った。
【００４４】
＜＜非選択共通電極のフローティングと固定の比較＞＞
図２０（Ａ）および図２１（Ａ）は、ＡＣ駆動によるタッチ検出期間において、非選択共通電極をフローティングにした場合と、ロウレベルの電圧ＶＣＯＭＤＣに固定した場合とを比較するために、検討した液晶パネル２の構成を模式的に示す図である。検討した液晶パネル２の構成は、図１６（Ｂ）に示した横ＣＯＭ配置の液晶パネル２に類似している。ここでは、検討を説明するために、横ＣＯＭ配置で、ＡＣ駆動を用いた場合を示すが、縦ＣＯＭであっても、ＤＣ駆動であっても同様である。図２０（Ａ）および２１（Ａ）においては、共通電極ＴＬ（１）が選択共通電極と指定され、共通電極ＴＬ（０）、ＴＬ（２）〜ＴＬ（１１）は非選択共通電極と指定されている。
【００４５】
図２０（Ａ）は、非選択共通電極がフローティング状態にされている場合を示している。すなわち、共通電極ＴＬ（０）、ＴＬ（２）〜ＴＬ（１１）のそれぞれに対応したスイッチＳＥ１３がオフ状態にされ、共通電極ＴＬ（１）に駆動信号Ｔｘが供給されている。共通電極ＴＬ（１）における電圧は、駆動信号Ｔｘの電圧が立ち上がることにより、立ち上がり、駆動信号Ｔｘの電圧が立ち下がることにより、立ち下がる。図２０（Ａ）では、共通電極ＴＬ（１）の部分に、共通電極ＴＬ（１）の電圧波形がＶｘ（１）として示されている。先に説明したように、寄生容量を介して共通電極ＴＬ（１）における電圧の変化が、他の共通電極ＴＬ（０）、ＴＬ（２）〜ＴＬ（１１）に伝達される。図２０（Ａ）では、それぞれの共通電極ＴＬ（０）、ＴＬ（２）〜ＴＬ（１１）に、それぞれにおける電圧変化が、電圧波形として示されている。
【００４６】
例示すれば、選択共通電極である共通電極ＴＬ（１）に隣接して配置された共通電極ＴＬ（０）およびＴＬ（２）の電圧波形が、Ｖｘ（０）およびＶｘ（２）として示されている。また、共通電極ＴＬ（１）から離れて配置された共通電極ＴＬ（１１）には、そこにおける電圧変化が電圧波形Ｖｘ（１１）として示されている。非選択電極である共通電極ＴＬ（０）、ＴＬ（２）〜ＴＬ（１１）は、フローティング状態であるため、電流を放電あるいは充電する経路を有していない。そのため、立ち上がった電圧あるいは立ち下がった電圧を、電圧波形Ｖｘ（０）、Ｖｘ（１）およびＶｘ（１１）に示すように、漏れ電流等によりゆっくりと低下あるいは上昇する。すなわち、非選択共通電極における電圧は、低下あるいは上昇したあとの戻りが遅くなる。
【００４７】
なお、選択共通電極から離れた非選択共通電極ほど、寄生容量を介して伝達される電圧変化は小さくなるため、図２０（Ａ）に示すように、電圧波形Ｖｘ（１１）のピークの電圧は、電圧波形Ｖｘ（０）およびＶｘ（２）よりも低くなっている。
【００４８】
図２０（Ｂ）は、時間に伴う検出信号Ｒｘ（２）の変化を示す図である。同図において、横軸は時間を示しており、縦軸は、検出信号Ｒｘ（２）の変化を電荷量（ｆＦ）として示している。図２０（Ａ）では、共通電極ＴＬ（１）の近傍が指によってタッチされ、共通電極ＴＬ（１）が、選択共通電極として指定されている場合が、示されているが、図２０（Ｂ）は、図２０（Ａ）になる前の状態を示している。すなわち、共通電極ＴＬ（０）が選択共通電極として指定され、駆動信号Ｔｘによって、共通電極ＴＬ（０）の電圧が、図２０（Ａ）の電圧波形Ｖｘ（１）と同様に変化した場合を示している。この場合においても、非選択共通電極ＴＬ（１）〜ＴＬ（１１）のそれぞれにおける電圧は、寄生容量を介して、選択共通電極ＴＬ（０）における電圧変化が伝達され、変化する。また、非選択共通電極ＴＬ（１）〜ＴＬ（１１）はフローティング状態であるため、先に述べたのと同様に、低下あるいは上昇したあとの戻りが遅い。
【００４９】
図２０（Ｂ）において、◇の点は、横軸に示した時間のときにおける、検出信号Ｒｘ（２）の値を電荷量で示している。時間の経過とともに、電荷量は減少しているが、非選択共通電極ＴＬ（１）〜ＴＬ（１１）のそれぞれの電圧の戻りが遅いため、電荷量の減少も緩やかに低下する。指がタッチされているか否かの判定は、例えば時間１．２〜２．０（ｕｓｅｃ）のときの電荷量により行う。例えば、この時間のときに、電荷量が所定の基準値を超えているか否かにより、タッチの有無を判定する。図２０（Ｂ）では、この時間のときには、まだ電荷量が多いため、タッチされているか否かの判定には不適切であり、誤検出をする可能性がある。そのため、例えば、判定する時間を遅くすることが必要とされる。これにより、次に共通電極ＴＬ（１）を選択共通電極として指定し、駆動信号を供給する時刻が遅くなり、検出が遅くなる。
【００５０】
図２１（Ａ）は、非選択共通電極を、タッチ検出期間において、固定の電圧にする場合を示している。すなわち、図２１（Ａ）に示されているように、非選択共通電極ＴＬ（１）〜ＴＬ（１１）のそれぞれは、スイッチＳＥ１３を介して電圧配線ＶＣＯＭに接続されている。
【００５１】
この場合には、非選択共通電極ＴＬ（１）〜ＴＬ（１１）に、寄生容量を介して、選択共通電極ＴＬ（１）における電圧変化が伝達されても、それぞれの非選択共通電極ＴＬ（１）〜ＴＬ（１１）は、スイッチＳＥ１３を介して放電される。そのため、非選択共通電極ＴＬ（１）〜ＴＬ（１１）のそれぞれにおける電圧は、早く元の電圧に戻る。その結果、図２１（Ｂ）に示すように、検出信号Ｒｘ（２）の電荷量は、早く減少する。これにより、誤検出の発生を防ぐことが可能となる。言い換えるならば、次の共通電極を選択する時刻を早くすることが可能となる。
【００５２】
また、上記した（２）ＡＣ駆動では、選択共通電極を直接駆動信号によって充放電することになるため、（１）ＤＣ駆動および／または（３）ＤＣ駆動＋非選択共通電極フローティングに比べて、駆動信号の駆動能力を高めることが要求される。駆動能力を高めた駆動信号を伝達する信号配線を、液晶パネル２の周辺に延在させることにより、寄生容量を介して、検出電極および／または共通電極に、駆動信号が漏れ、誤検出が危惧される。また、図１９において示したように、（２）ＡＣ駆動では、選択共通電極および検出電極における電圧が所定の電圧値になるまでの時間も長い。
【００５３】
以上述べたように、本発明者らの検討によれば、（１）ＤＣ駆動（配線Ｌｎ−ＶＣＯＭＤＣが共通）、（２）ＡＣ駆動および（３）ＤＣ駆動＋非選択共通電極フローティング（配線Ｌｎ−ＶＣＯＭＤＣが共通）のそれぞれに問題点が存在することが判明した。すなわち、（１）ＤＣ駆動（配線Ｌｎ−ＶＣＯＭＤＣが共通）においては、図１８（Ｂ）および図１９（Ｂ）に示すように、選択共通電極および検出電極の電圧の立ち上がりが遅くなる。また、図１８および図１９に関連して述べたように、選択共通電極の電圧の立ち下がりも遅くなる。（２）ＡＣ駆動においては、誤検出が危惧される。さらに、（３）ＤＣ駆動＋非選択共通電極フローティング（配線Ｌｎ−ＶＣＯＭＤＣが共通）では、図２０で述べたように、誤検出あるいは検出が遅くなる可能性がある。
【００５４】
本発明者らは、これら３種類の駆動方法とは異なる駆動方法を用いた液晶表示装置を発案した。以下、複数の実施の形態について説明する。以下に説明する複数の実施の形態においても、タッチ検出装置が、表示装置と一体化されたインセルタイプのタッチ検出機能付き液晶表示装置を例として、説明する。具体的には、タッチ検出装置に含まれる駆動電極と、液晶表示素子を駆動する駆動電極とが、同じ駆動電極（共通電極）である。
【００５５】
（実施の形態１）
＜全体構成＞
先ず、タッチ検出機能付き液晶表示装置１の全体構成を、図１を用いて説明する。図１は、タッチ検出機能付き液晶表示装置１の構成を示すブロック図である。タッチ検出機能付き液晶表示装置１は、液晶パネル（表示パネル）２、表示制御装置５、信号線セレクタ６、タッチ制御装置７およびゲートドライバ８を具備している。図１では、図面を見易くするために、液晶パネル２は、模式的に描かれており、液晶パネル部（表示パネル部）３とタッチ検出パネル部４を具備している。液晶パネル２の構成については、後で図３および図４を用いて説明する。
【００５６】
これら液晶パネル部３とタッチ検出部４は、駆動電極を共用している。液晶パネル部３には、ゲートドライバ８から走査信号Ｖｓ０〜Ｖｓｐが供給され、さらに信号線セレクタ６を介して表示制御装置５から画像信号ＳＬｄ（０）〜ＳＬｄ（ｐ）が供給され、画像信号ＳＬｄ（０）〜ＳＬｄ（ｐ）に従った画像を表示する。タッチ検出部４は、表示制御装置５から駆動信号Ｔｘ（０）〜Ｔｘ（ｐ）が供給され、検出信号Ｒｘ（０）〜Ｒｘ（ｐ）をタッチ制御装置７に出力する。
【００５７】
表示制御装置５は、制御部９および駆動回路１０を有しており、駆動回路１０は、画像信号を形成し、出力する信号線ドライバ１１と駆動信号Ｔｘ（０）〜Ｔｘ（ｐ）を出力する駆動電極ドライバ１２とを有している。制御部９は、制御端子Ｔｔに供給されるタイミング信号および制御信号と、画像端子Ｔｄに供給される画像信号とを受け、画像端子Ｔｄに供給された画像信号に応じた画像信号Ｓｎを信号線ドライバ１１に供給する。信号線ドライバ１１は、制御部９から供給された画像信号Ｓｎを、特に制限されないが、時間的に多重化して、信号線セレクタ６へ出力する。すなわち、信号線ドライバ１１の１個の出力端子を見た場合、２つの画像信号が、時間的にずらしながら、１個の端子から出力される。
【００５８】
また、制御部９は、時間的に多重化された画像信号を、信号線セレクタ６において、互いに異なる信号線へ振り分けるための選択信号ＳＥＬ１、ＳＥＬ２を信号線セレクタ６に供給する。信号線セレクタ６は、多重化して供給された画像信号を、選択信号ＳＥＬ１、ＳＥＬ２によって互いに異なる信号線へ振り分け、画像信号ＳＬｄ（０）〜ＳＬｄ（ｐ）として、液晶パネル部３に供給する。信号線セレクタ６は、液晶パネル部３の近傍に配置されている。このように、画像信号を時間的に多重化することにより、表示制御装置５と液晶パネル部３とを電気的に接続する配線の数を低減することが可能となる。言い換えるならば、表示制御装置５と液晶パネル部３との間を接続する配線の線幅を広くし、画像信号の遅延を低減することが可能となる。
【００５９】
制御部９は、制御端子Ｔｔに供給されるタイミング信号および制御信号に基づいて、ゲートドライバ８にタイミング信号を供給する。ゲートドライバ８は、供給されたタイミング信号に基づいて、走査信号Ｖｓ０〜Ｖｓｐを発生し、液晶パネル部３に供給する。ゲートドライバ８によって発生される走査信号Ｖｓ０〜Ｖｓｐは、例えば走査信号Ｖｓ０からＶｓｐに向かって順次ハイレベルとなるようなパルス信号である。
【００６０】
駆動回路１０内の駆動電極ドライバ１２は、タッチ制御装置７から供給される選択信号ＴＰ（０）〜ＴＰ（ｐ）を受信し、液晶パネル２に含まれている複数の共通電極ＴＬ（０）〜ＴＬ（ｐ）に、駆動信号Ｔｘ（０）〜Ｔｘ（ｐ）として供給する。特に制限されないが、この実施の形態１においては、駆動信号Ｔｘ（０）〜Ｔｘ（ｐ）と選択信号ＴＰ（０）〜ＴＰ（ｐ）とは、１対１に対応している。また、複数の共通電極ＴＬ（０）〜ＴＬ（ｐ）のうち選択共通電極とする共通電極（例えば、共通電極ＴＬ（ｉ））に供給される駆動信号Ｔｘ（ｉ）は、その電圧が周期的に変化するように、その駆動信号Ｔｘ（ｉ）に対応した選択信号ＴＰ（ｉ）は、クロック信号とされる。言い換えるならば、選択信号ＴＰ（０）〜ＴＰ（ｐ）のうち、所望の選択信号（ＴＰ（ｉ））をクロック信号とすることにより、所望の共通電極ＴＬ（ｉ）を選択共通電極とすることが可能となり、任意の位置でのタッチが検出可能となる。
【００６１】
しかしながら、タッチ制御装置７において、選択信号ＴＰ（０）〜ＴＰ（ｐ）を形成することには限定されない。例えば、タッチ制御装置７において、共通のクロック信号と、共通電極ＴＬ（０）〜ＴＬ（ｐ）から所望の共通電極を特定する特定信号とを生成するようにしてもよい。この場合には、例えば駆動電極ドライバ１２において、特定信号に基づいて選択共通電極を求め、求めた選択共通電極の電圧を、共通のクロック信号に同期して変化させるようにしてもよい。
【００６２】
この実施の形態１に係わるタッチ検出機能付き液晶表示装置１はインセルタイプであり、駆動電極ＴＬ（ｉ）がタッチ検出の駆動と液晶の駆動とに兼用されている。すなわち、駆動電極ＴＬ（ｉ）は、画像表示のときには、液晶を駆動するための電界を、後で述べる画素電極との間で形成するように機能し、タッチ検出のときには、タッチ検出用の駆動信号を伝達するように機能する。液晶パネル部３における液晶の画像表示とタッチ検出パネル部４におけるタッチ検出とは、時間的に重ならないように、時分割で行われる。すなわち、画像を表示する表示期間と、タッチ検出を行うタッチ検出期間である。
【００６３】
画像表示を行う表示期間において、駆動電極ドライバ１２は、液晶を駆動するための駆動信号Ｔｘ（ｉ）を液晶パネル２内の共通電極ＴＬ（ｉ）に供給し、タッチ検出を行う検出期間においては、タッチ検出のための駆動信号Ｔｘ（ｉ）を、液晶パネル２内の共通電極ＴＬ（ｉ）に供給する。勿論、駆動回路１０に、タッチ検出のための駆動電極ドライバと液晶を駆動するための駆動電極ドライバとを、別々に設けるようにしてもよい。また、制御部９は、表示期間とタッチ検出期間とを識別するタッチ−表示同期信号ＴＳＨＤを出力する。
【００６４】
タッチ制御装置７は、タッチ検出パネル部４からの検出信号Ｒｘ（０）〜Ｒｘ（ｐ）を処理する検出信号処理部ＴＳと、駆動電極ドライバ１２へ供給される選択信号ＴＰ（０）〜ＴＰ（ｐ）および複数の制御信号ｃｔｒｓｉｇを形成する駆動信号形成部１７と、検出信号処理部ＴＳおよび駆動信号形成部１７を制御する制御部１８とを具備している。ここで、検出信号処理部ＴＳは、タッチ検出パネル部４がタッチされたか否かを検出し、タッチされていた場合、タッチされた位置の座標を求める処理を行う。また、駆動信号形成部１７は、タッチ検出パネル部４において、タッチを検出する領域の指定と制御を行う。
【００６５】
まず、検出信号処理部ＴＳについて述べると、この検出信号処理部ＴＳは、タッチ検出パネル部４からの検出信号Ｒｘ（０）〜Ｒｘ（ｐ）を受信し、受信した検出信号Ｒｘ（０）〜Ｒｘ（ｐ）を増幅するタッチ検出信号増幅部１３と、タッチ検出信号増幅部１３によって増幅されたアナログの検出信号をデジタル信号へ変換するＡ／Ｄ変換部１４とを含んでいる。ここで、タッチ検出信号増幅部１３は、受信した検出信号Ｒｘ（０）〜Ｒｘ（ｐ）から高い周波数の成分（ノイズ成分）を取り除き、増幅動作を行う。また、検出信号Ｒｘ（０）〜Ｒｘ（ｐ）は、図２を用いて説明したように、共通電極ＴＬ（ｉ）に供給される駆動信号Ｔｘ（ｉ）に応答して発生する。そのため、この実施の形態１において、Ａ／Ｄ変換部１４は、駆動信号Ｔｘ（ｉ）に同期して、タッチ検出信号増幅部１３からの増幅信号をサンプリングし、デジタル信号へ変換するように、制御部１８によって、制御される。
【００６６】
さらに、検出信号処理部ＴＳは、Ａ／Ｄ変換部１４による変換動作によって得られたデジタル信号を受信し、当該デジタル信号に対して信号処理を行う信号処理部１５と、信号処理部１５の処理によって得られた信号から、タッチした位置の座標を抽出する座標抽出部１６とを有している。信号処理部１５で行われる信号処理としては、Ａ／Ｄ変換部１４で行ったサンプリングの周波数よりも高い周波数のノイズ成分を取り除き、タッチ検出パネル部４におけるタッチの有無を検出する処理が含まれる。座標抽出部１６により抽出されたタッチされた位置の座標は、出力端子Ｔｏｕｔから座標情報として出力される。
【００６７】
駆動信号形成部１７は、制御部１８からの制御信号に基づいて、選択信号ＴＰ（０）〜ＴＰ（ｐ）および複数の制御信号ｃｔｒｓｉｇを形成し、駆動電極ドライバ１２へ供給する。駆動信号形成部１７は、先に説明したように、共通電極ＴＬ（０）〜ＴＬ（ｐ）のうち、選択共通電極とする共通電極に、その電圧が周期的に変化する駆動信号が供給されるように、選択共通電極とする共通電極に対応する選択信号をクロック信号とする。これにより、任意の共通電極を選択共通電極とすることが可能となり、タッチ検出期間において、任意の位置のタッチを検出することが可能となる。
【００６８】
制御部１８は、表示制御装置５の制御部９から出力されているタッチ−表示同期信号ＴＳＨＤを受信し、このタッチ−表示同期信号ＴＳＨＤがタッチ検出期間を表しているときに、駆動信号形成部１７に対して、選択信号ＴＰ（０）〜ＴＰ（ｐ）および制御信号ｃｔｒｓｉｇを形成する様に制御する。また、タッチ検出期間において、タッチ検出信号増幅部１３が受信した検出信号Ｒｘ（０）〜Ｒｘ（ｐ）を変換し、タッチした座標が抽出されるように、Ａ／Ｄ変換部１４、信号処理部１５および座標抽出部１６を制御する。
【００６９】
＜モジュール＞
図３（Ａ）は、実施の形態１に係わるタッチ検出機能付き液晶表示装置１を実装したモジュールの概略を示す平面図である。また、図３（Ｂ）は、図３（Ａ）において、Ｂ−Ｂ’の断面図である。
【００７０】
液晶パネル２は、同図において縦方向に延在し、横方向に並列的に配置された信号線ＳＬ（０）〜ＳＬ（ｐ）と、これらの信号線ＳＬ（０）〜ＳＬ（ｐ）の延在方向と同じ方向に延在する複数の共通電極ＴＬ（０）〜ＴＬ（ｐ）とを具備している。すなわち、共通電極ＴＬ（０）〜ＴＬ（ｐ）のそれぞれも、同図において縦方向に延在し、横方向に並列的に配置されている。なお、走査信号Ｖｓ０〜Ｖｓｐが供給される走査線および検出信号Ｒｘ（０）〜Ｒｘ（ｐ）を伝達する検出電極ＲＬ（０）〜ＲＬ（ｐ）は、同図において、横方向に延在し、縦方向に並列的に配置されているが、図３（Ａ）では省略されている。
【００７１】
図１で説明した表示制御装置５および信号線セレクタ６は、液晶パネル２の短辺側に配置されている。すなわち、表示制御装置５および信号線セレクタ６は、信号線ＳＬ（０）〜ＳＬ（ｐ）および共通電極ＴＬ（０）〜ＴＬ（ｐ）と直交または交差する方向に延在している。後で図５を用いて説明するが、信号線セレクタ６は、液晶パネル２と同じ基板に形成されており、信号線ＳＬ（０）〜ＳＬ（ｐ）は、信号線セレクタ６に接続されており、表示制御装置５から出力される画像信号は、信号線セレクタ６を介して液晶パネル２の信号線ＳＬ（０）〜ＳＬ（ｐ）に供給される。ここで、表示制御装置５から信号線セレクタ６へ供給される信号は、画像信号と、選択信号である。液晶パネル２は、カラー表示を行うため、表示制御装置５から信号線セレクタ６へ供給される画像信号は、３原色に相当するＲ（赤）、Ｇ（緑）、Ｂ（青）の画像信号であり、同図ではＲ／Ｇ／Ｂとして示されている。あるいは、３原色に相当するＲ（赤）、Ｇ（緑）、Ｂ（青）にＷ（白）やＹ（黄）などの第４色を加えた信号とされる。また、同図では、選択信号はＳＥＬ１、ＳＥＬ２として示されている。
【００７２】
信号線ＳＬ（０）〜ＳＬ（ｐ）のそれぞれは、ガラス基板であるＴＦＴ基板３００の一主面に形成されている。図３に示したモジュールにおいては、１個の共通電極（例えば、共通電極ＴＬ（０））に対して、複数の信号線（例えば、信号線ＳＬ（０）０、ＳＬ（０）１）が対応しており、それぞれの信号線ＳＬ（０）０、ＳＬ（０）１は、画像信号Ｒ、Ｇ、Ｂに対応する３個の信号線を含んでいる。図３（Ｂ）には、信号線ＳＬ（０）０に含まれる画像信号Ｒ、Ｇ、Ｂに対応する信号線ＳＬ（０）０（Ｒ）、ＳＬ（０）０（Ｇ）、ＳＬ（０）０（Ｂ）と、信号線ＳＬ（１）に含まれる画像信号Ｒ、Ｇ、Ｂに対応する信号線ＳＬ（１）０（Ｒ）、ＳＬ（１）０（Ｇ）、ＳＬ（１）０（Ｂ）とが示されている。
【００７３】
ここで、本明細書で用いている、信号線の表記方法について説明をしておく。信号線ＳＬ（０）０（Ｒ）および信号線ＳＬ（１）０（Ｒ）を例にして説明すると、先ず（）内の数字は、対応する共通電極の番号を示しており、次の数字は、対応する共通電極における画素の番号を示しており、（）内の英字は、画素の三原色（Ｒ、Ｇ、Ｂ）を示している。すなわち、信号線ＳＬ（０）０（Ｒ）は、共通電極ＴＬ（０）に対応した信号線であり、０番目の画素で、三原色の赤に対応した画像信号を伝達する信号線を示している。同様に、信号線ＳＬ（１）０（Ｒ）は、共通電極ＴＬ（０）の隣に配置されたところの共通電極ＴＬ（１）に対応した信号線であり、０番目の画素で、三原色の赤に対応した画像信号を伝達する信号線を示している。そのため、図３（Ｂ）に示しているＳＬ（１）１（Ｒ）およびＳＬ（１）１（Ｇ）のそれぞれは、共通電極ＴＬ（１）に対応した信号線であり、１番目の画素の三原色の赤および緑に対応した画像信号を伝達する信号線を表していることになる。
【００７４】
図３（Ｂ）に示すように、画像信号Ｒ、Ｇ、Ｂに対応する信号線ＳＬ（０）０（Ｒ）、ＳＬ（０）０（Ｇ）、ＳＬ（０）０（Ｂ）等の一主面とＴＦＴ基板３００の一主面には、さらに絶縁層３０１が形成され、絶縁層３０１上に共通電極ＴＬ（０）〜ＴＬ（ｐ）が形成されている。これらの共通電極ＴＬ（０）〜ＴＬ（ｐ）のそれぞれには、補助電極ＳＭが形成され、補助電極ＳＭは、共通電極と電気的に接続され、共通電極の電気抵抗の低減を図っている。共通電極ＴＬ（０）〜ＴＬ（ｐ）と補助電極ＳＭの上面には、絶縁層３０２が形成され、絶縁層３０２の上面には画素電極ＬＤＰが形成されている。図３（Ｂ）において、ＣＲ、ＣＢ、ＣＧのそれぞれは、カラーフィルタであり、カラーフィルタＣＲ（赤）、ＣＧ（緑）、ＣＢ（青）と絶縁層３０２との間には液晶層３０３が挟まれている。ここで、画素電極ＬＤＰは、走査線と信号線との交点に設けられており、各画素電極ＬＤＰの上方に、それぞれの画素電極ＬＤＰに対応したカラーフィルタＣＲ、ＣＧあるいはＣＢが設けられている。各カラーフィルタＣＲ、ＣＧ、ＣＢ間にはブラックマトリクスＢＭが設けられている。
【００７５】
図４は、検出電極ＲＬ（０）〜ＲＬ（ｐ）と共通電極ＴＬ（０）〜ＴＬ（ｐ）との関係を示す模式図である。図４（Ａ）に示すように、カラーフィルタＣＲ、ＣＧ、ＣＢの上方面には、ガラス基板であるＣＦガラス基板４００が設けられ、ＣＦガラス基板４００の上方面に、検出電極ＲＬ（０）〜ＲＬ（ｐ）が形成されている。さらに、検出電極ＲＬ（０）〜ＲＬ（ｐ）の上方には偏光板４０１が形成されている。なお、ここでは、図４（Ａ）に示すように、同図において上側から目視される場合を例にしているため、上方面として述べているが、目視の方向が変わることにより、上方面は、下方面あるいは側方面となることは言うまでもない。また、図４（Ａ）においては、検出電極ＲＬ（０）〜ＲＬ（ｐ）と共通電極ＴＬ（０）〜ＴＬ（ｐ）との間に形成される容量素子の電極が破線で描かれている。尚、共通電極ＴＬ（０）〜ＴＬ（ｐ）は液晶モードに応じて、ＣＦガラス基板４００上で検出電極ＲＬ（０）〜ＲＬ（ｐ）よりも液晶層側に形成してもよい。
【００７６】
図３（Ａ）および図４（Ｃ）に示すように、信号線ＳＬ（０）〜ＳＬ（ｐ）および共通電極ＴＬ（０）〜ＴＬ（ｐ）のそれぞれは、縦方向、すなわち長辺方向に延在し、横方向、すなわち短辺方向に並列に配置されている。これに対して、検出電極ＲＬ（０）〜ＲＬ（ｐ）は、図４（Ｂ）に示すように、ＣＦガラス基板４００に設けられ、共通電極ＴＬ（０）〜ＴＬ（ｐ）と交差するように配置されている。すなわち、図４（Ｂ）において、横方向（短辺）に延在し、縦方向（長辺）に並列的に配置されている。この検出電極ＲＬ（０）〜ＲＬ（ｐ）のそれぞれからの検出信号Ｒｘ（０）〜Ｒｘ（ｐ）は、タッチ制御装置７へ供給される。
【００７７】
平面視で見た場合、図３（Ａ）に示すように、信号線ＳＬ（０）〜ＳＬ（ｐ）と共通電極ＴＬ（０）〜ＴＬ（ｐ）は、平行して、延在していると見なすことができる。なお、「平行」とは、互いに一端から他端に亘るまで交わることなく延在することをいうのであって、一方の線の一部又は全部が他方の線に対して傾いた状態で設けられていたとしても、これらの線が一端から他端まで交わるものでなければ、この状態を「平行」とする。図３（Ａ）から理解されるように、この実施の形態では、縦ＣＯＭ配置が採用されている。しかしながら、これに限定されず、横ＣＯＭ配置であってもよい。
【００７８】
また、信号線セレクタ６および表示制御装置５を基点として、共通電極ＴＬ（０）〜ＴＬ（ｐ）の配置を捉えた場合、共通電極ＴＬ（０）〜ＴＬ（ｐ）のそれぞれは、基点である信号線セレクタ６および表示制御装置５から遠ざかる方向に延在していると見なすことができる。この場合、信号線ＳＬ（０）〜ＳＬ（ｐ）も、基点である信号線セレクタ６および表示制御装置５から遠ざかる方向に延在していると見なすことができる。
【００７９】
なお、図４（Ａ）では、図３（Ｂ）に示した信号線および画素電極ＬＤＰは省略されている。
【００８０】
＜モジュールの全体構成＞
図５は、実施の形態１に係わるモジュールの全体構成を示す模式的な平面図であり、タッチ検出機能付き液晶表示装置１を実装したモジュール５００の全体構成を示している。模式的ではあるが、図５は、実際の配置に合わせて描かれている。同図において、５０８は、図３で説明したＴＦＴ基板３００における領域を示しており、５０７は、図４で説明したＴＦＴ基板３００とＣＦガラス基板４００とを有する領域を示している。領域５０７と領域５０８とにおいて、例えば、ＴＦＴ基板３００は領域５０７と領域５０８にまたがっており、ＣＦガラス基板４００は領域５０７に対応する。ＣＦガラス基板４００上の検出電極ＲＬ（０）〜ＲＬ（ｐ）からの信号は、ＴＦＴ基板３００の領域５０８上の配線を介してフレキシブル基板５０６に供給してもよいし、図示しない別のフレキシブル基板をＣＦガラス基板４００とフレキシブル基板５０６に接続しフレキシブル基板５０６に供給してもよい。尚、図４に示したように、ＴＦＴ基板３００の上方面に、ＣＦガラス基板４００、検出電極ＲＬ（０）〜ＲＬ（ｐ）および偏光板４０１等が、さらに形成されている。
【００８１】
この領域５０７には、モジュール５００の長辺方向に沿って、図１に示したゲートドライバ８が形成されている。この実施の形態においては、複数の共通電極ＴＬ（０）〜ＴＬ（ｐ）を挟んだ状態で、モジュール５００の２つの長辺方向に沿ってゲートドライバ８が形成されている。この場合、図１において説明した走査線は、モジュールの短辺方向に沿って延在し、長辺方向に並列に配置されており、ゲートドライバ８に接続されている。また、同図では省略されているが、領域５０７には、先に説明した信号線セレクタ６が実装されている。この実施の形態１においては、信号線セレクタ６は、モジュール５００の短辺に沿って延在するように実装されている。
【００８２】
一方、領域５０８には、表示制御装置５が形成されている。表示制御装置５は、この実施の形態１においては、半導体集積回路装置（以下、半導体装置とも称する）と、複数の電子部品とによって構成されている。電子部品としては、薄膜トランジスタ（ＴＦＴ）などのＭＯＳＦＥＴが含まれている。複数のＭＯＳＦＥＴは、ＴＦＴ基板３００に形成されている。この実施の形態１においては、複数のＭＯＳＦＥＴは、表示制御装置５を構成する半導体装置によって覆われるＴＦＴ基板３００の領域に形成されている。特に制限されないが、複数のＭＯＳＦＥＴにより、駆動電極ドライバ１２（図１）がＴＦＴ基板３００上に形成され、複数のＭＯＳＦＥＴを覆うようにその上面に制御部９などを有する半導体装置を配置することで表示装置の額縁領域を小さくすることができる。尚、信号線ドライバ１１（図１）も、半導体装置によって覆われたＴＦＴ基板３００上のＭＯＳＦＥＴにより構成してもよい。勿論、駆動電極ドライバ１２（図１）は半導体装置内に形成してもよい。
【００８３】
この半導体装置は、図５においては、ＤＤＩＣとして示されている。図５においては、駆動電極ドライバ１２と半導体装置ＤＤＩＣとが、モジュール５００に実装されていることを明示するために、駆動電極ドライバ１２と半導体装置ＤＤＩＣとを別々に描いているが、先に説明したように、駆動電極ドライバ１２は、半導体装置ＤＤＩＣによって覆われており、平面視的には、半導体装置ＤＤＩＣによって隠されている。半導体装置ＤＤＩＣは、信号線ＳＬ（０）〜ＳＬ（ｐ）を駆動するため、以下、ドライバ用半導体装置と称する。この実施の形態１においては、特に制限されないが、ドライバ用半導体装置ＤＤＩＣは、１個であり、１個のドライバ用半導体装置ＤＤＩＣと、ドライバ用半導体装置ＤＤＩＣとＴＦＴ基板３００との間に挟まれて形成されたＭＯＳＦＥＴにより構成された駆動電極ドライバ１２によって、図１に示した表示制御装置５が構成されている。しかしながら、ドライバ用半導体装置ＤＤＩＣは、図１に示した信号線ドライバ１１のみを有し、別の半導体装置が図１に示した制御部９を有するようにしてもよい。
【００８４】
図５において、領域５０１は、液晶パネル２の表示領域を示しており、図１、図３および図４で説明した共通電極ＴＬ（０）〜ＴＬ（ｐ）、信号線ＳＬ（０）〜ＳＬ（ｐ）、検出電極ＲＬ（０）〜ＲＬ（ｐ）および走査線等が形成されている領域を示している。ここで、液晶パネル２と領域５０１との対応を、図３および図５を用いて述べると、図３に示した液晶パネル２が有する１対の短辺２−Ｕ、２−Ｄが、図５に示した領域５０１の１対の短辺５０１−Ｕ、５０１−Ｄに対応し、図３に示した液晶パネル２の１対の長辺２−Ｒ、２−Ｄが、領域５０１の１対の長辺５０１−Ｒ、５０１−Ｌに対応する。そのため、この領域５０１内において、画像の表示が行われるとともに、タッチの検出が可能となる。
【００８５】
また、図５において、５０２は、第１電圧ＴＰＨを供給する第１電圧配線、５０３ａは、第２電圧ＶＣＯＭＤＣ１ａを供給する第２電圧配線、５０４は、第３電圧ＶＣＯＭＤＣ２を供給する第３電圧配線、５０３ｂは、第４電圧ＶＣＯＭＤＣ１ｂを供給する第４電圧配線を示している。特に制限されないが、第１電圧配線５０２、第２電圧配線５０３ａ、第３電圧配線５０４および第４電圧配線５０３ｂは、共通電極ＴＬ（０）〜ＴＬ（ｐ）を含む領域５０１のそれぞれの長辺とモジュール５００のそれぞれの長辺との間の領域に延在するように配置されている。
【００８６】
第１電圧配線５０２、第２電圧配線５０３ａ、第３電圧配線５０４および第４電圧配線５０３ｂについては、あとで詳しく説明するが、第３電圧配線５０４の線幅は、第１電圧配線５０２、第２電圧配線５０３ａおよび第４電圧配線５０３ｂの線幅よりも細くされている。また、第１〜第４電圧配線５０２、５０３ａ、５０３ｂ、５０４は、互いに同じ材料により形成され、それぞれの厚みも同じにされている。この場合、第１、第２および第４電圧配線５０２、５０３ａおよび５０３ｂのそれぞれ線幅は、第３電圧配線５０４の線幅に対して、例えば２倍〜１０倍とされている。第１電圧配線５０２と第２電圧配線５０３ａと第４電圧配線５０３ｂの間で線幅は、互いに異なっていてもよい、この場合であっても、例えば、第２電圧配線５０３ａの線幅は、第３電圧配線５０４の線幅の２倍〜１０倍とされている。第１〜第４電圧配線５０２、５０３ａ、５０３ｂ、５０４は、駆動電極ドライバ１２に接続され、駆動電極ドライバ１２に第１〜第４電圧ＴＰＨ、ＶＣＯＭＤＣ１ａ、ＶＣＯＭＤＣ１ｂ、ＶＣＯＭＤＣ２を供給する。また、特に制限されないが、第１〜第４電圧配線５０２、５０３ａ、５０３ｂ、５０４は、ドライバ用半導体装置ＤＤＩＣに接続され、ドライバ用半導体装置ＤＤＩＣへ第１〜第４電圧ＴＰＨ、ＶＣＯＭＤＣ１ａ、ＶＣＯＭＤＣ１ｂおよびＶＣＯＭＤＣ２が供給されている。
【００８７】
第１電圧配線５０２、第２電圧配線５０３ａ、第４電圧配線５０３ｂおよび第３電圧配線５０４のそれぞれは、特に制限されないが、モジュール５００に設けられた所定の電圧端子に接続され、これらの電圧端子からの第１〜第４電圧ＴＰＨ、ＶＣＯＭＤＣ１ａ、ＶＣＯＭＤＣ１ｂ、ＶＣＯＭＤＣ２を受電し、駆動電極ドライバ１２へ供給する。勿論、モジュール５００に第１〜第４電圧ＴＰＨ、ＶＣＯＭＤＣ１ａ、ＶＣＯＭＤＣ１ｂ、ＶＣＯＭＤＣ２を形成する電源回路を設け、電源回路から第１〜第４電圧配線に電圧を給電するようにしてもよい。この実施の形態１においては、第２電圧ＶＣＯＭＤＣ１ａと第４電圧ＶＣＯＭＤＣ１ｂと第３電圧ＶＣＯＭＤＣ２の電圧値は、実質的に同じにされている。例えば、第２電圧ＶＣＯＭＤＣ１ａ、第４電圧ＶＣＯＭＤＣ１ｂおよび第３電圧ＶＣＯＭＤＣ２のそれぞれの電圧値は、０Ｖのような接地電圧Ｖｓとされ、第１電圧ＴＰＨは、第２〜第４電圧ＶＣＯＭＤＣ１ａ、ＶＣＯＭＤＣ１ｂ、ＶＣＯＭＤＣ２よりも電圧の高い電圧値、例えば０Ｖを超え、５．５Ｖ以下の電圧とされる。
【００８８】
図５において、領域５０８には、図示されていないが端子群が設けられており、この端子群にフレキシブル基板５０６内の配線が電気的に接続されている。フレキシブル基板５０６には、タッチ制御装置７が実装されている。この実施の形態１においては、図１に示したタッチ制御装置７は、特に制限されないが、１個の半導体装置により構成されている。ドライバ用半導体装置ＤＤＩＣと区別するために、本明細書では、タッチ制御装置７を構成する半導体装置をタッチ用半導体装置７と称する。タッチ用半導体装置７の端子（図示しない）は、フレキシブル基板５０６内の配線に接続されている。これにより、タッチ用半導体装置７とドライバ用半導体装置ＤＤＩＣとの間、およびタッチ用半導体装置７と駆動電極ドライバ１２との間の信号の送受信が行われる。図５においては、例示のために、タッチ用半導体装置７から、駆動電極ドライバ１２への信号が示されている。また、図５には、タッチ用半導体装置ＤＤＩＣから領域５０１内の信号線ＳＬ（０）〜ＳＬ（ｐ）へ供給される信号が例示されている。
【００８９】
第２電圧ＶＣＯＭＤＣ１ａと第３電圧ＶＣＯＭＤＣ２とは、実質的に同じ電圧値であるため、第２電圧配線５０３ａと第３電圧配線５０４とは、フレキシブル基板５０５において、電気的に接続されている。この場合、第２電圧配線５０３ａと第３電圧配線５０４とを接続するノードｎＬには、ローパスフィルタ５０６が接続されている。図５においては、第２電圧配線５０３ａと第３電圧配線５０４とを接続するノードｎＬと接地電圧Ｖｓとの間に接続された容量素子Ｃによってローパスフィルタ５０６が構成されている。
【００９０】
第２電圧配線５０３ａおよび第３電圧配線５０４における電圧が変化すると言う観点で見た場合、第２電圧配線５０３ａと第３電圧配線５０４との間にローパスフィルタ５０６が接続されていると見なすこともできる。この場合、第３電圧配線５０４における電圧の急峻な変化あるいは第２電圧配線５０３ａにおける電圧の急峻な変化は、ローパスフィルタ５０６により、第２電圧配線５０３ａあるいは第３電圧配線５０４へ伝達するのが抑制されることになる。また、第２電圧配線５０３ａと第３電圧配線５０４とを一体的に形成した場合には、ローパスフィルタ５０６が接続されているノードｎＬを境にして、第２電圧配線５０３ａと第３電圧配線５０４と見なすことができる。
【００９１】
＜液晶素子配列＞
次に、液晶パネル２の回路構成を説明しておく。図６は、液晶パネル２の回路構成を示す回路図である。図６において、一点鎖線で示した複数個のＳＰｉｘのそれぞれは、１個の液晶表示素子を示している。液晶表示素子ＳＰｉｘは、液晶パネル２において、行列状に配置され、液晶素子配列ＬＣＤを構成している。液晶素子配列ＬＣＤは、各行に配置され、行方向に延在する複数の走査線ＧＬ（０）〜ＧＬ（ｐ）と、各列に配置され、列方向に延在する信号線ＳＬ（０）０（Ｒ）、ＳＬ（０）０（Ｇ）、ＳＬ（０）０（Ｂ）〜ＳＬ（ｐ）ｐ（Ｒ）、ＳＬ（ｐ）ｐ（Ｇ）、ＳＬ（ｐ）ｐ（Ｂ）とを具備している。また、液晶素子配列ＬＣＤは、各列に配置され、列方向に延在する共通電極ＴＬ（０）〜ＴＬ（ｐ）を有している。図６には、走査線ＧＬ（０）〜ＧＬ（２）と、信号線ＳＬ（０）０（Ｒ）、ＳＬ（０）０（Ｇ）、ＳＬ（０）０（Ｂ）〜ＳＬ（１）０（Ｒ）、ＳＬ（１）０（Ｇ）、ＳＬ（１）０（Ｂ）と、共通電極ＴＬ（０）、ＴＬ（１）に関する液晶素子配列の部分が示されている。
【００９２】
図６においては、説明を容易にするために、共通電極ＴＬ（０）、ＴＬ（１）が、それぞれの列に配置されているように、示されているが、図３（Ａ）および（Ｂ）において説明したように、複数の信号線に対して１個の共通電極が配置されているものと理解されたい。勿論、図６に示すように、液晶素子配列ＬＣＤのそれぞれの列に共通電極を配置してもよい。いずれにおいても、共通電極ＴＬ（０）〜ＴＬ（ｐ）のそれぞれは、信号線と平行するように、液晶素子配列ＬＣＤの列に配置されている。
【００９３】
液晶素子配列ＬＣＤの行と列の交点に配置されたそれぞれの液晶表示素子ＳＰｉｘは、ＴＦＴガラス基板３００に形成された薄膜トランジスタＴｒと、薄膜トランジスタＴｒのソースに一方の端子が接続された液晶素子ＬＣとを具備している。液晶素子配列ＬＣＤにおいて、同じ行に配置された複数の液晶表示素子ＳＰｉｘの薄膜トランジスタＴｒのゲートは、同じ行に配置されている走査線に接続され、同じ列に配置された複数の液晶表示素子ＳＰｉｘの薄膜トランジスタＴｒのドレインは、同じ列に配置された信号線に接続されている。言い換えるならば、複数の液晶表示素子ＳＰｉｘが、行列状に配置され、各行には、走査線が配置され、走査線には、対応する行に配置された複数の液晶表示素子ＳＰｉｘが接続されている。また、各列には信号線が配置され、信号線には、対応する列に配置された液晶表示素子ＳＰｉｘが接続されている。また、同じ列に配置された複数の液晶表示素子ＳＰｉｘの液晶素子ＬＣの他端は、列に配置された共通電極に接続されている。
【００９４】
図６に示した例で説明すれば、同図において、最上段の行に配置された複数の液晶表示素子ＳＰｉｘのそれぞれの薄膜トランジスタＴｒのゲートは、最上段の行に配置された走査線ＧＬ（０）に接続されている。また、同図において、最も左側の列に配置された複数の液晶表示素子ＳＰｉｘのそれぞれの薄膜トランジスタＴｒのドレインは、最も左側の列に配置された信号線ＳＬ（０）０（Ｒ）に接続されている。また、最も左側に列に配置された複数の液晶表示素子ＳＰｉｘのそれぞれの液晶素子の他端は、図６においては、最も左側に配置された共通電極ＴＬ（０）に接続されている。先にも述べたように、１個の共通電極が、複数の信号線に対応している。そのため、図６に示した例では、共通電極ＴＬ（０）は、３列に対して共通の共通電極となっていると見なすことができる。
【００９５】
１個の液晶表示素子ＳＰｉｘが、先に述べた１個の副画素（サブ画素）に対応する。従って、３個の液晶表示素子ＳＰｉｘによって、Ｒ、Ｇ、Ｂの３原色の副画素が構成される。図６では、同じ行に、連続的に配置された３個の液晶表示素子ＳＰｉｘによって、１つの画素Ｐｉｘが形成され、当該画素Ｐｉｘにてカラーが表現されるものとなる。すなわち、図６において、６００Ｒとして示されている液晶表示素子ＳＰｉｘが、Ｒ（赤）の副画素ＳＰｉｘ（Ｒ）とされ、６００Ｇとして示されている液晶表示素子ＳＰｉｘが、Ｇ（緑）の副画素ＳＰｉｘ（Ｇ）とされ、６００Ｂとして示されている液晶表示素子ＳＰｉｘが、Ｂ（青）の副画素ＳＰｉｘ（Ｂ）とされる。そのために、６００Ｒとして示されている副画素ＳＰｉｘ（Ｒ）には、カラーフィルタとして赤色のカラーフィルタＣＲが設けられており、６００Ｇの副画素ＳＰｉｘ（Ｇ）には、カラーフィルタとして青色のカラーフィルタＣＧが設けられており、６００Ｂの副画素ＳＰｉｘ（Ｂ）には、カラーフィルタとして緑色のカラーフィルタＣＢが設けられている。
【００９６】
また、１つの画素を表す信号のうち、Ｒに対応する画像信号が、信号線セレクタ６から、信号線ＳＬ（０）０（Ｒ）に供給され、Ｇに対応する画像信号が、信号線セレクタ６から、信号線ＳＬ（０）０（Ｇ）に供給され、Ｂに対応する画像信号が、信号線セレクタ６から、信号線ＳＬ（０）０（Ｂ）に供給される。
【００９７】
各液晶表示素子ＳＰｉｘにおける薄膜トランジスタＴｒは、特に制限されないが、Ｎチャンネル型のＭＯＳＦＥＴである。走査線ＧＬ（０）〜ＧＬ（ｐ）には、例えばこの順番で順次ハイレベルとなるパルス状の走査信号Ｖｓ０〜Ｖｓｐ（図１）が、ゲートドライバ８から供給される。すなわち、液晶素子配列ＬＣＤにおいて、上段の行に配置された走査線ＧＬ（０）から下段の行に配置された走査線ＧＬ（ｐ）に向かって、走査線の電圧が、順次ハイレベルとなる。これにより、液晶素子配列ＬＣＤにおいて、上段の行に配置された液晶表示素子ＳＰｉｘから下段の行に配置された液晶表示素子ＳＰｉｘに向かって、液晶表示素子ＳＰｉｘにおける薄膜トランジスタＴｒが、順次導通状態となる。
【００９８】
薄膜トランジスタＴｒが導通状態となることにより、そのとき信号線に供給されている画素信号が、導通状態の薄膜トランジスタを介して、液晶素子ＬＣに供給される。液晶素子ＬＣに供給された画素信号の値に従って、液晶素子ＬＣにおける電界が変化し、その液晶素子ＬＣを透過する光の変調が変わる。これにより、走査線ＧＬ（０）〜ＧＬ（ｐ）に供給する走査信号Ｖｓ０〜Ｖｓｐに同期して、信号線ＳＬ（０）０（Ｒ）、ＳＬ（０）０（Ｇ）、ＳＬ（０）０（Ｂ）〜ＳＬ（ｐ）ｐ（Ｒ）、ＳＬ（ｐ）ｐ（Ｇ）、ＳＬ（ｐ）ｐ（Ｂ）に供給した画像信号に応じたカラー画像が、液晶パネル２に表示されることになる。
【００９９】
ここで、図５に示したモジュール５００の配置と、図６に示した回路図との対応を述べておくと、次のようになる。
【０１００】
液晶素子配列ＬＣＤは、その配列の行と実質的に平行な１対の辺と、その配列の列と実質的に平行な１対の辺とを有している。液晶素子配列ＬＣＤの行と平行な１対の辺が、図５に示した領域５０１の短辺５０１−Ｕ、５０１−Ｄに対応し、液晶素子配列ＬＣＤの列と平行な１対の辺が、領域５０１の長辺５０１−Ｒ、５０１−Ｌに対応する。
【０１０１】
液晶素子配列ＬＣＤにおいて、行と平行な１対の辺のうちの一方の辺、すなわち、領域５０１の一方の短辺５０１−Ｄに沿って、図３（Ａ）、図４（Ｃ）および図５に示されているように、信号セレクタ６、ドライバ用半導体装置ＤＤＩＣおよび駆動電極ドライバ１２が配置されている。液晶素子配列ＬＣＤにおいては、この一方の辺（領域５０１の短辺５０１−Ｄ）において、信号線セレクタ６を介して、ドライバ用半導体装置ＤＤＩＣ内の信号線ドライバ１１からの画像信号が、信号線ＳＬ（０）０（Ｒ）、ＳＬ（０）０（Ｇ）、ＳＬ（０）０（Ｂ）〜ＳＬ（ｐ）ｐ（Ｒ）、ＳＬ（ｐ）ｐ（Ｇ）、ＳＬ（ｐ）ｐ（Ｂ）に供給される。また、この一方の辺（領域５０１の短辺５０１−Ｄ）において、駆動電極ドライバ１２からの駆動信号Ｔｘ（ｉ）が、共通電極ＴＬ（０）〜ＴＬ（ｐ）の一方の端部に供給される。
【０１０２】
また、液晶素子配列ＬＣＤにおいて、列と平行な１対の辺、すなわち、領域５０１の１対の長辺５０１−Ｌ、５０１−Ｒに沿って、ゲートドライバ８が配置されている液晶素子配列ＬＣＤにおいては、この１対の辺（領域５０１の長辺５０１−Ｌ、５０１−Ｒ）において、走査線ＧＬ（０）〜ＧＬ（ｐ）にゲートドライバ８からの走査信号Ｖｓ０〜Ｖｓｐが供給される。
【０１０３】
この実施の形態に係わる液晶表示装置は、インセルタイプであるため、共通電極ＴＬ（ｉ）は、液晶表示素子ＳＰｉｘの一方の電極であり、表示期間においては、所定の電圧が供給され、タッチ検出期間においては、駆動電極ドライバ１２から電圧が供給される。薄膜トランジスタＴｒのドレインを、液晶表示素子ＳＰｉｘの他方の電極と見た場合には、表示期間においては、液晶表示素子ＳＰｉｘの他方の電極は、信号線であり、画像信号が供給される。
【０１０４】
１個の画素を構成する副画素の数が、３個の場合を説明したが、これに限定されるものではなく、例えば上記ＲＧＢに加えて白（Ｗ）や黄色（Ｙ）、又はＲＧＢの補色（シアン（Ｃ）、マゼンタ（Ｍ）、イエロー（Ｙ））のいずれか１色又は複数色を加えた副画素で１つの画素としてもよい。
【０１０５】
＜液晶表示装置１の構成＞
図７は、液晶表示装置１の構成を示すブロック図である。同図において、ＴＬ（０）〜ＴＬ（ｐ）は、共通電極であり、図７には、共通電極ＴＬ（０）、ＴＬ（ｎ）およびＴＬ（ｐ）が代表として示されている。また、図７において、共通電極ＴＬ（０）、ＴＬ（ｎ）およびＴＬ（ｐ）上に描かれている破線は信号線を示しており、一点鎖線は、走査線ＧＬ（０）〜ＧＬ（ｐ）を示している。
【０１０６】
図７において、ＳＰ１１〜ＳＰ１６は、それぞれＴＦＴ基板３００に形成された端子を示しており、端子ＳＰ１１〜ＳＰ１６により、１個の共通電極に対応した端子群（ＳＰ１１〜ＳＰ１６）が構成されている。図７には、３個の共通電極ＴＬ（０）、ＴＬ（ｎ）およびＴＬ（ｐ）が示されているため、３組の端子群（ＳＰ１１〜ＳＰ１６）が示されている。端子ＳＰ１１〜ＳＰ１６は、ドライブ用半導体装置ＤＤＩＣの○印で示した端子に接続され、表示期間においては、ドライブ用半導体装置ＤＤＩＣの端子（○印）から画像信号が供給される。また、ドライブ用半導体装置ＤＤＩＣは、タッチ検出期間において、○印の端子をハイインピーダンス状態にする。
【０１０７】
信号線セレクタ６（図１）は、複数の単位信号線セレクタ６（０）〜６（ｐ）により構成されている。単位信号線セレクタ６（０）〜６（ｐ）のそれぞれは、互いに同じ構成を有しており、それぞれの単位信号線セレクタは、選択信号ＳＥＬ１、ＳＥＬ２の電圧に従って、端子ＳＰ１１〜ＳＰ１６を、この端子ＳＰ１１〜ＳＰ１６に対応した共通電極上に配置された信号線に接続する。図７において、最も左側に描いた単位信号線セレクタ６（０）を例にして説明すると、単位信号線セレクタ６（０）は、端子ＳＰ１１を、選択信号ＳＥＬ１、ＳＥＬ２の電圧に従って、信号線ＳＬ（０）０（Ｒ）またはＳＬ（０）０（Ｂ）に接続する。例えば、選択信号ＳＥＬ１またはＳＥＬ２の電圧がハイレベルであれば、端子ＳＰ１１を信号線ＳＬ（０）０（Ｒ）またはＳＬ（０）０（Ｂ）に接続する。
【０１０８】
これにより、表示期間において、選択信号ＳＥＬ１およびＳＥＬ２を選択的にハイレベルにすることにより、ドライブ用半導体装置ＤＤＩＣから端子ＳＰ１１に供給されている画像信号を信号線ＳＬ（０）０（Ｒ）またはＳＬ（０）０（Ｂ）へ供給することが可能となる。残りの端子ＳＰ１２〜ＳＰ１６についても同様である。表示期間において、ドライブ用半導体装置ＤＤＩＣは、端子ＳＰ１１〜ＳＰ１６のそれぞれに、時分割的に画像信号を供給し、選択信号ＳＥＬ１、ＳＥＬ２の電圧を選択的にハイレベルとすることにより、適切な信号線へ画像信号を供給することが可能となる。
【０１０９】
一方、タッチ検出期間においては、選択信号ＳＥＬ１、ＳＥＬ２のそれぞれが、ハイレベルにされる。これにより、単位信号線セレクタ６（０）は、端子ＳＰ１１を、信号線ＳＬ（０）０（Ｒ）およびＳＬ（０）０（Ｂ）に接続する。単位信号線セレクタ６（０）は、残りの端子ＳＰ１２〜ＳＰ１６のそれぞれについても、同様に、それぞれ２個の信号線を１個の端子に接続する。
【０１１０】
単位信号線セレクタ６（０）を例にして説明したが、残りの単位信号線セレクタ６（１）〜６（ｐ）についても同様である。
【０１１１】
この実施の形態１に係わる液晶表示装置１は、共通電極ＴＬ（０）〜ＴＬ（ｐ）と、それぞれの共通電極に対応した端子群（ＳＰ１１〜ＳＰ１６）との間に設けられた共通電極スイッチＬＳＳを備えている。この共通電極スイッチＬＳＳは、制御信号ＶＣＯＭＳＥＬの電圧に従って、共通電極ＴＬ（０）〜ＴＬ（ｐ）を、対応する端子群（ＳＰ１１〜ＳＰ１６）または第４電圧配線５０３ｂへ接続する。制御信号ＶＣＯＭＳＥＬは、タッチ用半導体装置７において形成される制御信号であって、図１に示した制御信号ｃｔｒｓｉｇに含まれている。タッチ用半導体装置７は、タッチ検出期間において、制御信号ＶＣＯＭＳＥＬの電圧をハイレベルにし、表示期間においてはロウレベルにする。尚、複数の単位共通電極スイッチＬＳＳ（０）〜ＬＳＳ（ｐ）に電位を供給する第４電圧配線５０３ｂは複数の第１単位スイッチ回路ＵＳＷ１（０）〜ＵＳＷ１（ｐ）に電位を供給する第２電圧配線５０３ａとはＴＦＴ基板上では分かれて形成されているが、第２電圧配線５０３ａと配線を共用してもよい。
【０１１２】
共通電極スイッチＬＳＳも、共通電極ＴＬ（０）〜ＴＬ（ｐ）のそれぞれに対応した複数の単位共通電極スイッチＬＳＳ（０）〜ＬＳＳ（ｐ）によって構成されている。それぞれの単位共通電極スイッチＬＳＳ（０）〜ＬＳＳ（ｐ）の構成は互いに同じ構成にされている。単位共通電極スイッチＬＳＳ（０）を例にして説明すると、制御信号ＶＣＯＭＳＥＬの電圧がハイレベルのとき、すなわちタッチ検出期間のとき、単位共通電極スイッチＬＳＳ（０）は、対応する共通電極ＴＬ（０）を対応する端子群（ＳＰ１１〜ＳＰ１６）の各端子に電気的に接続する。一方、制御信号ＶＣＯＭＳＥＬの電圧がロウレベルのとき、すなわち表示期間のとき、単位共通電極スイッチＬＳＳ（０）は、対応する共通電極ＴＬ（０）を、第４電圧配線５０３ｂに電気的に接続する。残りの単位共通電極スイッチＬＳＳ（１）〜ＬＳＳ（ｐ）も同様である。
【０１１３】
共通電極スイッチＬＳＳにより、表示期間においては、共通電極ＴＬ（０）〜ＴＬ（ｐ）は第４電圧配線５０３ｂに接続されるため、第４電圧配線５０３ｂに供給されている第２電圧ＶＣＯＭＤＣ１ｂが、表示用の駆動電圧として、共通電極ＴＬ（０）〜ＴＬ（ｐ）に供給されることになる。
【０１１４】
この実施の形態１においては、駆動電極ドライバ１２は、第１ロジック回路ＬＧ１および第１スイッチ回路ＳＷ１により構成されている。第１ロジック回路ＬＧ１は、それぞれ共通電極ＴＬ（０）〜ＴＬ（ｐ）に対応した複数の第１単位ロジック回路ＵＬＧ１（０）〜ＵＬＧ１（ｐ）によって構成されている。この第１単位ロジック回路ＵＬＧ１（０）〜ＵＬＧ１（ｐ）は互いに同じ構成にされている。第１スイッチ回路ＳＷ１も、それぞれ共通電極ＴＬ（０）〜ＴＬ（ｐ）に対応した複数の第１単位スイッチ回路ＵＳＷ１（０）〜ＵＳＷ１（ｐ）によって構成されている。この第１単位スイッチ回路ＵＳＷ１（０）〜ＵＳＷ１（ｐ）も互いに同じ構成にされている。
【０１１５】
第１単位ロジック回路ＵＬＧ１（０）〜ＵＬＧ１（ｐ）のそれぞれは、タッチ用半導体装置７からの選択信号ＴＰ（０）〜ＴＰ（ｐ）と、制御信号ＶＣＯＭＳＥＬと、制御信号ＶＣＯＭＳＥＬに対して位相反転された制御信号ｘＶＣＯＭＳＥＬとを受信する。ここで、制御信号ＶＣＯＭＳＥＬ、ｘＶＣＯＭＳＥＬは、第１単位ロジック回路ＵＬ（０）〜ＵＬ（ｐ）に共通に供給される。一方、選択信号ＴＰ（０）〜ＴＰ（ｐ）については、対応する共通電極に対応した選択信号が第１単位ロジック回路に供給される。例えば、共通電極ＴＬ（０）に対応した第１単位ロジック回路ＵＬＧ１（０）には、共通電極ＴＬ（０）に対応した選択信号ＴＰ（０）が供給され、共通電極ＴＬ（ｎ）に対応した第１単位ロジック回路ＵＬＧ１（ｎ）には、共通電極ＴＬ（ｎ）に対応した選択信号ＴＰ（ｎ）が供給される。同様に、共通電極ＴＬ（ｐ）に対応した第１単位ロジック回路ＵＬＧ１（ｐ）には、共通電極ＴＬ（ｐ）に対応した選択信号ＴＰ（ｐ）が供給される。
【０１１６】
第１単位ロジック回路ＵＬＧ１（０）〜ＵＬＧ１（ｐ）のそれぞれは、供給されている選択信号ＴＰ（０）〜ＴＰ（ｐ）に基づいて、対応する共通電極ＴＬ（０）〜ＴＬ（ｐ）が選択共通電極として指定されているか否かの判定を行い、対応する第１単位スイッチ回路ＵＳＷ１（０）〜ＵＳＷ１（ｐ）を制御する。
【０１１７】
第１単位スイッチ回路ＵＳＷ１（０）〜ＵＳＷ１（ｐ）は、それぞれ対応する共通電極ＴＬ（０）〜ＴＬ（ｐ）に対応した端子群（ＳＰ１１〜ＳＰ１６）と、第１〜第３電圧配線５０２、５０３ａ、５０４に接続されている。それぞれの第１単位スイッチ回路ＵＳＷ１（０）〜ＵＳＷ１（ｐ）は、対応する第１単位ロジック回路ＵＬＧ１（０）〜ＵＬＧ１（ｐ）により、タッチ検出期間において、対応する端子群（ＳＰ１１〜ＳＰ１６）を第１〜第３電圧配線５０２、５０３ａ、５０４のいずれかに電気的に接続するように制御される。
【０１１８】
先に説明したように、共通電極スイッチＬＳＳは、タッチ検出期間において、端子群（ＳＰ１１〜ＳＰ１６）を、対応する共通電極ＴＬ（０）〜ＴＬ（ｐ）に接続する。そのため、タッチ検出期間においては、共通電極ＴＬ（０）〜ＴＬ（ｐ）は、第１〜第３電圧配線５０２，５０３ａ、５０４のいずれかに接続されることになる。
【０１１９】
第１単位スイッチ回路ＵＳＷ１（０）〜ＵＳＷ１（ｐ）のそれぞれは、対応する第１単位ロジック回路ＵＬＧ１（０）〜ＵＬＧ１（ｐ）によって制御されるため、第１単位スイッチ回路と、それに対応した第１単位ロジック回路とによって、１個の第１単位駆動電極ドライバＵＤＧ１（ｉ）が構成されていると見なすことができる。この場合には、駆動電極ドライバ１２は、互いに同じ構成とされた複数の第１単位駆動電極ドライバＵＤＧ１（０）〜ＵＤＧ１（ｐ）によって構成されていると見なすことができ、複数の第１単位駆動電極ドライバＵＤＧ１（０）〜ＵＤＧ１（ｐ）のそれぞれが、共通電極ＴＬ（０）〜ＴＬ（ｐ）に１対１に対応していると見なすことができる。
【０１２０】
図７において、１２−Ｕは、駆動電極ドライバを示している。先に述べた駆動電極ドライバ１２と区別するために、以降、駆動電極ドライバ１２は、第１駆動電極ドライバ１２（第１駆動回路）と称し、駆動電極ドライバ１２−Ｕは、第２駆動電極ドライバ１２−Ｕ（第２駆動回路）とも称する。この第２駆動電極ドライバ１２−Ｕについては、あとで実施の形態２および３において説明するので、ここでは構成と概要のみを説明する。第２駆動電極ドライバ１２−Ｕは、図７に示されているように、共通電極ＴＬ（０）〜ＴＬ（ｐ）を、第１駆動電極ドライバ１２と挟むように配置されている。図５を参照にして説明すると、第１駆動電極ドライバ１２は、領域５０１の短辺５０１−Ｄ（一方の辺）に沿うように、モジュール５００の短辺と短辺５０１−Ｄとの間に配置され、第２駆動電極ドライバ１２−Ｕは、領域５０１の短辺５０１−Ｕ（他方の辺）に沿うように、モジュール５００の短辺と短辺５０１−Ｕとの間に配置されている。
【０１２１】
この第２駆動電極ドライバ１２−Ｕも、第１駆動電極ドライバ１２と同様に、第２ロジック回路ＵＳ２と第２スイッチ回路ＳＷ２により構成されている。また、第２ロジック回路ＵＳ２は、共通電極ＴＬ（０）〜ＴＬ（ｐ）のそれぞれに対応した複数の第２単位ロジック回路ＵＬＧ２（０）〜ＵＬＧ２（ｐ）により構成されており、第２スイッチ回路ＳＷ２も、共通電極ＴＬ（０）〜ＴＬ（ｐ）のそれぞれに対応した複数の第２単位スイッチ回路ＵＳＷ２（０）〜ＵＳＷ２（ｐ）により構成されている。第２単位ロジック回路ＵＬＧ２（０）〜ＵＬＧ２（ｐ）は、互いに同じ構成にされており、第２単位スイッチ回路ＵＳＷ２（０）〜ＵＳＷ２（ｐ）も、互いに同じ構成にされている。
【０１２２】
第２単位スイッチ回路ＵＳＷ２（０）〜ＵＳＷ２（ｐ）のそれぞれは、対応する共通電極が同じ第２単位ロジック回路ＵＬＧ２（０）〜ＵＬＧ２（ｐ）によって制御される。そのため、対応する共通電極が同じ第２単位ロジック回路と第２単位スイッチ回路とによって、第２単位駆動電極ドライバが構成されていると見なすことができる。このように見なした場合、第２単位ロジック回路ＵＬＧ２（０）〜ＵＬＧ２（ｐ）と第２単位スイッチ回路ＵＳＷ２（０）〜ＵＳＷ２（ｐ）によって、第２単位駆動電極ドライバＵＤＧ２（０）〜ＵＤＧ２（ｐ）が構成され、これらの第２単位駆動電極ドライバＵＤＧ２（０）〜ＵＤＧ２（ｐ）によって、第２駆動電極ドライバ１２−Ｕが構成されていることになる。また、この場合には、各第２単位駆動電極ドライバＵＤＧ２（０）〜ＵＤＧ２（ｐ）が、各共通電極ＴＬ（０）〜ＴＬ（ｐ）に対応することになる。例えば、第２単位駆動電極ドライバＵＤＧ２（０）は、共通電極ＴＬ（０）に対応し、第２単位駆動電極ドライバＵＤＧ２（ｎ）は、共通電極ＴＬ（ｎ）に対応し、第２単位駆動電極ドライバＵＤＧ２（ｐ）は、共通電極ＴＬ（ｐ）に対応する。
【０１２３】
第２単位スイッチ回路ＵＳＷ２（０）〜ＵＳＷ２（ｐ）のそれぞれは、第１〜第３電圧配線５０２，５０３ａ、５０４と、対応する共通電極ＴＬ（０）〜ＴＬ（ｐ）に接続されており、対応する第２単位ロジック回路ＵＬＧ２（０）〜ＵＬＧ２（ｐ）の制御により、タッチ検出期間において、対応する共通電極ＴＬ（０）〜ＴＬ（ｐ）を第１または第２電圧配線５０２、５０３ａに接続する。
【０１２４】
第２単位駆動電極ドライバＵＤＧ２（０）〜ＵＤＧ２（ｐ）内の第２単位ロジック回路ＵＬＧ２（０）〜ＵＬＧ２（ｐ）は、タッチ検出期間において、同じ共通電極に対応した第１単位駆動電極ドライバＵＤＧ１（０）〜ＵＤＧ１（ｐ）からの駆動信号を、選択信号として受け、対応する第２単位スイッチ回路ＵＳＷ２（０）〜ＵＳＷ２（ｐ）を制御する。この場合、対応する共通電極上に配置された信号線（例えば、ＳＬ（０）〜（Ｒ）、ＳＬ（０）〜（Ｂ））を介して、駆動信号が、第１単位駆動電極ドライバＵＤＧ１（０）〜ＵＤＧ１（ｐ）から第２単位ロジック回路ＵＬＧ２（０）〜ＵＬＧ２（ｐ）へ、選択信号として供給される。なお、この信号線は、表示期間においては、画像信号を伝達する信号線である。
【０１２５】
第２駆動電極ドライバ１２−Ｕ内の第２単位スイッチ回路ＵＳＷ２（０）〜ＵＳＷ２（ｐ）に接続された第１〜第３電圧配線５０２、５０３ａ、５０４は、図５に示したように、領域５０１の長辺５０１―Ｌ、５０１−Ｒとモジュール５００の長辺との間の領域を延在している電圧配線によって、第１単位スイッチ回路ＵＳＷ１（０）〜ＵＳＷ１（ｐ）に接続されている第１〜第３電圧配線５０２、５０３ａ、５０４と電気的に接続されている。
【０１２６】
＜第１駆動電極ドライバ１２の構成＞
図８は、この実施の形態に係わる第１駆動電極ドライバ１２（第１駆動回路）の構成を示す回路図である。駆動電極ドライバ１２は、先に述べたように、互いに同じ構成の複数の第１単位駆動電極ドライバＵＤＧ１（０）〜ＵＤＧ１（ｐ）により構成されている。そのため、図８には、第１単位駆動電極ドライバＵＤＧ１（ｎ）の構成のみが示されている。また、図８には、信号線ＳＬ（破線）、単位信号線セレクタ６（ｎ）および単位駆動電極スイッチＬＳＳ（ｎ）も示されている。第１単位駆動電極ドライバＵＤＧ１（ｎ）の構成を説明する前に、単位信号線セレクタ６（ｎ）および単位駆動電極スイッチＬＳＳ（ｎ）の構成を説明しておく。
【０１２７】
図８においては、図面が複雑になるのを避けるために、共通電極ＴＬ（ｎ）に対応する端子群（ＳＰ１１〜ＳＰ１６）のうち端子ＳＰ１１〜ＳＰ１４が示されている。これに合わせて、単位駆動電極スイッチＬＳＳ（ｎ）は、端子ＳＰ１１〜ＳＰ１４に関する構成のみが示されている。また、同様に、単位信号線セレクタ６（ｎ）も、端子ＳＰ１１〜ＳＰ１４に関する構成のみが示されている。
【０１２８】
さらに、単位信号線セレクタ６（ｎ）については、説明を容易にするために、端子ＳＰ１１〜ＳＰ１４のそれぞれに対して１本の信号線ＳＬ（ｉ）が破線で示され、破線で示した信号線ＳＬ（ｉ）と端子ＳＰ１１〜ＳＰ１４との間に設けられたスイッチＳ１、Ｓ２のみが示されている。スイッチＳ１、Ｓ２は、選択信号ＳＥＬ１、ＳＥＬ２によりスイッチ制御される。スイッチＳ１とＳ２は、表示期間においては、選択信号ＳＥＬ１，ＳＥＬ２によって、相補的にオン状態とされる。選択信号ＳＥＬ１、ＳＥＬ２によってスイッチＳ１またはＳ２がオン状態にされているとき、ドライバ用半導体装置ＤＤＩＣからの画像信号が、信号線ＳＬ（ｉ）に伝達され、表示される。一方、特に制限されないが、タッチ検出期間においては、スイッチＳ１とＳ２とがともにオン状態となるように、制御信号ＳＥＬ１、ＳＥＬ２により制御される。
【０１２９】
単位駆動電極スイッチＬＳＳ（ｎ）は、１個の共通端子Ｃと２個の端子Ｐ１、Ｐ２とを有し、制御信号ＶＣＯＭＳＥＬにより制御されるスイッチＳ３を複数個有している。スイッチＳ３の個数は、端子群（ＳＰ１１〜ＳＰ１６）内の端子の個数と同じである。図８では、端子群（ＳＰ１１〜ＳＰ１６）のうち端子ＳＰ１１〜ＳＰ１４までの４個が示されているため、４個のスイッチＳ３によって、単位駆動電極スイッチＬＳＳ（ｎ）が構成されている。スイッチＳ３のそれぞれの共通端子Ｃは、対応する共通電極ＴＬ（ｎ）に接続され、スイッチＳ３のそれぞれの端子Ｐ１は、第４電圧配線５０３ｂに接続され、端子Ｐ２は、端子ＳＰ１１〜ＳＰ１４に接続されている。制御信号ＶＣＯＭＳＥＬは、タッチ検出期間において、ハイレベルとなる。このハイレベルにより、スイッチＳ３は、それぞれの共通端子Ｃを、端子Ｐ２へ接続する。これにより、タッチ検出期間においては、スイッチＳ３を介して、対応する共通電極ＴＬ（ｎ）は、端子ＳＰ１１〜ＳＰ１４に電気的に接続される。一方、表示期間においては、制御信号ＶＣＯＭＳＥＬがロウレベルとなる。これにより、スイッチＳ３の共通端子Ｃは端子Ｐ１に接続される。これにより、対応する共通電極ＴＬ（ｎ）は、スイッチＳ３を介して、第４電圧配線５０３ｂに電気的に接続される。
【０１３０】
次に、第１単位駆動電極ドライバＵＤＧ１（ｎ）の構成を説明する。先に述べたように、第１単位駆動電極ドライバＵＤＧ１（ｎ）は、第１単位スイッチ回路ＵＳＷ１（ｎ）および第１単位ロジック回路ＵＬＧ１（ｎ）により構成されている。第１単位スイッチ回路ＵＳＷ１（ｎ）は、端子群（ＳＰ１１〜ＳＰ１６）のうち、対応する端子と第１電圧配線５０２との間に接続された複数の第１スイッチと、端子群（ＳＰ１１〜ＳＰ１６）のうち、対応する端子と第２電圧配線５０３ａとの間に接続された複数の第２スイッチと、端子群（ＳＰ１１〜ＳＰ１６）のうち、対応する端子と第３電圧配線５０４との間に接続された複数の第３スイッチとを備えている。
【０１３１】
図８には、複数の第１スイッチのうち、端子ＳＰ１１〜ＳＰ１４と第１電圧配線５０２との間に接続された第１スイッチＳ１０〜Ｓ１３が示されている。これらの第１スイッチＳ１０〜Ｓ１３は、第１単位ロジック回路ＵＬＧ１（ｎ）からの第１スイッチ制御信号ＳＷ１Ｃにより、スイッチ制御される。また、図８には、複数の第２スイッチのうち、端子ＳＰ１１〜ＳＰ１４と第２電圧配線５０３ａとの間に接続された第２スイッチＳ２０〜Ｓ２３が示されている。これらの第２スイッチＳ２０〜Ｓ２３は、第１単位ロジック回路ＵＬＧ１（ｎ）からの第２スイッチ制御信号ＳＷ２Ｃにより、スイッチ制御される。同様に、図８には、複数の第３スイッチのうち、端子ＳＰ１１〜ＳＰ１４と第３電圧配線５０４との間に接続された第３スイッチＳ３０〜Ｓ３３が示されている。これらの第３スイッチＳ３０〜Ｓ３３は、第１単位ロジック回路ＵＬＧ１（ｎ）からの第３スイッチ制御信号ＳＷ３Ｃにより、スイッチ制御される。
【０１３２】
特に制限されないが、第１スイッチＳ１０〜Ｓ１３、第２スイッチＳ２０〜Ｓ２３および第３スイッチＳ３０〜Ｓ３３は、第１スイッチ制御信号ＳＷ１Ｃ、第２スイッチ制御信号ＳＷ２Ｃおよび第３スイッチ制御信号ＳＷ３Ｃが、ハイレベル（論理値“１”）となることにより、オン（導通状態）し、ロウレベル（論理値“０”）となることにより、オフ（非導通状態）となる。
【０１３３】
端子群（ＳＰ１１〜ＳＰ１６）のうち、端子ＳＰ１１を例にすると、端子ＳＰ１１と第１電圧配線５０２との間に、第１スイッチ制御信号ＳＷ１Ｃによりスイッチ制御される第１スイッチＳ１０が接続され、端子ＳＰ１１と第２電圧配線５０３ａとの間に、第２スイッチ制御信号ＳＷ２Ｃによりスイッチ制御される第２スイッチＳ２０が接続され、端子ＳＰ１１と第３電圧配線５０４との間に、第３スイッチ制御信号ＳＷ３Ｃによりスイッチ制御される第３スイッチＳ３０が接続されている。残りの端子ＳＰ１２〜ＳＰ１６についても、同様に、それぞれの端子ＳＰは、第１スイッチを介して、第１電圧配線５０２に接続され、第２スイッチを介して、第２電圧配線５０３ａに接続され、第３スイッチを介して、第３電圧配線５０４に接続されている。
【０１３４】
第１単位ロジック回路ＵＬＧ１（ｎ）は、バッファ回路ＢＦ１と、２入力ノア（ＮＯＲ）回路ＮＲ１、ＮＲ２、２入力アンド回路ＡＮＤ１およびリセット端子を有するフリップフロップ回路ＦＦ１とを備えている。ここで、フリップフロップ回路ＦＦ１は、リセット端子を有するＤ型フリップフロップ回路であり、リセット端子ｒｓｔと、クロック端子ｃｋと、データ入力端子Ｄとデータ出力端子Ｑ、／Ｑとを有している。データ出力端子／Ｑは、データ出力端子Ｑから出力される出力信号に対して位相反転された出力信号を出力する出力端子を意味している。
【０１３５】
リセット端子ｒｓｔを有するＤ型フリップフロップ回路ＦＦ１は、そのリセット端子ｒｓｔにロウレベルの信号を供給することにより、リセットされ、データ出力端子Ｑからはロウレベルを出力し、データ出力端子／Ｑからはハイレベルを出力する。一方、リセット端子ｒｓｔにハイレベルの信号が供給されているときに、クロック信号ｃｋの電圧が立ち上がると、データ入力端子Ｄに供給されている入力信号を取り込み、データ入力端子Ｄに供給されている入力信号の論理値と同じ論理値の信号を、データ出力端子Ｑから出力信号として出力する。このとき、データ出力端子／Ｑからは、データ出力端子Ｑから出力されている出力信号の論理値に対して反転された論理値の信号が出力信号として出力される。クロック信号ｃｋの電圧値が維持されているとき、および立ち下がるときには、リセット端子ｒｓｔを有するＤ型フリップフロップ回路ＦＦ１は、取り込んだ入力信号を保持し、取り込んだ入力信号に対応した出力信号をデータ出力端子Ｑ、／Ｑから出力し続ける。
【０１３６】
あとで述べる複数の実施の形態において用いられているフリップフロップ回路は、全てここで述べたリセット端子ｒｓｔを有するＤ型フリップフロップ回路である。なお、この実施の形態においては、フリップフロップ回路ＦＦのデータ出力端子／Ｑは用いられていないため、図示されていない。
【０１３７】
第１単位ロジック回路ＵＬＧ１（ｎ）には、タッチ検出期間において、タッチ用半導体装置７から、共通電極ＴＬ（ｎ）に対応した選択信号ＴＰ（ｎ）が供給される。選択信号ＴＰ（ｎ）は、バッファ回路ＢＦ１に供給され、バッファ回ＢＦ１は、選択信号ＴＰ（ｎ）を第１スイッチ制御信号ＳＷ１Ｃとして、第１単位スイッチ回路ＵＳＷ１（ｎ）へ供給する、また、選択信号ＴＰ（ｎ）は、２入力ノア回路ＮＯＲ１の一方の入力と、フリップフロップ回路ＦＦ１のクロック端子ｃｋに供給されている。フリップフロップ回路ＦＦ１のリセット端子ｒｓｔおよびデータ入力端子Ｄには、制御信号ＶＣＯＭＳＥＬか供給され、制御信号ＶＣＯＭＳＥＬに対して位相反転された制御信号ｘＶＣＯＭＳＥＬは、２入力ノア回路ＮＲ２の一方の入力に供給されている。フリップフロップ回路ＦＦ１のデータ出力端子Ｑは、２入力ノア回路ＮＲ２の他方の入力に接続されている。
【０１３８】
また、２入力ノア回路ＮＲ２の出力は、第３スイッチ制御信号ＳＷ３Ｃとして、第１単位スイッチ回路ＵＳＷ１（ｎ）に供給される。さらに、２入力ノア回路ＮＲ１の他方の入力には、２入力ノア回路ＮＲ２の出力が供給され、２入力ノア回路ＮＲ１の出力と、制御信号ＶＣＯＭＳＥＬとが、２入力アンド回路ＡＮＤ１に入力され、２入力アンド回路ＡＮＤ１の出力が、第２スイッチ制御信号ＳＷ２Ｃとして、第１単位スイッチ回路ＵＳＷ１（ｎ）へ供給される。
【０１３９】
制御信号ＶＣＯＭＳＥＬは、表示期間においてはロウレベルとなり、表示期間においてはハイレベルとなる。フリップフロップ回路ＦＦ１のリセット端子ｒｓｔに制御信号ＶＣＯＭＳＥＬが供給されているため、フリップフロップ回路ＦＦ１は、表示期間においてはリセットされ、データ出力端子Ｑからはロウレベル（論理値“０”）の信号が出力される。一方、制御信号ｘＶＣＯＭＳＥＬは、制御信号ＶＣＯＭＳＥＬに対して位相反転された信号であるため、表示期間において、ハイレベル（論理値“１”）となり、タッチ検出期間において、ロウレベル（論理値“０”）となる。これにより、表示期間においては、２入力ノア回路ＮＲ２から出力される第３スイッチ制御信号ＳＷ１Ｃはロウレベルとなる。
【０１４０】
また、選択信号ＴＰ（ｎ）は、表示期間においては、ロウレベル（論理値“０”）となり、タッチ検出期間においては、この選択信号ＴＰ（ｎ）に対応する共通電極ＴＬ（ｎ）を選択共通電極として指定する場合には、ハイレベルとロウレベルとの間で電圧が周期的に変化し、対応する共通電極ＴＬ（ｎ）を非選択共通電極として指定する場合には、ロウレベルとなる。
【０１４１】
先ず、表示期間においては、選択信号ＴＰ（ｎ）がロウレベルとなることにより、バッファ回路ＢＦ１は、ロウレベルの第１スイッチ制御信号ＳＷ１Ｃを出力する。また、表示期間においては、第３スイッチ制御信号ＳＷ３Ｃも、先に述べたように、ロウレベルとなる。これにより、２入力ノア回路ＮＲ１は、表示期間において、両方の入力にロウレベルが供給されるため、ハイレベルを出力する。しかしながら、表示期間においては、制御信号ＶＣＯＭＳＥＬがロウレベルであるため、２入力アンド回路ＡＮＤ１の出力信号である第２スイッチ制御信号ＳＷ２Ｃはロウレベルとなる。従って、表示期間においては、それぞれロウレベルの第１〜第３スイッチ制御信号ＳＷ１Ｃ〜ＳＷ３Ｃが、第１単位ロジック回路ＵＬＧ１（ｎ）から、対応する第１単位スイッチ回路ＵＳＷ１（ｎ）へ供給されることになる。
【０１４２】
そのため、表示期間において、対応する第１単位スイッチ回路ＵＳＷ１（ｎ）における第１スイッチ（図８では、Ｓ１０〜Ｓ１３）、第２スイッチ（図８では、Ｓ２０〜Ｓ２３）および第３スイッチ（図８では、Ｓ３０〜Ｓ３３）はオフ状態となる。その結果、表示期間においては、端子群（ＳＰ１１〜ＳＰ１６）のそれぞれは、第１〜第３電圧配線５０２、５０３ａ、５０４から電気的に分離される。表示期間においては、ドライバ用半導体装置ＤＤＩＣから画像信号が、端子群（ＳＰ１１〜ＳＰ１６）へ供給され、単位信号線セレクタ６（ｎ）によって、破線で示したような適切な信号線に伝達される。表示期間において、単位駆動電極スイッチＬＳＳ（ｎ）における複数のスイッチＳ３の共通端子Ｃは、端子Ｐ１に接続される。そのため、表示期間において、対応する共通電極ＴＬ（ｎ）は、第４電圧配線５０３ｂに接続される。これにより、表示期間においては、共通電極を用いて液晶表示素子に、表示のための駆動電圧、すなわち第４電圧ＶＣＯＭＤＣ１ｂが供給されることになる。
【０１４３】
タッチ検出期間になると、制御信号ＶＣＯＭＳＥＬの電圧は、ロウレベルからハイレベルへ変化する。これにより、フリップフロップ回路ＦＦ１のリセット端子ｒｓｔの電圧が、ハイレベルとなることにより、フリップフロップ回路ＦＦ１のリセットが解除される。タッチ検出期間において、選択共通電極に対応する選択信号は、その電圧が周期的に変化する信号とされ、非選択共通電極に対応する選択信号は、ロウレベルにされる。
【０１４４】
図８に示した共通電極ＴＬ（ｎ）を選択共通電極とする場合、タッチ用半導体装置７は、タッチ検出期間において、共通電極ＴＬ（ｎ）に対応する選択信号ＴＰ（ｎ）の電圧を周期的に変化させる。リセットを解除された後で、フリップフロップ回路ＦＦ１は、選択信号ＴＰ（ｎ）の電圧が立ち上がることにより、制御信号ＶＣＯＭＳＥＬの電圧に応じた論理値を取り込む。このときの制御信号ＶＣＯＭＳＥＬの電圧は、ハイレベルであるため、ハイレベルに相当する論理値“１”を取り込み、保持するとともに、データ出力端子Ｑから、論理値“１”に対応するハイレベルの信号を出力する。これにより、２入力ノア回路ＮＲ２から出力される第３スイッチ制御信号ＳＷ３Ｃの電圧はロウレベルとなる。また、バッファ回路ＢＦ１は、選択信号ＴＰ（ｎ）と同相の信号を第１スイッチ制御信号ＳＷ１Ｃとして出力する。
【０１４５】
一方、２入力ノア回路ＮＲ１は、第３スイッチ制御信号ＳＷ２Ｃがロウレベルとなることにより、選択信号ＴＰ（ｎ）を位相反転するインバータ回路として機能することになる。そのため、２入力ノア回路ＮＲ２からは、選択信号ＴＰ（ｎ）に対して位相反転された信号が、出力される。２入力アンド回路ＡＮＤ１は、制御信号ＶＣＯＭＳＥＬがハイレベルで有るため、２入力ノア回路ＮＲ２から出力されている信号を、第２スイッチ制御信号ＳＷ２Ｃとして出力する。タッチ検出期間においては、ハイレベルの制御信号ＶＣＯＭＳＥＬにより、単位駆動電極スイッチＬＳＳ（ｎ）を構成するスイッチＳ３の共通端子Ｃが、端子Ｐ２に接続されているため、端子群（ＳＰ１１〜ＳＰ１６）は、対応する共通電極ＴＬ（ｎ）に電気的に接続されている。
【０１４６】
第１単位ロジック回路ＵＬＧ１（ｎ）は、選択信号ＴＰ（ｎ）と同期した第１スイッチ制御信号ＳＷ１Ｃと選択信号ＴＰ（ｎ）に対して位相反転された第２スイッチ制御信号ＳＷ２Ｃを出力する。そのため、第１単位ロジック回路ＵＬＧ１（ｎ）に対応した第１単位スイッチ回路ＵＳＷ１（ｎ）は、第１スイッチ制御信号ＳＷ１Ｃおよび第２スイッチ制御信号ＳＷ２Ｃに従って、第１スイッチＳ１０〜Ｓ１３と第２スイッチＳ２０〜Ｓ２３を交互にオン状態にする。その結果、タッチ検出期間において、共通電極ＴＬ（ｎ）は、第１電圧配線５０２と第２電圧配線５０３ａとに交互に電気的に接続される。すなわち、タッチ検出期間において、選択共通電極として指定された共通電極ＴＬ（ｎ）の電圧は、第１電圧配線５０２における第１電圧ＴＰＨと第２電圧配線５０３ａにおける第２電圧ＶＣＯＭＤＣ１との間で周期的に変化することになる。
【０１４７】
一方、タッチ検出期間において、選択信号ＴＰ（ｎ）が、共通電極ＴＬ（ｎ）を非選択共通電極として指定している場合には、タッチ検出期間において、選択信号ＴＰ（ｎ）はロウレベルを維持する。そのため、フリップフロップＦＦ１は、リセットが解除されたときの状態を維持し、フリップフロップ回路ＦＦ１は、データ出力端子Ｑからロウレベルの信号を出力する。タッチ検出期間においては、制御信号ｘＶＣＯＭＳＥＬはロウレベルとなるため、２入力ノア回路ＮＲ２は、ハイレベルの第３スイッチ制御信号ＳＷ３Ｃを出力する。このハイレベルの第３スイッチ制御信号ＳＷ３Ｃにより、２入力ノア回路ＮＲ１は、ロウレベルを出力し、２入力アンド回路ＡＮＤから出力される第２スイッチ制御信号ＳＷ２Ｃもロウレベルとなる。また、バッファ回路ＢＦ１は、ロウレベルの選択信号ＴＰ（ｎ）に応じて、ロウレベルの第１スイッチ制御信号ＳＷ１Ｃを出力する。
【０１４８】
この結果、タッチ検出期間において、対応する共通電極ＴＬ（ｎ）を非選択共通電極とする選択信号ＴＰ（ｎ）を受信した場合、第１単位ロジック回路ＵＬＧ１（ｎ）は、対応する第１単位スイッチ回路ＵＳＷ１（ｎ）における第３スイッチＳ３０〜Ｓ３３がオン状態となるように制御し、第１スイッチＳ１０〜Ｓ１３がオフ状態となるように制御し、第２スイッチＳ２０〜Ｓ２３もオフ状態となるように制御する。そのため、非選択共通電極として指定された共通電極ＴＬ（ｎ）は、第３スイッチＳ３０〜Ｓ３３を介して、第３電圧配線５０４に電気的に接続されることになる。
【０１４９】
図８に示していない他の第１単位駆動電極ドライバＵＤＧ１（０）〜ＵＤＧ（ｎ−１）、ＵＤＧ（ｎ＋１）〜ＵＤＧ（ｐ）も同様に動作する。これにより、駆動電極ドライバ１２は、タッチ検出期間のとき、選択共通電極として指定された共通電極を第１電圧配線５０２と第２電圧配線５０３ａとに交互に電気的に接続し、非選択共通電極として指定された共通電極を、第２電圧配線５０３ａの代わりに第３電圧配線５０４に電気的に接続する。すなわち、タッチ検出期間において、選択共通電極が接続される電圧配線と、非選択共通電極が接続される電圧配線とが分けられる。
【０１５０】
この実施の形態１においては、第２電圧配線５０３ａと第３電圧配線５０４との接続ノードｎＬにローパスフィルタ５０６（図５）が接続されているため、電圧的には、第２電圧配線５０３ａと第３電圧配線５０４は同じ電圧値を有するが、第３電圧配線５０４あるいは第２電圧配線における急峻な電圧変化は、第２電圧配線５０３ａあるいは第３電圧配線５０４へ減衰して伝達される。これにより、図１８および図１９において説明した選択共通電極の電圧を立ち上げる際に生じる非選択共通電極による第３電圧配線５０４の電圧変動は、減衰して第２電圧配線５０３ａへ伝達されることになり、選択共通電極および検出電極の電圧の立ち上がりが遅くなるのを低減することが可能となる。また、選択共通電極の電圧を立ち下げるときにも、非選択共通電極が接続されている第３電圧配線５０４を、第３電圧（第２電圧）へ充電する量を低減することが可能となる。その結果、選択共通電極の電圧を立ち下げるときの時間が長くなるのを抑制することが可能となる。
【０１５１】
さらに、タッチ検出期間において、非選択共通電極は、第３電圧配線５０４に接続されているため、図２１において説明したように、誤検出が発生するのを低減する、あるいは検出を早くすることが可能となる。また、第３電圧配線５０４は、非選択共通電極の電圧を固定することができればよいため、この実施の形態１のように、第１および第２電圧配線５０２、５０３ａに比べて、その線幅を細くすることが可能であるため、額縁が大きくなるのを抑制することが可能となる。
【０１５２】
＜液晶表示装置の動作＞
図９（Ａ）〜（Ｇ）は、この実施の形態に係わる液晶表示装置１の動作を示す波形図である。図９において、横軸は時間を示し、縦軸は電圧を示している。また、説明を容易にするために、図９では、タッチ検出期間における共通電極ＴＬ（ｎ）に関する波形のみが示されている。図９において、タッチ検出期間（選択）は、共通電極ＴＬ（ｎ）が選択共通電極として指定されているときの波形を示しており、タッチ検出期間（非選択）は、共通電極ＴＬ（ｎ）は非選択共通電極として指定されているときの波形を示している。また、信号線プリチャージ期間は、タッチ検出期間のあと、信号線ＳＬ（０）〜ＳＬ（ｐ）をプリチャージし、次の表示期間に備える動作が行われている期間を示している。表示期間は、信号線ＳＬ（０）〜ＳＬ（ｐ）に画像信号を供給し、走査線ＧＬ（０）〜ＧＬ（ｐ）に順次走査電圧を供給することにより、表示を行っている期間を示している。
【０１５３】
図９（Ａ）は、選択信号ＳＥ１の電圧波形を示している。選択信号ＳＥＬ２は、図９には示されていないが、表示期間においては、選択信号ＳＥＬ１とＳＥＬ２は、交互にハイレベルとなる。これにより、表示期間においては、ドライバ用半導体装置ＤＤＩＣからの画像信号が、適切な信号線へ供給される。一方、タッチ検出期間においては、選択信号ＳＥＬ１およびＳＥＬ２の両方がハイレベルにされる。
【０１５４】
図９（Ｂ）には、制御信号ＶＣＯＭＳＥＬの波形が示されている。制御信号ＶＣＯＭＳＥＬは、表示期間ではロウレベルとなり、タッチ検出期間においてはハイレベルとなる。特に制限されないが、制御信号ＶＣＯＭＳＥＬは、図１に示した駆動信号形成部１７により形成される。また特に制限されないが、駆動信号形成部１７が、選択信号ＴＰ（０）〜ＴＰ（ｐ）を形成する。図９（Ｃ）に、駆動信号形成部１７により形成された選択信号ＴＰ（ｎ）の波形が、示されている。
【０１５５】
駆動信号形成部１７は、制御部１８からの制御に基づいて、選択共通電極として指定する共通電極に対応した選択信号を周期的に変化させ、非選択共通電極として指定する共通電極に対応した選択信号をロウレベルにする。ここでは、共通電極ＴＬ（ｎ）を例にしているため、駆動信号形成部１７は、駆動電極ＴＬ（ｎ）に対応する選択信号ＴＰ（ｎ）を、タッチ検出期間（選択）においては、周期的に変化させている。また、タッチ検出期間（非選択）においては、選択信号ＴＰ（ｎ）をロウレベルにしている。
【０１５６】
なお、制御信号ｘＶＣＯＭＳＥＬは、制御信号ＶＣＯＭＳＥＬが位相反転された信号であるため、表示期間において、ハイレベルとなり、タッチ検出期間において、ロウレベルとなる。
【０１５７】
先ず、タッチ検出期間（選択）における動作について述べる。選択信号ＳＥＬ１およびＳＥＬ２がともにハイレベルとなり、制御信号ＶＣＯＭＳＥＬもハイレベルとなる。これにより、図８に示したスイッチＳ１、Ｓ２がオン状態となり、スイッチＳ３の共通端子Ｃが、端子Ｐ２へ接続される。その結果、端子群（ＳＰ１１〜ＳＰ１４：図８）が、共通電極ＴＬ（ｎ）に電気的に接続される。
【０１５８】
タッチ検出期間（選択）において、制御信号ＶＣＯＭＳＥＬが、ロウレベルからハイレベルへ変化すると、フリップフロップ回路ＦＦ１（図８）のリセットが解除される。リセットが解除されたあとで、選択信号ＴＰ（ｎ）がロウレベルからハイレベルへ変化すると、フリップフロップ回路ＦＦ１は、制御信号ＶＣＯＭＳＥＬのハイレベルに対応する論理値“１”を取り込み、保持する。これにより、図９（Ｄ）に示すように、フリップフロップ回路ＦＦ１のデータ出力端子Ｑにおける電圧は、取り込んだ論理値“１”に対応するハイレベルとなる。
【０１５９】
フリップフロップ回路ＦＦ１のデータ出力端子Ｑにおける電圧が、ハイレベルとなることにより、図８において説明したように、第１単位ロジック回路ＵＬＧ１（ｎ）は、ロウレベルの第３スイッチ制御信号ＳＷ３Ｃを出力する（図９（Ｅ）。また、第１単位ロジック回路ＵＬＧ１（ｎ）は、選択信号ＴＰ（ｎ）に基づいて、選択信号ＴＰ（ｎ）と同相の第１スイッチ制御信号ＳＷ１Ｃと選択信号ＴＰ（ｎ）に対して位相反転された第２スイッチ制御信号ＳＷ２Ｃを出力する（図９（Ｆ）、図９（Ｇ））。これにより、第１単位スイッチ回路ＵＳＷ１（ｎ）は、選択共通電極として指定された共通電極ＴＬ（ｎ）を第１電圧配線５０２と第２電圧配線５０３ａとに交互に電気的に接続する。すなわち、第１単位駆動電極ドライバＵＤＧ１（ｎ）が、それに対応した共通電極ＴＬ（ｎ）を、第１電圧配線５０２と第２電圧配線５０３ａとに交互に電気的に接続する。
【０１６０】
このとき、駆動信号形成部１７は、他の第１単位駆動電極ドライバＵＤＧ１（０）〜ＵＤＧ１（ｎ−１）およびＵＤＧ（ｎ＋１）〜ＵＤＧ１（ｐ）に対して、例えば、非選択共通電極を指定する選択信号ＴＰ（０）〜ＴＰ（ｎ−１）およびＴＰ（ｎ＋１）〜ＴＰ（ｐ）を供給する。これにより、他の第１単位駆動電極ドライバＵＤＧ１（０）〜ＵＤＧ１（ｎ−１）およびＵＤＧ（ｎ＋１）〜ＵＤＧ１（ｐ）のそれぞれにおける第１単位ロジック回路ＵＬＧ１（０）〜ＵＬＧ１（ｎ−１）およびＵＬＧ（ｎ＋１）〜ＵＬＧ１（ｐ）においては、フリップフロップ回路ＦＦ１のクロック端子ｃｋの電圧が変化しないため、フリップフロップ回路ＦＦ１のデータ出力端子Ｑの電圧は、リセット解除のときの電圧が維持される。すなわち、第１単位ロジック回路ＵＬＧ１（０）〜ＵＬＧ１（ｎ−１）およびＵＬＧ（ｎ＋１）〜ＵＬＧ（ｐ）におけるフリップフロップ回路ＦＦ１のデータ出力端子Ｑの電圧は、ロウレベルとなる。
【０１６１】
そのため、第１単位ロジック回路ＵＬＧ１（０）〜ＵＬＧ１（ｎ−１）およびＵＬＧ（ｎ＋１）〜ＵＬＧ（ｐ）は、対応する第１単位スイッチ回路ＵＳＷ１（０）〜ＵＳＷ１（ｎ−１）およびＵＳＷ１（ｎ＋１）〜ＵＳＷ１（ｐ）に対して、第３スイッチＳ３０〜Ｓ３３をオン状態にするようなハイレベルの第３スイッチ制御信号ＳＷ３Ｃと、第１スイッチＳ１０〜Ｓ１３および第２スイッチＳ２０〜Ｓ２３をそれぞれオフ状態にするようなロウレベルの第１スイッチ制御信号ＳＷ１Ｃおよび第２スイッチ制御信号ＳＷ２Ｃを出力する。これにより、第１単位スイッチ回路ＵＳＷ１（０）〜ＵＳＷ１（ｎ−１）およびＵＳＷ１（ｎ＋１）〜ＵＳＷ１（ｐ）のそれぞれは、対応する共通電極ＴＬ（０）〜ＴＬ（ｎ−１）およびＴＬ（ｎ＋１）〜ＴＬ（ｐ）を、第３電圧配線５０４に電気的に接続する。
【０１６２】
すなわち、駆動電極ドライバ１２は、タッチ検出期間において、選択共通電極として指定される共通電極ＴＬ（ｎ）を、第１電圧配線５０２と第２電圧配線５０３ａとに交互に電気的に接続し、非選択共通電極として指定される共通電極ＴＬ（０）〜ＴＬ（ｎ−１）およびＴＬ（ｎ＋１）〜ＴＬ（ｐ）を、第３電圧配線５０４に電気的に接続する。これにより、選択共通電極として指定される共通電極ＴＬ（ｎ）には、第１電圧ＴＰＨと第２電圧ＶＣＯＭＤＣ１ａが、タッチ検出期間（選択）において、交互に供給され、非選択共通電極として指定される共通電極ＴＬ（０）〜ＴＬ（ｎ−１）およびＴＬ（ｎ＋１）〜ＴＬ（ｐ）のそれぞれには、第３電圧ＶＣＯＭＤＣ２が供給される。この状態で、検出電極ＧＬ（０）〜ＧＬ（ｐ）における信号を判定することにより、選択共通電極ＴＬ（ｎ）の近傍がタッチされているか否かを検出することが可能となる。
【０１６３】
図９において、タッチ検出期間（非選択）では、駆動信号形成部１７は、共通電極ＴＬ（ｎ）を非選択共通電極として指定し、別の共通電極を選択共通電極として指定する。すなわち、タッチ検出期間（非選択）において、駆動信号形成部１７は、共通電極ＴＬ（ｎ）に対応する第１単位駆動電極ドライバＵＤＧ１（ｎ）に対して、図９（Ｃ）に示すようにロウレベル選択信号ＴＰ（ｎ）を供給し、第１単位駆動電極ドライバＵＤＧ１（０）〜ＵＤＧ１（ｎ−１）およびＵＤＧ（ｎ＋１）〜ＵＤＧ１（ｐ）のうちのいずれかに１個に対して、周期的に電圧値が変化する選択信号（例えば、選択信号ＴＰ（ｉ））を供給する。
【０１６４】
第１単位駆動電極ドライバＵＤＧ１（ｎ）におけるフリップフロップ回路ＦＦ１（図８）は、そのクロック端子ｃｋの電圧が変化しないため、リセットが解除されたときのロウレベルの電圧をデータ出力端子Ｑから継続して出力する（図９（Ｄ））。この結果、第１単位駆動電極ドライバＵＤＧ１（ｎ）における第１単位ロジック回路ＵＤＣ１（ｎ）は、図９（Ｅ）〜（Ｇ）に示すように、第３スイッチ制御信号ＳＷ３Ｃをハイベルにし、第１スイッチ制御信号ＳＷ１Ｃおよび第２スイッチ制御信号ＳＷ２Ｃのそれぞれをロウレベルにする。一方、周期的に電圧値が変化する選択信号ＴＰ（ｉ）が供給された第１単位駆動電極ドライバＵＤＧ１（ｉ）においては、先にタッチ検出期間（選択）で述べたのと同様に、第１単位駆動電極ドライバＵＤＧ１（ｉ）におけるフリップフロップ回路ＦＦ１のデータ出力端子Ｑがハイレベルとなり、第３スイッチ制御信号ＳＷ３Ｃはロウレベル、第１スイッチ制御信号ＳＷ１Ｃおよび第２スイッチ制御信号ＳＷ２Ｃのそれぞれは、選択信号ＴＰ（ｉ）の電圧変化に従って変化する。
【０１６５】
フリップフロップ回路ＦＦ１は、タッチ検出期間において、それに供給される選択信号ＴＰ（ｎ）の電圧が立ち上がるか否かにより、対応する共通電極が選択共通電極として指定されているか否かを判定している。すなわち、フリップフロップ回路ＦＦ１は、選択信号ＴＰ（ｎ）に基づいて、対応する共通電極が選択共通電極であるか否かを判定する判定回路と見なすこともできる。
【０１６６】
この実施の形態１においては、タッチ検出期間において、選択共通電極の電圧は、第１単位スイッチ回路ＵＳＷ１（０）〜ＵＳＷ１（ｐ）によって、第１または第２電圧配線５０２、５０３ａから供給される。すなわち、先に述べた（１）ＤＣ駆動である。そのため、選択共通電極の電圧を、例えば０Ｖと５．５Ｖとの間で周期的に変化させる場合であっても。選択共通電極を指定する選択信号の電圧振幅は、例えば０Ｖと１．８Ｖの間でよく、また駆動能力も低くてもよい。これにより、誤検出を抑制しながら、選択信号を供給する信号線の配置の自由度を向上させることが可能であり、液晶表示装置の小型化を図ることが可能となる。また、第３電圧配線５０４は、液晶素子配列ＬＣＤに配置される全ての共通電極に対して１本としてもよいが、複数本の第３電圧配線５０４を設けるようにしてもよい、例えば共通電極が２０〜４０本に対して１本ずつ第３電圧配線５０４を設けるようにしてもよい。
【０１６７】
タッチ検出期間に選択共通電極として指定される共通電極の数に比べて、非選択共通電極として指定される共通電極の数が多いことが予想される。この実施の形態によれば、選択共通電極が、多くの非選択共通電極と同じ電圧配線に接続されないため、選択共通電極あるいは検出電極の電圧の立ち上がりが、遅くなるのを防ぐことが可能となる。また、選択共通電極の電圧の立ち下がりが、遅くなることを防ぐことが可能となる。
【０１６８】
（実施の形態２）
この実施の形態２においては、それぞれの共通電極に対して、２個の駆動電極ドライバが設けられる。図５に示したモジュールを用いて説明すると、この実施の形態２に係わる液晶表示装置は、領域（液晶パネル）５０１の一方の短辺５０１−Ｄに沿って配置された第１駆動電極ドライバ１２と、領域５０１の他方の短辺５０１−Ｕに沿って配置された第２駆動電極ドライバ１２−Ｕとを備えている。すなわち、共通電極ＴＬ（０）〜ＴＬ（ｐ）の延在方向において、領域（液晶パネル）５０１を挟むように、第１および第２駆動電極ドライバ１２、１２−Ｕが配置されている。
【０１６９】
第２駆動電極ドライバ１２−Ｕの概要は、先に図７を用いて説明しているが、第２駆動電極ドライバ１２−Ｕは、第２ロジック回路ＵＳ２と第２スイッチ回路ＳＷ２により構成されている。また、第２ロジック回路ＵＳ２は、共通電極ＴＬ（０）〜ＴＬ（ｐ）のそれぞれに対応した複数の第２単位ロジック回路ＵＬＧ２（０）〜ＵＬＧ２（ｐ）により構成されており、第２スイッチ回路ＳＷ２も、共通電極ＴＬ（０）〜ＴＬ（ｐ）のそれぞれに対応した複数の第２単位スイッチ回路ＵＳＷ２（０）〜ＵＳＷ２（ｐ）により構成されている。ここで、第１駆動電極ドライバ１２は、実施の形態１で述べた駆動電極ドライバ１２と同じである。
【０１７０】
＜第１駆動電極ドライバ１２および第２駆動電極ドライバ１２−Ｕの構成＞
図１０は、実施の形態２に係わる液晶表示装置の構成を示す回路図である。第２単位ロジック回路ＵＬＧ２（０）〜ＵＬＧ２（ｐ）のそれぞれの構成は互いに同じであり、第２単位スイッチ回路ＵＳＷ２（０）〜ＵＳＷ２（ｐ）のそれぞれの構成も互いに同じである。そのため、同図には、図７に示した液晶表示装置のうち、第２単位ロジック回路ＵＬＧ２（ｎ）および第２単位スイッチ回路ＵＳＷ２（ｎ）の構成のみが、代表として示されている。また、同図には、第２単位ロジック回路ＵＬＧ２（ｎ）および第２単位スイッチ回路ＵＳＷ２（ｎ）により構成された第２単位駆動電極ドライバＵＤＧ２（ｎ）に対応した共通電極ＴＬ（ｎ）および共通電極ＴＬ（ｎ）に対応した第１単位駆動電極ドライバＵＤＧ１（ｎ）の構成が示されている。
【０１７１】
図１０において、第１単位駆動電極ドライバＵＤＧ１（ｎ）の構成および動作は、図８および図９で述べた構成および動作と同じであるため、詳細な説明は省略する。共通電極ＴＬ（ｎ）に対応した信号線が、説明を容易にするために、同図においては、ＳＬ（０）〜ＳＬ（３）として示されている。また、図１０に示されている「Ｒ」、「Ｇ」、「Ｂ」のそれぞれは、副画素ＳＰｉｘを示している。表示期間においては、信号線ＳＬ（０）〜ＳＬ（３）に画像信号が供給され、これらの信号線ＳＬ（０）〜ＳＬ（３）に対応する共通電極ＴＬ（ｎ）に、第４電圧ＶＣＯＭＤＣ１ｂが供給される。同図には示されていない走査線に電圧を順次供給することにより、信号線ＳＬ（０）〜ＳＬ（３）における画像信号の電圧と共通電極ＴＬ（ｎ）における第４電圧ＶＣＯＭＤＣ１ｂが、液晶表示素子に印加され、画像信号に従った表示が行われる。
【０１７２】
第２単位スイッチ回路ＵＳＷ２（ｎ）は、第１電圧配線５０２と対応する共通電極ＴＬ（ｎ）との間に並列的に接続された第４スイッチＳ４０〜Ｓ４３と、第２電圧配線５０３ａと対応する共通電極ＴＬ（ｎ）との間に並列的に接続された第５スイッチＳ５０〜Ｓ５３と、第２電圧配線５０３ａと第３電圧配線５０４との間に並列的に接続された複数の第６スイッチＳ６０〜Ｓ６３とを備えている。ここで、第４スイッチＳ４０〜Ｓ４３は、対応する第２単位ロジック回路ＵＬＧ２（ｎ）からの第４スイッチ制御信号ＳＷ４Ｃの電圧に従って、スイッチ制御され、第５スイッチＳ５０〜Ｓ５３は、対応する第２単位ロジック回路ＵＬＧ２（ｎ）からの第５スイッチ制御信号ＳＷ５Ｃの電圧に従って、スイッチ制御される。同様に、第６スイッチＳ６０〜Ｓ６３は、対応する第２単位ロジック回路ＵＬＧ２（ｎ）からの第６スイッチ制御信号ＳＷ６Ｃの電圧に従って、スイッチ制御される。
【０１７３】
この実施の形態においては、第４スイッチ制御信号ＳＷ４Ｃがハイレベルのとき、第４スイッチＳ４０〜Ｓ４３はオンし、ロウレベルのとき、オフする。また、第５スイッチ制御信号ＳＷ５Ｃがハイレベルのとき、第５スイッチＳ５０〜Ｓ６５はオンし、ロウレベルのとき、オフする。同様に、スイッチ制御信号ＳＷ６Ｃがハイレベルのとき、第６スイッチＳ６０〜Ｓ６３はオンし、ロウレベルのとき、オフする。
【０１７４】
第２単位ロジック回路ＵＬＧ２（ｎ）は、特に制限されないが、スイッチ回路ＵＬＧ２Ｓ（ｎ）とロジック回路ＵＬＧ２Ｃ（ｎ）とを備えている。ロジック回路ＵＬＧ２Ｃ（ｎ）は、スイッチ回路ＵＬＧ２Ｓ（ｎ）および信号線ＳＬ（０）〜ＳＬ（３）を介して、対応する第１駆動電極ドライバＵＤＧ１（ｎ）から選択信号を受け、第４〜第６スイッチ制御信号ＳＷ４Ｃ〜ＳＷ６Ｃを形成し、第２単位スイッチ回路ＵＳＷ２（ｎ）へ供給する。
【０１７５】
スイッチ回路ＵＬＧ２Ｓ（ｎ）は、対応する信号線ＳＬ（０）〜ＳＬ（３）とノードｎＳとの間に並列的に接続された複数の第７スイッチＳ４を備えている。第７スイッチＳ４のそれぞれは、共通端子Ｃと１対の端子Ｐ１、Ｐ２を有しており、制御信号ＶＣＯＭＳＥＬの電圧に従って、共通端子Ｃを端子Ｐ１またはＰ２へ接続するように、スイッチ制御される。複数の第７スイッチＳ４の共通端子Ｃは、ノードｎＳに接続され、端子Ｐ１には、所定の電圧ＴＰＬが供給され、端子Ｐ２は対応する信号線ＳＬ（０）〜ＳＬ（３）に接続されている。この実施の形態においては、制御信号ＶＣＯＭＳＥＬが、ハイレベルのとき、それぞれの第７スイッチＳ４は、共通端子Ｃを端子Ｐ２へ接続する。一方、制御信号ＶＣＯＭＳＥＬが、ロウレベルのとき、それぞれの第７スイッチＳ４は、共通端子Ｃを端子Ｐ１へ接続する。ここで、第７スイッチＳ４の端子Ｐ１へ供給される電圧ＴＰＬの電圧値は、例えば第１電圧ＴＰＨよりも低い値にされている。
【０１７６】
従って、第７スイッチＳ４は、制御信号ＶＣＯＭＳＥＬがハイレベルのとき、ノードｎＳを信号線ＳＬ（０）〜ＳＬ（３）へ接続し、ロウレベルのとき、ノードｎＳを所定の電位ＴＰＬへ接続する。制御信号ＶＣＯＭＳＥＬは、既に述べたように、タッチ検出期間において、ハイレベルとなり、表示期間においてはロウレベルとなる。従って、タッチ検出期間において、スイッチ回路ＵＬＧ２Ｓ（ｎ）は、対応する信号線ＳＬ（０）〜ＳＬ（３）の電圧を、ノードｎＳへ伝達する。一方、表示期間においては、ノードｎＳの電圧は、所定の電圧ＴＰＬに固定されることになる。
【０１７７】
タッチ検出期間においては、実施の形態１で述べたように、対応する単位信号線セレクタ６（ｎ）におけるスイッチＳ１、Ｓ２は、選択信号ＳＥＬ１、ＳＥＬ２によってオン状態とされている。そのため、タッチ検出期間においては、信号線ＳＬ（０）〜ＳＬ（３）の電圧は、対応する共通電極ＴＬ（ｎ）の電圧と同じになる。共通電極ＴＬ（ｎ）の電圧は、この共通電極ＴＬ（ｎ）が選択共通電極として指定されていた場合、選択信号ＴＰ（ｎ）の電圧と同期して変化する。また、この共通電極ＴＬ（ｎ）が非選択共通電極として指定されていた場合、信号線ＳＬ（０）〜ＳＬ（３）の電圧は、共通電極ＴＬ（ｎ）の電圧と同じロウレベルになる。そのため、タッチ検出期間においては、信号線ＳＬ（０）〜ＳＬ（３）における信号は、選択信号ＴＰ（ｎ）に同期した選択信号と見なすことができる。このように見なすと、タッチ検出期間において、ノードｎＳには、選択信号ＴＰ（ｎ）に対応した選択信号が伝達されていることになる。一方、表示期間においては、第７スイッチＳ４の共通端子Ｃは、端子Ｐ１に接続されるため、信号線ＳＬ（０）〜ＳＬ（３）とノードｎＳとは電気的に分離される。また、表示期間においては、ノードｎＳの電圧が、所定の電圧ＴＰＬに固定されるため、ノイズ等により、ノードｎＳの電圧が不所望に変動することを防ぐことが可能となる。
【０１７８】
ロジック回路ＵＬＧ２Ｃ（ｎ）は、リセット端子ｒｓｔを有するフリップフロップ回路ＦＦ２、バッファ回路ＢＦ２、インバータ回路ＩＶ１１および２入力ノア回路ＮＲ３を備えている。
【０１７９】
リセット端子ｒｓｔを有するフリップフロップ回路ＦＦ２は、フリップフロップ回路ＦＦ１と同様に、リセット端子を有するＤ型フリップフロップ回路である。フリップフロップ回路ＦＦ２のリセット端子ｒｓｔとデータ入力端子Ｄには、制御信号ＶＣＯＭＳＥＬが供給され、フリップフロップ回路ＦＦ２のクロック端子ｃｋは、ノードｎＳに接続されている。すなわち、スイッチ回路ＵＬＧ２Ｓ（ｎ）からの選択信号が、フリップフロップ回路ＦＦ２のクロック端子ｃｋに供給されている。これにより、フリップフロップ回路ＦＦ２は、タッチ検出期間において、対応する共通電極ＴＬ（ｎ）に対応した信号線ＳＬ（０）〜ＳＬ（３）の電圧が変化すれば、ハイレベルの制御信号ＶＣＯＭＳＥＬの論理値“１”を取り込み、格納し、データ出力端子Ｑの電圧は、取り込んだ論理値“１”に対応するハイレベルとなる。
【０１８０】
一方、タッチ検出期間において、共通電極ＴＬ（ｎ）に対応した信号線ＳＬ（０）〜ＳＬ（３）の電圧が変化しなければ、フリップフロップ回路ＦＦ２は、リセットのときの論理値“０”を保持し、データ出力端子Ｑの電圧は、論理値“０”に対応したロウレベルとなる。
【０１８１】
タッチ検出期間においては、信号線ＳＬ（０）〜ＳＬ（３）の電圧は、対応する共通電極ＴＬ（ｎ）における電圧に同期して変化する。そのため、フリップフロップ回路ＦＦ２のデータ出力端子Ｑは、タッチ検出期間において、対応する共通電極ＴＬ（ｎ）が、選択共通電極として指定された場合、ハイレベルを出力する。一方、タッチ検出期間において、対応する共通電極ＴＬ（ｎ）が、非選択共通電極として指定された場合、データ出力端子Ｑはロウレベルを出力することになる。また、表示期間においては、制御信号ＶＣＯＭＳＥＬがロウレベルとなるため、フリップフロップ回路ＦＦ２は、リセットされている。リセットされているため、フリップフロップ回路ＦＦ２のデータ出力端子Ｑは、ロウレベルを出力する。
【０１８２】
フリップフロップ回路ＦＦ２のデータ出力端子Ｑは、インバータ回路ＩＶ１１の入力に接続されている。そのため、インバータ回路ＩＶ１１には、タッチ検出期間において、対応する共通電極ＴＬ（ｎ）が選択共通電極として指定された場合、ハイレベルが入力される。そのため、タッチ検出期間において、対応する共通電極ＴＬ（ｎ）が選択共通電極として指定された場合、インバータ回路ＩＶ１１は、ロウレベルの第６スイッチ制御信号ＳＷ６Ｃを出力する。一方、タッチ検出期間において、対応する共通電極ＴＬ（ｎ）が非選択共通電極として指定された場合、インバータＩＶ１１にはロウレベルが入力されるため、インバータ回路ＩＶ１１は、ハイレベルの第６スイッチ制御信号ＳＷ６Ｃを出力する。また、表示期間においては、フリップフロップ回路ＦＦ２のデータ出力端子Ｑの電圧がロウレベルのため、インバータ回路ＩＶ１１は、ハイレベルの第６スイッチ制御信号ＳＷ６Ｃを出力する。
【０１８３】
纏めると、第６スイッチ制御信号ＳＷ６Ｃは、タッチ検出期間において、対応する共通電極ＴＬ（ｎ）が非選択共通電極として指定されている期間と表示期間において、ハイレベルとなる。一方、タッチ検出期間において、対応する共通電極ＴＬ（ｎ）が選択共通電極として指定されている期間では、第６スイッチ制御信号ＳＷ６Ｃは、ロウレベルとなる。これにより、第６スイッチＳ６０〜Ｓ６３のそれぞれは、表示期間において、第２電圧配線５０３ａと第３電圧配線５０４を電気的に接続する。この実施の形態２においても、図５において述べたように、第３電圧配線５０４の線幅は、第１および第２電圧配線５０２、５０３ａの線幅よりも細く、第２電圧配線５０３ａと第３電圧配線５０４とローパスフィルタ５０６とは互いに接続されている。
【０１８４】
表示期間においては、実施の形態１で述べたように、単位駆動電極スイッチＬＳＳ（ｎ）におけるスイッチＳ３の共通端子Ｃが端子Ｐ１に接続される。これにより、表示期間においては、液晶表示素子の一方の端子となる共通電極ＴＬ（ｎ）は、第４電圧配線５０３ｂに接続されることになる。この実施の形態２においては、表示期間のとき、第６スイッチＳ６０〜Ｓ６３を介して第３電圧配線５０４と第２電圧配線５０３ａとが接続される。これにより、表示期間において、液晶表示素子の一方の端子に供給される電圧（第２電圧ＶＣＯＭＤＣ１ａ、ＶＣＯＭＤＣ２）を安定化することが可能となる。
【０１８５】
ロジック回路ＵＬＧ２Ｃ（ｎ）に含まれるバッファ回路ＢＦ２の入力と、２入力ノア回路ＮＲ３の一方の入力は、ノードｎＳに接続されており、２入力ノア回路ＮＲ３の他方の入力には、第６スイッチ制御信号ＳＷ６Ｃが供給されている。バッファ回路ＢＦ２は、タッチ検出期間において、ノードｎＳにおける電圧（選択信号）を、バッファリングし、第４スイッチ制御信号ＳＷ４Ｃとして第４スイッチＳ４０〜Ｓ４３へ供給する。また、２入力ノア回路ＮＲ３の出力は、タッチ検出期間において、第５スイッチ制御信号ＳＷ５Ｃとして第５スイッチＳ５０〜Ｓ５３へ供給される。
【０１８６】
タッチ検出期間において、対応する共通電極ＴＬ（ｎ）が選択共通電極として指定された場合、第１単位駆動電極ドライバＵＧＬ１（ｎ）により、信号線ＳＬ（０）〜ＳＬ（３）の電圧は、選択信号ＴＰ（ｎ）の電圧変化に従って、周期的に変化する。この信号線ＳＬ（０）〜ＳＬ（３）での電圧変化が、スイッチ回路ＵＬＧ２Ｃ（ｎ）を介してノードｎＳに伝達されているため、タッチ検出期間において、第４スイッチ制御信号ＳＷ４Ｃも、その電圧が周期的に変化する。これにより、第４スイッチＳ４０〜Ｓ４３は、周期的にオン状態となり、オンしているとき、第１電圧配線５０２を、対応する共通電極ＴＬ（ｎ）に電気的に接続する。
【０１８７】
タッチ検出期間において、２入力ノア回路ＮＲ３の他の入力に供給されている第６スイッチ制御信号ＳＷ６Ｃの電圧は、先に述べたように、対応する共通電極ＴＬ（ｎ）が選択共通電極として指定されているか非選択共通電極として指定されているかによって、変わる。すなわち、第６スイッチ制御信号ＳＷ６の電圧は、対応する共通電極ＴＬ（ｎ）が選択共通電極として指定されたとき、ロウレベルとなり、対応する共通電極ＴＬ（ｎ）が非選択共通電極として指定されたとき、ハイレベルとなる。従って、タッチ検出期間において、対応する共通電極ＴＬ（ｎ）が選択共通電極として指定されている場合、２入力ノア回路ＮＲ３は、ノードｎＳにおける選択信号を位相反転し、位相反転された信号を第５スイッチ制御信号ＳＷ５Ｃとして出力するインバータ回路として機能する。これに対して、対応する共通電極ＴＬ（ｎ）が非選択共通電極として指定された場合、２入力ノア回路ＮＲ３は、ロウレベルの第５スイッチ制御信号ＳＷ５Ｃを出力する。
【０１８８】
その結果、対応する共通電極が非選択共通電極として指定された場合、第５スイッチＳ５０〜Ｓ５３は、第２電圧配線５０３ａと対応する共通電極ＴＬ（ｎ）との間を電気的に分離する。一方、対応する共通電極が選択共通電極として指定された場合、第５スイッチＳ５０〜Ｓ５３は、第２電圧配線５０３ａと対応する共通電極ＴＬ（ｎ）とを、ノードｎＳにおける電圧に従って周期的に接続する。第５スイッチＳ５０〜Ｓ５３により、第２電圧配線５０３ａと共通電極ＴＬ（ｎ）とを周期的に接続するとき、第５スイッチ制御信号ＳＷ５Ｃを出力する２入力ノア回路ＮＲ３は、ノードｎＳにおける電圧を反転するインバータ回路として機能するため、第４スイッチＳ４０〜Ｓ４３と第５スイッチＳ５０〜Ｓ５３とは、相補的にオン状態となる。
【０１８９】
これにより、第２単位駆動電極ドライバＵＤＧ２（ｎ）は、タッチ検出期間において、対応する共通電極ＴＬ（ｎ）が選択共通電極として指定される場合、信号線ＳＬ（０）〜ＳＬ（３）を介して、ノードｎＳに伝達される共通電極ＴＬ（ｎ）の電圧に従って、対応する共通電極ＴＬ（ｎ）を第１電圧配線５０２と第２電圧配線５０３ａとに交互に電気的に接続する。その結果、対応する共通電極ＴＬ（ｎ）が、選択共通電極として指定される場合、共通電極ＴＬ（ｎ）の一端部は、第１単位駆動電極ドライバＵＤＧ１（ｎ）によって、第１電圧配線５０２と第２電圧配線５０３ａとに交互に接続され、その他端部は、第２単位駆動電極ドライバＵＤＧ２（ｎ）によって、第１電圧配線５０２と第２電圧配線５０３ａとに交互に接続されることになる。これにより、駆動電極ドライバ１２、１２−Ｕにより占有される面積の増加を抑制しながら、選択共通電極（共通電極ＴＬ（ｎ））を、第１電圧ＴＰＨと第２電圧ＶＣＯＭＤＣ１ａとの間で、早く変化させることが可能となる。
【０１９０】
また、この実施の形態２においては、対応する共通電極ＴＬ（ｎ）が、非選択共通電極として指定された場合、共通電極ＴＬ（ｎ）の一端部は、実施の形態１で述べたように、第１単位駆動電極ドライバＵＤＧ１（ｎ）において、第３電圧配線５０４に電気的に接続される。一方、共通電極ＴＬ（ｎ）の他端部は、第２単位駆動電極ドライバＵＤＧ１（ｎ）において、第２電圧配線５０３ａから電気的に分離される。これにより、選択共通電極に第２電圧ＶＣＯＭＤＣ１ａを供給するために、選択共通電極が接続される第２電圧配線５０３ａに、非選択共通電極が接続されるのを防ぐことができる。その結果、選択共通電極および検出電極における電圧の立ち上がりが遅くなるのを防ぐことが可能となる。また、選択共通電極における電圧の立ち下がりが遅くなるのを防ぐことが可能となる。
【０１９１】
図１０では、第１単位駆動電極ドライバＵＤＧ１（ｎ）および第２単位駆動電極ドライバＵＤＧ２（ｎ）を例にして説明したが、残りの第１単位駆動電極ドライバＵＤＧ１（０）〜ＵＤＧ１（ｎ−１）、ＵＤＧ１（ｎ＋１）〜ＵＤＧ１（ｐ）および第２単位駆動電極ドライバＵＤＧ２（０）〜ＵＤＧ２（ｎ−１）、ＵＤＧ２（ｎ＋１）〜ＵＤＧ２（ｐ）についても同様である。
【０１９２】
図１０においては、端子ＳＰ１１〜ＳＰ１４に対応した４本の信号線ＳＬ（０）〜ＳＬ（３）を例として説明したが、この数には限定されない。しかしながら、図１０に示すように、複数の信号線ＳＬ（０）〜ＳＬ（３）を並列的に接続することにより、第１単位駆動電極ドライバＵＤＧ１（ｎ）から第２単位駆動電極ドライバＵＤＧ２（ｎ）への信号の伝達遅延時間を短くすることが可能である。また、この実施の形態においては、表示期間においては画像信号を伝達する信号線ＳＬ（０）〜ＳＬ（３）を、タッチ検出期間においては、共通電極ＴＬ（ｎ）の電圧を伝達するための信号配線として兼用している。そのため、新たな信号配線を設けなくて済み、新たな信号配線により額縁等が大きくなるのを防ぐことが可能となる。
【０１９３】
（実施の形態３）
実施の形態３においては、複数のタッチ検出方式を有する液晶表示装置が提供される。例えば、ユーザによって、複数のタッチ検出方式から所望のタッチ検出方式が選ばれ、選ばれたタッチ検出方式が、液晶表示装置において使われる。ここでは、複数のタッチ検出方式として相互容量方式と自己容量方式とを有する液晶表示装置を例として説明する。相互容量方式については、既に図２で説明しているので、自己容量方式の原理を、次に説明する。
【０１９４】
＜静電容量型タッチ検出（自己容量方式）の基本原理＞
図１１（Ａ）〜（Ｃ）は、自己容量方式のタッチ検出の基本原理を説明するための説明図である。図１１（Ａ）において、ＴＬ（０）〜ＴＬ（ｐ）のそれぞれは、列方向に延在し、行方向に並列的に配置された共通電極であり、ＲＬ（０）〜ＲＬ（ｐ）のそれぞれは、共通電極ＴＬ（０）〜ＴＬ（ｐ）と交差するように配置された検出電極である。検出電極ＲＬ（０）〜ＲＬ（ｐ）のそれぞれは、共通電極ＴＬ（０）〜ＴＬ（ｐ）と交差するように、行方向に延在し、列方向に並列的に配置されている。また、共通電極ＴＬ（０）〜ＴＬ（ｐ）と検出電極ＲＬ（０）〜ＲＬ（ｐ）は、平面視においては、交差して見えるが、互いに電気的に接触しないように、共通電極ＴＬ（０）〜ＴＬ（ｐ）と検出電極ＲＬ（０）〜ＲＬ（ｐ）との間には、絶縁層が介在している。
【０１９５】
ここでは、説明の都合上、ＴＬ（０）〜ＴＬ（ｐ）を共通電極とし、ＲＬ（０）〜ＲＬ（ｐ）を検出電極とするが、共通電極ＴＬ（０）〜ＴＬ（ｐ）および検出電極ＲＬ（０）〜ＲＬ（ｐ）のそれぞれには、駆動信号が供給され、共通電極ＴＬ（０）〜ＴＬ（ｐ）および検出電極ＲＬ（０）〜ＲＬ（ｐ）から検出信号が出力される。そのため、外部物体のタッチを検出すると言う観点で見た場合には、共通電極ＴＬ（０）〜ＴＬ（ｐ）および検出電極ＲＬ（０）〜ＲＬ（ｐ）は、ともに検出電極であると見なすことができる。
【０１９６】
自己容量方式のタッチ検出においては、共通電極ＴＬ（０）〜ＴＬ（ｐ）を用いた検出原理も、検出電極ＲＬ（０）〜ＲＬ（ｐ）を用いた検出原理も同じである。以下、図１１（Ｂ）および（Ｃ）の説明においては、共通電極ＴＬ（０）〜ＴＬ（ｐ）と検出電極ＲＬ（０）〜ＲＬ（ｐ）とを、纏めて検出電極とする。
【０１９７】
検出電極（共通電極ＴＬ（０）〜ＴＬ（ｐ）および検出電極ＲＬ（０）〜ＲＬ（ｐ））のそれぞれには、接地電圧との間で寄生容量が存在する。外部物体として、例えば指ＦＧが、検出電極の近傍をタッチすると、図１１（Ｂ）に示すように、検出電極と指ＦＧとの間で電界が発生する。言い換えるならば、指ＦＧが近接することにより、検出電極と接地電圧との間に接続される容量が増加する。そのため、図１１（Ｂ）において、○で囲んだように、電圧がパルス状に変化する駆動信号を、検出電極に供給すると、検出電極と接地電圧との間に蓄積される電荷量が、検出電極の近傍をタッチしているか否かによって変化する。
【０１９８】
図１１（Ｃ）には、指ＦＧが、検出電極の近傍をタッチしているか否かにより、検出電極に蓄積される電荷量の変化が示されている。指ＦＧが検出電極の近傍をタッチした場合、検出電極に接続される容量が増加するため、パルス状の駆動信号を、検出電極に供給したとき、検出電極に蓄積される電荷量が、タッチしていない場合に比べてΔＱだけ増加する。図１１（Ｃ）において、横軸は時間を示し、縦軸は電荷量を示している。また、図１１（Ｃ）において破線は、タッチしたときの電荷量の変化を示している。駆動信号を検出電極に供給したときに、その検出電極に蓄積されている電荷量の差ΔＱを検出することによって、検出電極の近傍がタッチされているか否かの検出をすることが可能となる。
【０１９９】
＜タッチ用半導体装置７の構成＞
図１２は、この実施の形態３で用いられるタッチ用半導体装置１２００の構成を示すブロック図である。図１２には、図１に示したタッチ用半導体装置７と異なる部分のみが示されている。実施の形態３に係わるタッチ用半導体装置１２００においては、図１に示したタッチ検出信号増幅部１３に加えて、タッチ検出信号増幅部１２０２が設けられている。図１に示したＡ／Ｄ変換部１４、信号処理部１５、座標抽出部１６および検出タイミング制御部１９は、実施の形態３におけるタッチ制御装置１２００にも設けられているが、実施の形態１と同様であるため、図１２においては省略されている。
【０２００】
図１２において、１２０１は、図１に示した駆動信号形成部１７と類似した駆動信号形成部である。駆動信号形成部１２０２は、タッチ検出方式を指定する検出方式指定信号ＳＥＬＦＥＮが、相互容量方式を指定しているとき、図１で示した駆動信号形成部１７と同様に、制御部１８からの制御信号に基づいて、選択信号ＴＰ（０）〜ＴＰ（ｐ）および制御信号ｃｔｒｓｉｇを形成する。駆動信号形成部１２０２は、特に制限されないが、クロック信号φを受信し、このクロック信号φに基づいて、選択共通電極を指定する選択号を形成する。すなわち、選択共通電極を指定する選択信号（例えば選択信号ＴＰ（ｎ））の電圧が、クロック信号φに同期して変化するようにする。
【０２０１】
一方、検出方式指定信号ＳＥＬＦＥＮが、図１１において説明した自己容量方式を指定しているとき、駆動信号形成部１２０２は、クロック信号φに同期した駆動信号Ｓ−Ｉｎ（０）〜Ｓ−Ｉｎ（ｐ）を形成し、端子ＳＴ（０）〜ＳＴ（ｐ）を介して出力する。
【０２０２】
タッチ検出信号増幅部１２０２は、共通電極ＴＬ（０）〜ＴＬ（ｐ）からの検出信号ＳＲｘ（０）〜ＳＲｘ（ｐ）を受信し、共通電極の近傍がタッチされているか否かにより生じる電荷量の差を電圧の差として増幅し、図１に示したＡ／Ｄ変換部１４へ出力する。この実施の形態３においては、特に制限されないが、端子ＳＴ（０）〜ＳＴ（ｐ）は、入出力共通の端子として用いられる。すなわち、端子ＳＴ（０）〜ＳＴ（ｐ）は、駆動信号Ｓ−Ｉｎ（０）〜Ｓ−Ｉｎ（ｐ）を共通電極ＴＬ（０）〜ＴＬ（ｐ）へ供給するとき、出力端子として機能し、共通電極ＴＬ（０）〜ＴＬ（ｐ）からの検出信号ＳＲｘ（０）〜ＳＲｘ（ｐ）を受信するときには、入力端子として機能する。
【０２０３】
検出方式指定信号ＳＥＬＦＥＮが、自己容量方式を指定しているとき、駆動信号形成部１２０２は、駆動信号Ｓ−Ｉｎ（０）〜Ｓ−Ｉｎ（ｐ）を形成したタイミングをタッチ検出信号増幅部１２０１へタイミング信号として知らせる。タッチ検出信号増幅部１２０１は、駆動信号形成１２０２から供給されるタイミング信号に基づいて、端子ＳＴ（０）〜ＳＴ（ｐ）における信号を検出信号ＳＲｘ（０）〜ＳＲｘ（ｐ）として増幅する。これにより、駆動信号Ｓ−Ｉｎ（０）〜Ｓ−Ｉｎ（ｐ）に基づいて、共通電極ＴＬ（０）〜ＴＬ（ｐ）の電圧が変化し、タッチの有無により、共通電極ＴＬ（０）〜ＴＬ（ｐ）に生じる電圧の変化を、タッチ検出信号増幅部１６０２によって増幅することが可能とされる。
【０２０４】
なお、特に制限されないが、検出方式指定信号ＳＥＬＦＥＮは、ユーザの設定により、制御部１８において形成され、第１駆動電極ドライバ１２および第２駆動電極ドライバ１２−Ｕへ供給される。例えば、検出方式指定信号ＳＥＬＦＥＮは、その電圧がハイレベルのとき、検出方式として、自己容量方式を指定し、その電圧がロウレベルのとき、相互容量方式を、検出方式として指定する。また、検出方式指定信号ＳＥＬＦＥＮは、表示期間において、ロウレベルにされる。そのため、検出方式指定信号ＳＥＬＦＥＮは、自己容量方式イネーブル信号と見なすことができる。
【０２０５】
＜第１駆動電極ドライバ１２および第２駆動電極ドライバ１２−Ｕの構成＞
実施の形態３においては、図７に示した液晶表示装置において、第１駆動電極ドライバ１２を構成する複数の第１単位駆動電極ドライバＵＤＧ１（０）〜ＵＤＧ１（ｐ）および第２駆動電極ドライバ１２−Ｕを構成する複数の第２単位駆動電極ドライバＵＤＧ１（０）〜ＵＤＧ１（ｐ）のそれぞれの構成が変更される。この実施の形態３においても、第１単位駆動電極ドライバＵＤＧ１（０）〜ＵＤＧ１（ｐ）のそれぞれは、互いに同じ構成を有しており、第２単位駆動電極ドライバＵＤＧ２（０）〜ＵＤＧ２（ｐ）のそれぞれも互いに同じ構成を有している。ここでは、第１単位駆動電極ドライバＵＤＧ１（ｎ）および第２単位駆動電極ドライバＵＤＧ２（ｎ）を代表として説明する。なお、この実施の形態３においても、第３電圧配線５０４の線幅は、実施の形態１および２と同様に、第１および第２電圧配線５０２、５０３ａの線幅よりも細くされており、図５に示したように、第２電圧配線５０３ａと、第３電圧配線５０４と、ローパスフィルタ５０６とが互いに接続されている。
【０２０６】
図１３は、実施の形態３に係わる第１単位駆動電極ドライバＵＤＧ１（ｎ）および第２単位駆動電極ドライバＵＤＧ２（ｎ）の構成を示す回路図である。図１３に示す回路は、図１０に示した回路と類似しているので、ここでは相違点を主に説明する。第１単位駆動電極ドライバＵＤＧ１（ｎ）が、共通電極ＴＬ（ｎ）に対応する第１単位スイッチ回路ＵＳＷ１（ｎ）と第１単位ロジック回路ＵＬＧ１（ｎ）を備えていることは、図１０と図１３において同じである。同様に、第２単位駆動電極ドライバＵＤＧ２（ｎ）が、共通電極ＴＬ（ｎ）に対応する第２単位スイッチ回路ＵＳＷ２（ｎ）と第２単位ロジック回路ＵＬＧ２（ｎ）を備えていることも、図１０と図１３において同じである。さらに第２単位ロジック回路ＵＬＧ２（ｎ）が、スイッチ回路ＵＬＧ２Ｓ（ｎ）とロジック回路ＵＬＧ２Ｃ（ｎ）を備えていることも、図１０と図１３において同じである。
【０２０７】
＜＜第１単位駆動電極ドライバ＞＞
第１単位駆動電極ドライバＵＤＧ１（ｎ）において、図１０と図１３の間で相違するのは、第１単位ロジック回路ＵＬＧ１（ｎ）の構成である。図１３において、第１単位ロジック回路ＵＬＧ１（ｎ）は、リセット端子ｒｓｔを有するフリップフロップ回路ＦＦ１、３入力ノア回路ＮＲ４、ＮＲ５、２入力アンド回路ＡＮＤ２、バッファ回路ＢＦ３、Ｎチャンネル型ＭＯＳＦＥＴ（以下、Ｎ型ＭＯＳＦＥＴと称する）ＴＲＮ１〜ＴＲＮ６およびＰチャンネル型ＭＯＳＦＥＴ（以下、Ｐ型ＭＯＳＦＥＴと称する）ＴＲＰ１〜ＴＲ５を備えている。
【０２０８】
Ｎ型ＭＯＳＦＥＴＴＲＮ１とＰ型ＭＯＳＦＥＴＴＲＰ１は、それぞれのソース・ドレイン経路が並列的に接続されるように、接続され、第１トランスファスイッチ（以下、トランスファスイッチをＴＦスイッチと称する）を構成している。この第１ＴＦスイッチを構成するＮ型ＭＯＳＦＥＴＴＲＮ１のゲートには、検出方式指定信号ＳＥＬＦＥＮが供給され、第１ＴＦスイッチを構成するＰ型ＭＯＳＦＥＴＴＲＰ１のゲートには、検出方式指定信号ＳＥＬＦＥＮを位相反転して得られた制御信号ｘＳＥＬＦＥＮが供給されている。第１ＴＦスイッチの入力には、図１２に示した駆動信号形成部１２０２により形成された選択信号ＴＰ（ｎ）または駆動信号Ｓ−Ｉｎ（ｎ）が供給される。第１ＴＦスイッチの出力は、バッファ回路ＢＦ３の入力、３入力ノア回路ＮＲ４の第１入力、Ｎ型ＭＯＳＦＥＴＴＲＮ６のドレインおよびフリップフロップ回路ＦＦ１のクロック端子ｃｋに接続されている。Ｎ型ＭＯＳＦＥＴＴＲＮ６のソースは、ロウレベルである電圧ＶＧＬに接続され、そのゲートには、検出方式指定信号ＳＥＬＦＥＮが供給されている。
【０２０９】
タッチ検出方式として、相互容量方式を設定した場合、タッチ検出期間において、検出方式指定信号ＳＥＬＦＥＮはロウレベルになり、制御信号ｘＳＥＬＦＥＮはハイレベルとなる。この状態で、第１ＴＦスイッチはオン状態となる。相互容量方式の場合には、駆動信号形成部１２０２が選択信号ＴＰ（ｎ）を形成するため、選択信号ＴＰ（ｎ）が第１ＴＦスイッチを介して、バッファ回路ＢＦ３と、３入力ノア回路ＮＲ４の第１入力と、フリップフロップ回路ＦＦ１のクロック端子ｃｋに供給されることになる。このとき、Ｎ型ＭＯＳＦＥＴＴＲＮ６はオフ状態である。この状態で、共通電極ＴＬ（ｎ）を選択共通電極として指定するために、選択信号ＴＰ（ｎ）の電圧が周期的に変化すると、フリップフロップ回路ＦＦ１は、選択信号ＴＰ（ｎ）の電圧の立ち上がりに応答して、制御信号ＶＣＯＭＳＥＬのハイレベルを取り込み、論理値“１”を格納し、論理値“１”に対応したハイレベルを、データ出力端子Ｑから出力する。
【０２１０】
なお、既に述べたが、制御信号ＶＣＯＭＳＥＬは、タッチ検出期間が始まるときハイレベルなるため、タッチ検出期間においては、フリップフロップ回路ＦＦ１のリセット状態は、解除されている。そのため、クロック端子ｃｋに供給されている選択信号ＴＰ（ｎ）の電圧が立ち上がることにより、フリップフロップ回路ＦＦ２は、制御信号ＶＣＯＭＳＥＬの電圧値に対応した論理値を取り込むこととなる。
【０２１１】
３入力ノア回路ＮＲ４の第２入力には、検出方式指定信号ＳＥＬＦＥＮが供給され、その第３入力には、３入力ノア回路ＮＲ５の出力が入力されている。また、３入力ノア回路ＮＲ５の第１入力には、制御信号ｘＶＣＯＭＳＥＬが供給され、その第２入力には、検出方式指定信号ＳＥＬＦＥＮが供給され、その第３入力は、フリップフロップ回路ＦＦ２のデータ出力端子Ｑに接続されている。
【０２１２】
先に述べたように、相互容量方式が設定され、選択信号ＴＰ（ｎ）の電圧が周期的に変化する場合、フリップフロップ回路ＦＦ１のデータ出力端子Ｑの電圧はハイレベルとなる。そのため、その第３入力がデータ出力端子Ｑに接続されている３入力ノア回路ＮＲ５の出力は、ロウレベルとなる。このとき、相互容量方式が設定されているため、３入力ノア回路ＮＲ４の第２入力には、ロウレベルの検出方式指定信号ＳＥＬＦＥＮが供給されている。そのため、３入力ノア回路ＮＲ４は、その第１入力に供給されている選択信号ＴＰ（ｎ）を位相反転して出力するインバータ回路として機能する。
【０２１３】
３入力ノア回路ＮＲ５の出力が、第３スイッチ制御信号ＳＷ３Ｃとして、第１単位ロジック回路ＵＬＧ１（ｎ）から対応する第１単位スイッチ回路ＵＳＷ１（ｎ）に供給される。また、３入力ノア回路ＮＲ４の出力と制御信号ＶＣＯＭＳＥＬとを受ける２入力アンド回路ＡＮＤ２の出力が、第２スイッチ制御信号ＳＷ２Ｃとして、第１単位ロジック回路ＵＬＧ１（ｎ）から対応する第１単位スイッチ回路ＵＳＷ１（ｎ）に供給される。さらに、バッファ回路ＢＦ３の出力が、第１スイッチ制御信号ＳＷ１Ｃとして、第１単位ロジック回路ＵＬＧ１（ｎ）から対応する第１単位スイッチ回路ＵＳＷ１（ｎ）に供給される。
【０２１４】
タッチ検出期間において、相互容量方式が設定され、選択信号ＴＰ（ｎ）の電圧が周期的に変化すると、先に述べたように、フリップフロップ回路ＦＦ１が、論理値“１”を格納し、論理値“１”に対応するハイレベルを、そのデータ出力端子Ｑから出力する。これにより、第３スイッチ制御信号ＳＷ３Ｃはロウレベルとなり、第１スイッチ制御信号ＳＷ１Ｃは、選択信号ＴＰ（ｎ）と同期した信号となる。また、タッチ検出期間においては、制御信号ＶＣＯＭＳＥＬがハイレベルとなるため、２入力アンド回路ＡＮＤ２から出力される第２スイッチ制御信号ＳＷ２Ｃは、３入力ノア回路ＮＲ４によって選択信号ＴＰ（ｎ）の位相が反転された信号となる。これにより、対応する第１単位スイッチ回路ＵＳＷ１（ｎ）においては、第３スイッチＳ３０〜Ｓ３３がオフ状態となり、第１スイッチＳ１０〜Ｓ１３と第２スイッチＳ２０〜Ｓ２３とは交互にオン状態となる。
【０２１５】
一方、タッチ検出期間において、共通端子ＴＬ（ｎ）を非選択共通電極として指定するように、選択信号ＴＰ（ｎ）が、ロウレベルにされると、フリップフロップ回路ＦＦ１のクロック端子ｃｋの電圧は立ち上がらない。そのため、フリップフロップ回路ＦＦ１は、リセットのときの論理値“０”を格納した状態を継続し、論理値“０”に対応するロウレベルを、そのデータ出力端子Ｑから出力する。これにより、３入力ノア回路ＮＲ５の第１〜第３入力のそれぞれには、ロウレベルが供給されるため、第３スイッチ制御信号ＳＷ３Ｃはハイレベルとなる。第３スイッチ制御信号ＳＷ３Ｃがハイレベルとなることにより、３入力ノア回路ＮＲ４の出力は、ロウレベルとなり、２入力アンド回路ＡＮＤ２出力である第２スイッチ制御信号ＳＷ２Ｃは、ロウレベルとなる。勿論、バッファ回路ＢＦ３は、その入力である選択信号ＴＰ（ｎ）がロウレベルであるため、ロウレベルの第１スイッチ制御信号ＳＷ１Ｃを出力する。これにより、第３スイッチＳ３０〜Ｓ３３がオン状態となり、第１および第２スイッチＳ１０〜Ｓ１３およびＳ２０〜Ｓ２３はオフ状態となる。その結果、共通電極ＴＬ（ｎ）が非選択共通電極として指定された場合には、共通電極ＴＬ（ｎ）は、第３電圧配線５０４に電気的に接続される。
【０２１６】
このようにして、第１単位駆動電極ドライバＵＤＧ１（ｎ）は、相互容量方式が設定された場合、タッチ検出期間において、実施の形態１および２と同様に、対応する共通電極が、選択共通電極として指定された場合には、共通電極ＴＬ（ｎ）を第１電圧配線５０２と第２電圧配線５０３ａとに交互に接続する。一方、対応する共通電極が非選択共通電極として指定された場合、第１単位駆動電極ドライバＵＤＧ１（ｎ）は、共通電極ＴＬ（ｎ）を第３電圧配線５０４に接続する。
【０２１７】
第１単位ロジック回路ＵＬＧ１（ｎ）に設けられているＮ型ＭＯＳＦＥＴＴＲＮ２〜ＴＲＮ５およびＰ型ＭＯＳＦＥＴＴＲＰ２〜ＴＲＰ５は、タッチ検出方式として、自己容量方式が設定されたときに、用いられる。すなわち、これらにＭＯＳＦＥＴは、自己容量方式が設定されたとき、図１２に示した駆動信号形成部１２０２により形成された駆動信号Ｓ−Ｉｎ（ｎ）を、対応する共通電極ＴＬ（ｎ）へ伝達し、共通電極ＴＬ（ｎ）における検出信号ＳＲｘ（ｎ）を図１２に示した入出力端子ＳＴ（ｎ）へ伝達するためのＴＦスイッチを構成する。
【０２１８】
Ｎ型ＭＯＳＦＥＴＴＲＮ２とＰ型ＭＯＳＦＥＴＴＲＰ２は、それぞれのソース・ドレイン経路が並列的に接続されるように接続され、第２ＴＦスイッチを構成し、Ｎ型ＭＯＳＦＥＴＴＲＮ３とＰ型ＭＯＳＦＥＴＴＲＰ３は、それぞれのソース・ドレイン経路が並列的に接続されるように接続され、第３ＴＦスイッチを構成し、Ｎ型ＭＯＳＦＥＴＴＲＮ４とＰ型ＭＯＳＦＥＴＴＲＰ４は、それぞれのソース・ドレイン経路が並列的に接続されるように接続され、第４ＴＦスイッチを構成する。同様に、Ｎ型ＭＯＳＦＥＴＴＲＮ５とＰ型ＭＯＳＦＥＴＴＲＰ５は、それぞれのソース・ドレイン経路が並列的に接続されるように接続され、第５ＴＦスイッチを構成する。
【０２１９】
第２〜第５ＴＦスイッチのそれぞれの一方の入出力端子は、図１２に示した入出力端子ＳＴ（ｎ）に接続され、第２〜第５ＴＦスイッチのそれぞれの他方の入出力端子は、対応する端子ＳＰ１１〜ＳＰ１４に接続される。また、第２〜第５ＴＦスイッチのそれぞれを構成するＰ型ＭＯＳＦＥＴＴＲＰ２〜ＴＲＰ５のゲートには、制御信号ｘＳＥＬＦＥＮが供給され、第２〜第５ＴＦスイッチのそれぞれを構成するＮ型ＭＯＳＦＥＴＴＲＮ２〜ＴＲＮ５のゲートには、検出方式指定信号ＳＥＬＦＥＮが供給されている。
【０２２０】
タッチ検出方式として、自己容量方式が設定されると、タッチ検出期間において、検出方式指定信号ＳＥＬＦＥＮがハイレベルになるため、第２〜第５ＴＦスイッチがオン状態となる。これにより、駆動信号Ｓ−Ｉｎ（ｎ）が、対応する共通電極ＴＬ（ｎ）に供給される、図１１において説明したように、共通電極の電圧を変化させているときに、共通電極ＴＬ（ｎ）の近傍がタッチされているか否かに応じた電圧変化が、共通電極ＴＬ（ｎ）において発生する。この電圧変化が、第２〜第５ＴＦスイッチを介して、図１２に示した入出力端子ＳＴ（ｎ）に伝達され、タッチ検出信号増幅部１２０１により増幅され、処理される。
【０２２１】
自己容量方式が設定されているとき、検出方式指定信号ＳＥＬＦＥＮがハイレベルとなるため、第１ＴＦスイッチは、オフ状態となる。また、Ｎ型ＭＯＳＦＥＴＴＲＮ６がオン状態となるため、バッファ回路ＢＦ３およびフリップフロップ回路ＦＦ１のクロック端子ｃｋには、ロウレベルの電圧ＶＧＬが供給されることになる。これにより、フリップフロップ回路ＦＦ１は、リセットのときの論理値“０”を維持し、データ出力端子Ｑの電圧はロウレベルとなる。また、３入力ノア回路ＮＲ４、ＮＲ５のそれぞれの第２入力に、ハイレベルの検出方式指定信号ＳＥＬＦＥＮが供給されるため、第３スイッチ制御信号ＳＷ３Ｃおよび第２スイッチ制御信号ＳＷ２Ｃのそれぞれは、ロウレベルとなる。勿論、バッファ回路ＢＦ３は、その入力がロウレベルの電圧ＶＧＬであるため、ロウレベルの第１スイッチ制御信号ＳＷ１Ｃを出力する。これにより、対応する第１単位スイッチ回路ＵＳＷ１（ｎ）における第１〜第３スイッチＳ１０〜Ｓ１３、Ｓ２０〜Ｓ２３、Ｓ２０〜Ｓ２３はオフ状態となる。
【０２２２】
＜＜第２単位駆動電極ドライバ＞＞
第２単位駆動電極ドライバＵＤＧ２（ｎ）において、第２単位ロジック回路ＵＬＧ２（ｎ）を構成するスイッチ回路ＵＬＧ２Ｓ（ｎ）は、図１０に示したスイッチ回路ＵＬＧ２Ｓ（ｎ）と同様に、対応する第２単位スイッチ回路ＵＳＷ２（ｎ）と対応する共通電極ＴＬ（ｎ）との間に設けられた複数の第７スイッチＳ４を備えている。図１０とは異なり、実施の形態３における第７スイッチＳ４は、２入力アンド回路ＡＮＤ３から出力される制御信号によってスイッチ制御される。２入力アンド回路ＡＮＤ３には、制御信号ＶＣＯＭＳＥＬと制御信号ｘＳＥＬＦＥＮとが供給されている。制御信号ＶＣＯＭＳＥＬはタッチ検出期間においてハイレベルとなり、制御信号ｘＳＥＬＦＥＮは相互容量方式が設定されたときにハイレベルとなる。そのため、２入力アンド回路ＡＮＤ３は、タッチ検出方式として相互容量方式が設定され、タッチ検出期間のときに、ハイレベルの制御信号を出力し、このときに第７スッチＳ４は、共通端子Ｃを端子Ｐ２へ接続する。言い換えるならば、表示期間およびタッチ検出方式として自己容量方式が設定されたときは、第７スイッチＳ４は、共通端子Ｃを端子Ｐ１へ接続する。
【０２２３】
なお、ここで述べた２入力アンド回路ＡＮＤ３は、複数のスイッチ回路ＵＬＧ２Ｓ（０）〜ＵＬＧ２Ｓ（ｐ）に対して共通であり、２入力アンド回路ＡＮＤ３から出力される制御信号は、スイッチ回路ＵＬＧ２Ｓ（０）〜ＵＬＧ２Ｓ（ｐ）に共通に供給されている。
【０２２４】
第２単位ロジック回路ＵＬＧ２（ｎ）を構成するロジック回路ＵＬＧ２Ｃ（ｎ）は、リセット端子ｒｓｔを有するフリップフロップ回路ＦＦ２、３入力ノア回路ＮＲ３、２入力ノア回路ＮＲ７、２入力アンド回路ＡＮＤ４、バッファ回路ＢＦ４およびＮ型ＭＯＳＦＥＴＴＲＮ７を備えている。フリップフロップ回路ＦＦ２のリセット端子ｒｓｔとデータ入力端子Ｄには、制御信号ＶＣＯＭＳＥＬが供給され、ノードｎＳは、フリップフロップ回路ＦＦ２のクロック端子ｃｋ、バッファＢＦ４の入力、３入力ノア回路ＮＲ６の第１入力およびＮ型ＭＯＳＦＥＴＴＲＮ７のドレインに接続されている。Ｎ型ＭＯＳＦＥＴＴＲＮ７のソースは、ロウレベルである電圧ＶＧＬに接続され、そのゲートには、検出方式指定信号ＳＥＬＦＥＮが供給されている。また、検出方式指定信号ＳＥＬＦＥＮは、３入力ノア回路ＮＲ６の第２入力と、２入力ノア回路ＮＲ７の一方の入力に供給されている。フリップフロップ回路ＦＦ２のデータ出力端子Ｑは、２入力ノア回路ＮＲ７の他方の入力に接続され、この２入力ノア回路ＮＲ７の出力は、３入力ノア回路ＮＲ６の第３入力に供給されている。また、３入力ノア回路ＮＲ６の出力と制御信号ＶＣＯＭＳＥＬが、２入力アンド回路ＡＮＤ４に入力されている。
【０２２５】
タッチ検出方式として自己容量方式が設定された場合、検出方式指定信号ＳＥＬＦＥＮがハイレベルとなるため、検出方式指定信号ＳＥＬＦＥＮを位相反転した制御信号ｘＳＥＬＦＥＮはロウレベルとなる。そのため、自己容量方式が設定されたタッチ検出期間において、第７スイッチＳ４は、共通端子Ｃを端子Ｐ１へ接続する。このとき、Ｎ型ＭＯＳＦＥＴＴＲＮ７がオン状態となるため、バッファ回路ＢＦ４の入力と、フリップフロップ回路ＦＦ２のクロック端子ｃｋは、ロウレベルとなる。フリップフロップ回路ＦＦ２は、クロック端子ｃｋの電圧が変化しないため、そのデータ出力端子Ｑは、リセットのときの電圧であるロウレベルが維持される。また、このとき、３入力ノア回路ＮＲ６の第２入力と、２入力ノア回路ＮＲ７の一方の入力には、ハイレベルの検出方式指定信号ＳＥＬＦＥＮが供給されるため、３入力ノア回路ＮＲ６および２入力ノア回路ＮＲ７のそれぞれの出力はロウレベルとなり、２入力アンド回路ＡＮＤ４の出力もロウレベルとなる。また、このときバッファ回路ＢＦ４の入力はロウレベルであるため、バッファ回路ＢＦ４の出力もロウレベルとなる。
【０２２６】
第２単位ロジック回路ＵＬＧ２（ｎ）は、２入力ノア回路ＮＲ７の出力を、第６スイッチ制御信号ＳＷ６Ｃとして、対応する単位スイッチ回路ＵＳＷ２（ｎ）へ供給し、バッファい回路ＢＦ４の出力を、第４スイッチ制御信号ＳＷ４Ｃとして、対応する単位スイッチ回路ＵＳＷ２（ｎ）へ供給し、２入力アンド回路ＡＮＤ４の出力を、第５スイッチ制御信号ＳＷ５Ｃとして、対応する単位スイッチ回路ＵＳＷ２（ｎ）へ供給する。
【０２２７】
タッチ検出方式として、自己容量方式が設定された場合、上記したように、２入力ノア回路ＮＲ７、バッファ回路ＢＦ４および２入力アンド回路ＡＮＤ４のそれぞれの出力がロウレベルとなる。すなわち、第４〜第６スイッチ制御信号ＳＷ４Ｃ〜ＳＷ６Ｃがロウレベルとなる。これにより、対応する単位スイッチ回路ＵＳＷ２（ｎ）における第４から第６スイッチＳ４０〜Ｓ４３、Ｓ５０〜Ｓ５３、Ｓ６０〜Ｓ６３のそれぞれがオフ状態となる。その結果、自己容量方式が設定された場合、第２単位駆動電極ドライバＵＤＧ２（ｎ）は、対応する共通電極ＴＬ（ｎ）を、第１〜第３電圧配線５０２，５０３ａ、５０４から電気的に分離する。
【０２２８】
これに対して、タッチ検出方式として相互容量方式が設定された場合、タッチ検出期間において、第７スイッチＳ４の共通端子Ｃが端子Ｐ２へ接続される。そのため、端子ＳＰ１１〜ＳＰ１４における共通電極ＴＬ（ｎ）の電圧が、信号線ＳＬ（０）〜ＳＬ（３）および第７スイッチＳ４を介してノードｎＳに選択信号として伝達される。タッチ検出期間において、対応する共通電極ＴＬ（ｎ）が選択共通電極として指定されている場合には、ノードｎＳにおける電圧、すなわち選択信号は、周期的にその電圧が変化する。これに対して、対応する共通電極ＴＬ（ｎ）が非選択共通電極として指定されている場合には、ノードｎＳにおける電圧は、第３電圧ＶＣＯＭＤＣ２となる。
【０２２９】
対応する共通電極ＴＬ（ｎ）が選択共通電極として指定されることにより、ノードｎＳにおける電圧が立ち上がると、フリップフロップ回路ＦＦ２は、そのクロック端子ｃｋの電圧が立ち上がるため、データ入力端子Ｄに供給されている電圧に対応した論理値を取り込む。このとき、タッチ検出期間であるため、データ入力端子Ｄに供給されている制御信号ＶＣＯＭＳＥＬはハイレベルである。そのため、フリップフロップ回路ＦＦ２は、ハイレベルに対応した論理値“１”を取り込み、格納し、論理値“１”に対応したハイレベルを、データ出力端子Ｑから出力する。フリップフロップ回路ＦＦ２のデータ出力端子Ｑがハイレベルとなることにより、２入力ノア回路ＮＲ７は、ロウレベルの第６スイッチ制御信号ＳＷ６Ｃを出力する。
【０２３０】
相互容量方式が設定されているため、検出方式指定信号ＳＥＬＦＥＮはロウレベルである。そのため、タッチ検出期間において、Ｎ型ＭＯＳＦＥＴＴＲＮ７はオフ状態となる。これにより、バッファ回路ＢＦ４は、選択信号（ノードｎＳにおける電圧）をバッファリングし、第４スイッチ信号ＳＷ４Ｃとして出力する。このとき、３入力ノア回路ＮＲ６は、その第２入力にロウレベルの検出方式指定信号ＳＥＬＦＥＮが供給され、その第３入力にロウレベルの第４スイッチ制御信号ＳＷ４Ｃが供給されているため、その第１入力に供給される選択信号（ノードｎＳにおける電圧）の位相を反転して出力するインバータ回路として機能する。２入力アンド回路ＡＮＤ４は、制御信号ＶＣＯＭＳＥＬがハイレベルであるため、３入力ノア回路ＮＲ６により位相の反転された制御信号と同相の信号を第５スイッチ制御信号ＳＷ５Ｃとして出力する。
【０２３１】
すなわち、タッチ検出期間において、対応する共通電極ＴＬ（ｎ）が選択共通電極として指定されていると、共通電極ＴＬ（ｎ）に対応する第２単位ロジック回路ＵＬＧ２（ｎ）は、ロウレベルの第６スイッチ制御信号ＳＷ６Ｃと、その電圧が周期的に変化する第４および第５スイッチ制御信号ＳＷ４Ｃ、ＳＷ５Ｃとを、対応する第２単位スイッチ回路ＵＳＷ２（ｎ）へ出力する。ここで、第４スイッチ制御信号ＳＷ４Ｃは、ノードｎＳにおける電圧の変化と同相で変化する信号となり、第５スイッチ制御信号ＳＷ５Ｃは、ノードｎＳにおける電圧の変化に対して位相反転した信号となる。すなわち、ノードｎＳにおける選択信号に対して、第４スイッチ制御信号ＳＷ４Ｃは、同相となり、第５スイッチ制御信号ＳＷ５Ｃは、選択信号と逆相になる。
【０２３２】
第２単位スイッチ回路ＵＳＷ２（ｎ）においては、ロウレベルの第６スイッチ制御信号ＳＷ６Ｃによって、第６スイッチＳ６０〜Ｓ６３がオフ状態となり、第４スイッチＳ４０〜Ｓ４３と第５スイッチＳ５０〜Ｓ５３は、第４スイッチ制御信号ＳＷ４Ｃと第５スイッチ制御信号ＳＷ５Ｃにより、交互にオン状態となる。その結果、相互容量方式が設定され、対応する共通電極ＴＬ（ｎ）が選択共通電極に指定されている場合には、タッチ検出期間において、共通電極ＴＬ（ｎ）は、選択信号の電圧変化に従って、第１電圧配線５０２と第２電圧配線５０３ａとに交互に接続され、共通電極ＴＬ（ｎ）には、第１電圧ＴＰＨと第２電圧ＶＣＯＭＤＣ１ａが交互に供給されることになる。
【０２３３】
一方、対応する共通電極ＴＬ（ｎ）が非選択共通電極として指定されている場合、すなわち、ノードｎＳの電圧がロウレベルとなっている場合、フリップフロップ回路ＦＦ２は、そのクロック端子ｃｋの電圧が立ち上がらないため、リセットのときの状態を維持し、論理値“０”に対応するロウレベルの信号をデータ出力端子Ｑから出力する。このとき、検出方式指定信号ＳＥＬＦＥＮはロウレベルであるため、２入力ノア回路ＮＲ７は、ハイレベルの第６スイッチ制御信号ＳＷ６Ｃを出力する。第６スイッチ制御信号ＳＷ６Ｃがハイレベルとなることにより、３入力ノア回路ＮＲ６はロウレベルを出力し、２入力アンド回路ＡＮＤ４は、ロウレベルの第５スイッチ制御信号ＳＷ５Ｃを出力する。また、選択信号（ノードｎＳにおける電圧）が、ロウレベルであるため、バッファ回路ＢＦ４は、ロウレベルの第４スイッチ制御信号ＳＷ４Ｃを出力する。
【０２３４】
これらの第４〜第６スイッチ制御信号ＳＷ４Ｃ〜ＳＷ６Ｃのそれぞれの電圧により、対応する第２単位スイッチ回路ＵＳＷ２（ｎ）においては、第６スイッチＳ６０〜Ｓ６３がオン状態となり、第４スイッチＳ４０〜Ｓ４３および第５スイッチＳ５０〜Ｓ５３はオフ状態となる。その結果、相互容量方式が設定され、対応する共通電極ＴＬ（ｎ）が非選択共通電極に指定されている場合には、タッチ検出期間において、共通電極ＴＬ（ｎ）は、第１および第２電圧配線５０２〜５０３ａ、第４電圧配線５０３ｂとは電気的に分離され、第２電圧配線５０３ａと第３電圧配線５０４は、電気的に互いに接続されることになる。
【０２３５】
また、表示期間においては、制御信号ＶＣＯＭＳＥＬがロウレベルにされ、検出方式指定信号ＳＥＬＦＥＮもロウレベルにされる。制御信号ＶＣＯＭＳＥＬがロウレベルであるため、フリップフロップ回路ＦＦ２は、リセットされた状態となり、ロウレベルの信号をデータ出力端子Ｑから出力する。そのため、２入力ノア回路ＮＲ７は、ハイレベルの第６スイッチ制御信号ＳＷ６Ｃを出力する。これにより、対応する第２単位スイッチ回路ＵＳＷ２（ｎ）において、第６スイッチＳ６０〜Ｓ６３がオン状態となり、第２電圧配線５０２と第３電圧配線５０４とが電気的に接続されることになる。
【０２３６】
表示期間においては、実施の形態１において述べたように、単位駆動電極スイッチＬＳＳ（ｎ）におけるスイッチＳ３の共通端子Ｃは、端子Ｐ１に接続される。これにより、表示期間において、液晶表示素子の一方の端子となる共通電極ＴＬ（ｎ）は、スイッチＳ３を介して第４電圧配線５０３ｂに接続され、この第４電圧配線５０３ｂと第３電圧配線５０４との間は、第６スイッチＳ６０〜Ｓ６３によって接続されることになる。すなわち、表示期間において、液晶表示素子の一方の端子となる共通電極ＴＬ（ｎ）は、第４電圧配線５０３ｂと第３電圧配線５０４とに接続されることになる。これにより、表示期間において、液晶表示素子の一方の端子に供給される電圧の安定化を図ることが可能となる。
【０２３７】
第１単位駆動電極ドライバＵＤＧ１（ｎ）および第２単位駆動電極ドライバＵＤＧ２（ｎ）を例にして説明したが、第１駆動電極ドライバ１２および第２駆動電極ドライバ１２−Ｕのそれぞれを構成する残りの第１単位駆動電極ドライバＵＤＧ１（０）〜ＵＤＧ１（ｎ−１）、ＵＤＧ１（ｎ＋１）〜ＵＤＧ１（ｐ）および第２単位駆動電極ドライバＵＤＧ２（０）〜ＵＤＧ２（ｎ−１）、ＵＤＧ２（ｎ＋１）〜ＵＤＧ２（ｐ）も同様である。
【０２３８】
この実施の形態３においては、タッチ検出方式として相互容量方式が設定された場合、タッチ検出期間においては、選択共通電極の一端部は、第１駆動電極ドライバ１２によって、第１電圧配線５０２と第２電圧配線５０３ａとに交互に電気的に接続され、選択共通電極の他端部は、第２駆動電極ドライバ１２−Ｕによって、第１電圧配線５０２と第２電圧配線５０３ａとに交互に電気的に接続される。このとき、第２駆動電極ドライバ１２−Ｕは、第１駆動電極ドライバ１２から選択共通電極に供給される電圧を選択信号として受け、選択信号に従って、選択共通電極を第１電圧配線５０２または第２電圧配線５０３ａに接続する。すなわち、第２駆動電極ドライバ１２−Ｕは、第１駆動電極ドライバ１２に同期して動作する。これにより、選択共通電極には、その両端部から電圧が供給されることになり、第１駆動電極ドライバ１２および／または第２駆動電極ドライバ１２−Ｕによる占有面積の増加を抑制しながら、選択共通電極の電圧の変化を早くすることが可能となる。
【０２３９】
また、タッチ検出方式として相互容量方式が設定された場合、タッチ検出期間においては、非選択共通電極は、第１駆動電極ドライバ１２において、第３電圧配線５０４に接続される。第３電圧配線５０４は、選択共通電極が周期的に接続される第２電圧配線５０３ａとは異なる配線であるため、選択共通電極および検出電極における電圧の立ち上がりが遅くなるのを抑制することが可能となる。また、選択共通電極における電圧の立ち下がりが遅くなるのを抑制することが可能となる。さらに、非選択共通電極は、タッチ検出期間、第１駆動電極ドライバ１２において、第３電圧配線５０４に接続されるため、図２１で説明したように、誤検出の低減あるいは検出の高速化を図ることが可能となる。実施の形態３においても、実施の形態２と同様に、表示期間においては画像信号を伝達する信号線を、第１駆動電極ドライバ１２から第２駆動電極ドライバ１２−Ｕへ選択信号を伝達する信号配線として兼用しているため、新たな信号配線を設けなくても済み、液晶表示装置が大きくなるのを抑制することが可能となる。
【０２４０】
さらに、実施の形態３においても、第３電圧配線５０４の線幅は、第１および第２電圧配線５０２、５０３ａの線幅よりも細くなっているため、これによっても、液晶表示装置が大きくなるのを抑制することが可能である。また、表示期間においては、第２駆動電極ドライバ１２−Ｕにおいて、第３電圧配線５０４は、第２電圧配線５０３ｂに接続される。これにより、表示期間において、液晶表示素子に印加される電圧の安定化を図ることが可能である。
【０２４１】
また、タッチ検出方式として、自己容量方式を設定した場合、第１駆動電極ドライバ１２から駆動信号Ｓ−Ｉｎ（０）〜Ｓ−Ｉｎ（ｐ）を対応する共通電極ＴＬ（０）〜ＴＬ（ｐ）へ供給し、共通電極ＴＬ（０）〜ＴＬ（ｐ）における検出信号は第１駆動電極ドライバ１２からタッチ用半導体装置１２００へ供給するようにしている。これにより、タッチ検出方式として、自己容量方式を採用することも可能となる。すなわち、複数のタッチ検出方式から、タッチ検出方式をユーザが設定することが可能である。
【０２４２】
＜液晶表示装置の動作＞
次に、実施の形態３に係わる液晶表示装置の動作を説明する。図１４（Ａ）〜（Ｈ）は、この実施の形態に係わる液晶表示装置の動作を示す波形図である。図１４において、横軸は時間を示し、縦軸は電圧を示している。また、説明を容易にするために、図１４では、タッチ検出期間における共通電極ＴＬ（ｎ）に関する波形のみが示されている。図１４において、タッチ検出期間（選択）およびタッチ検出期間（非選択）は、タッチ検出方式として、相互容量方式を設定したときの波形を示している。ここで、タッチ検出期間（選択）は、共通電極ＴＬ（ｎ）が選択共通電極として指定されているときの波形を示しており、タッチ検出期間（非選択）は、共通電極ＴＬ（ｎ）が非選択共通電極として指定されているときの波形を示している。また、図１４において、タッチ検出期間（自己）は、タッチ検出方式として自己容量方式を設定したときの波形を示している。
【０２４３】
図１４において、信号線プリチャージ期間は、タッチ検出期間のあと、信号線ＳＬ（０）〜ＳＬ（ｐ）をプリチャージし、次の表示期間に備える動作が行われている期間を示している。表示期間は、信号線ＳＬ（０）〜ＳＬ（ｐ）に画像信号を供給し、走査線ＧＬ（０）〜ＧＬ（ｐ）に順次走査電圧を供給することにより、表示を行っている期間を示している。
【０２４４】
図１４に示した波形は、図９に示した波形に類似している。図９と図１４とを比較すると、図１４（Ａ）は、図９（Ａ）に対応し、選択信号ＳＥＬ１の波形を示しており、図１４（Ｂ）は、図９（Ｂ）に対応し、制御信号ＶＣＯＭＳＥＬの波形を示しており、図１４（Ｅ）は、図９（Ｄ）に対応し、フリップフロップ回路ＦＦ１のデータ出力端子Ｑの波形を示している。同様に、図１４（Ｆ）は、図９（Ｅ）に対応し、第３スイッチ制御信号ＳＷ３Ｃの波形を示し、図１４（Ｇ）は、図９（Ｆ）に対応し、第１スイッチ制御信号ＳＷ１Ｃの波形を示し、図１４（Ｈ）は、図９（Ｇ）に対応し、第２スイッチ制御信号ＳＷ２Ｃの波形を示している。
【０２４５】
図１４（Ｃ）は、検出方式指定信号ＳＥＬＦＥＮの波形を示し、図１４（Ｄ）は、選択信号ＴＰ（ｎ）と駆動信号Ｓ−Ｉｎ（ｎ）の波形を示している。図１４（Ｄ）は、タッチ検出期間（選択）およびタッチ検出期間（非選択）において、選択信号ＴＰ（ｎ）の波形を示しており、タッチ検出期間（自己）においては、駆動信号Ｓ−Ｉｎ（ｎ）の波形を示している。
【０２４６】
図１４において、検出方式指定信号ＳＥＬＦＥＮの波形を除くと、表示期間、タッチ検出期間（選択）およびタッチ検出期間（非選択）における波形は、図９と同じであるので、表示期間、タッチ検出期間（選択）およびタッチ検出期間（非選択）に関する説明は省略する。図１４（Ｃ）に示した検出方式指定信号ＳＥＬＦＥＮは、タッチ検出方式として相互容量方式を設定した場合、ロウレベルになる。一方、タッチ検出方式として自己容量方式を設定した場合、ハイレベルになる。
【０２４７】
図１４（Ｃ）に示すように、検出方式指定信号ＳＥＬＦＥＮがハイレベルとなると、図１３において説明したように、第１〜第３スイッチ制御信号ＳＷ１Ｃ〜ＳＷ３Ｃのそれぞれがロウレベルとなる（図１４（Ｆ）〜（Ｇ））。一方、図１３で述べた第２ＴＦスイッチ〜第５ＴＦスイッチのそれぞれがオン状態となる。このとき、タッチ用半導体装置１２００における駆動信号形成部１２０２が、選択信号ＴＰ（ｎ）の代わりに駆動信号Ｓ−Ｉｎ（ｎ）を形成し、第１駆動電極ドライバ１２の第１単位駆動電極ドライバＵＤＧ１（ｎ）に供給する。この場合、図１４（Ｄ）に示すように、駆動信号Ｓ−Ｉｎ（ｎ）は、その電圧値が周期的に変化する信号である。
【０２４８】
この駆動信号Ｓ−Ｉｎ（ｎ）は、図１３に示した第２ＴＦスイッチ〜第５ＴＦスイッチを介して、対応する共通電極ＴＬ（ｎ）に供給される。このとき、共通電極ＴＬ（ｎ）の近傍がタッチされているか否かにより、共通電極ＴＬ（ｎ）における電圧の変化が、検出信号Ｒｘ（ｎ）として、第２ＴＦスイッチから第５ＴＦスイッチを介して、タッチ用半導体装置７の端子ＳＴ（ｎ）に伝達され、タッチ検出信号増幅部１２０１より増幅され、図１に示したＡ／Ｄ変換部１４、信号処理部１５で処理し、処理結果を座標抽出部１６へ供給する。自己容量方式では、検出電極ＲＬ（０）〜ＲＬ（ｐ）についても、共通駆動電極と同じように、駆動信号を検出電極へ供給し、検出電極における電圧の変化が検出され、Ａ／Ｄ変換部１４、信号処理部１５で処理が行われる。座標抽出部１６は、共通電極における電圧の変化に基づく処理の結果と、検出電極における電圧の変化に基づく処理の結果とを用いて、タッチされた位置の座標を抽出して、座標情報として出力する。
【０２４９】
（実施の形態４）
図１５は、実施の形態４に係わる液晶表示装置の要部を示す回路図である。実施の形態１〜３において説明したように、リセット端子ｒｓｔを有するフリップフロップ回路ＦＦ１、ＦＦ２は、リセット端子ｒｓｔに供給される選択信号が、タッチ検出期間に立ち上がるが否かにより、共通電極が選択共通電極として指定されているか否かの判定を行っている。言い換えるならば、フリップフロップ回路ＦＦ１、ＦＦ２は、選択であるか非選択であるかを判定する判定回路であると見なすことができる。実施の形態４は、リセット端子ｒｓｔを有するフリップフロップ回路を、図１６（Ｂ）および図１７（Ｂ）において説明したＡＣ駆動に適用した液晶表示装置を、提供する。
【０２５０】
図１５には、共通電極ＴＬ（０）〜ＴＬ（２）と、共通電極ＴＬ（０）〜ＴＬ（２）へ駆動信号Ｔｘ（０）〜Ｔｘ（２）を供給する駆動電極ドライバ１２と、タッチ用半導体装置７に含まれる駆動信号形成部１５００とが示されている。ここで、駆動信号形成部１５００は、選択共通電極として指定する共通電極に対応する駆動信号を周期的に電圧が変化する信号として出力し、非選択共通電極として指定する共通電極に対応する駆動信号をロウレベルとして出力する。例えば、共通電極ＴＬ（１）を選択共通電極とし、共通電極ＴＬ（０）、ＴＬ（２）を非選択共通電極とする場合、共通電極ＴＬ（１）に対応する駆動信号Ｔｘ（１）を周期的に電圧が変化する信号とし、共通電極ＴＬ（０）およびＴＬ（２）に対応する駆動信号をＴｘ（０）およびＴｘ（２）をロウレベルにする。
【０２５１】
駆動電極ドライバ１２は、それぞれの共通電極ＴＬ（０）〜ＴＬ（２）に対応した複数の判定スイッチ回路ＤＴ（０）〜ＤＴ（２）を備えている。判定スイッチ回路ＤＴ（０）〜ＤＴ（２）は、互いに同じ構成を有しているので、ここでは、判定スイッチ回路ＤＴ（０）を代表にして、その構成を説明する。
【０２５２】
判定スイッチ回路ＤＴ（０）は、リセット端子ｒｓｔを有するフリップフロップ回路ＦＦ３と、フリップフロップ回路ＦＦ３のデータ出力端子Ｑおよび／Ｑからの出力により制御される１対のスイッチＳ１５−１、Ｓ１５−２を備えている。フリップフロップ回路ＦＦ３は、データ出力端子Ｑから出力する信号に対して位相反転した信号を、データ出力端子／Ｑから出力する。これにより、スイッチＳ１５−１とスイッチＳ１５−２とは相補的にオン／オフするようにスイッチ制御される。
【０２５３】
フリップフロップ回路ＦＦ３のリセット端子ｒｓｔとデータ入力端子Ｄには、制御信号ＶＣＯＭＳＥＬが供給され、そのクロック端子ｃｋには、対応する共通電極ＴＬ（０）に対応した駆動信号Ｔｘ（０）が供給されている。また、フリップフロップ回路ＦＦ３のデータ出力端子Ｑからの出力信号によりスイッチ制御されるスイッチＳ１５−１を介して、駆動信号Ｔｘ（０）は、対応する共通電極ＴＬ（０）に供給される。さらに、フリップフロップ回路ＦＦ３のデータ出力端子／Ｑからの出力信号によりスイッチ制御されるスイッチＳ１５−２を介して、対応する共通電極ＴＬ（０）は、第３電圧配線５０４に接続されている。
【０２５４】
制御信号ＶＣＯＭＳＥＬは、タッチ検出期間になると、ハイレベルに変化する。駆動信号Ｔｘ（０）が、共通電極ＴＬ（０）を選択共通電極として指定するように、周期的にその電圧が変化する信号であった場合、駆動信号Ｔｘ（０）の電圧が立ち上がることにより、フリップフロップ回路ＦＦ３は、データ入力端子Ｄに供給されているハイレベルを取りこみ、論理値“１”を格納し、データ出力端子Ｑの電圧をハイレベルにし、データ出力端子／Ｑの電圧をロウレベルにする。スイッチＳ１５−１は、ハイレベルが供給されることにより、オン状態となる。これにより、共通電極ＴＬ（０）には、駆動信号Ｔｘ（０）が供給されることになる。このときの検出電極における検出信号を判定することにより、共通電極ＴＬ（０）の近傍がタッチされているか否かの判定を行う。
【０２５５】
一方、共通電極ＴＬ（０）を非選択共通として指定する場合、駆動信号Ｔｘ（０）はロウレベルとなる。そのため、制御信号ＶＣＯＭＳＥＬがハイレベルになっても、クロック端子ｃｋの電圧が立ち上がらないため、フリップフロップ回路ＦＦ３は、リセットのときの論理値“０”を維持し、データ出力端子Ｑはロウレベル、データ出力端子／Ｑはハイレベルとなる。これにより、スイッチＳ１５−２がオン状態となり、対応する共通電極ＴＬ（０）は、第３電圧配線５０４に接続されることになる。
【０２５６】
判定スイッチ回路ＤＴ（０）について説明したが、駆動電極ドライバ１２を構成する他の判定スイッチ回路ＤＴ（１）、ＤＴ（２）についても同様である。
【０２５７】
この実施の形態４においても、タッチ検出期間において、非選択共通電極は、第３電圧配線５０４に接続される。そのため、非選択共通電極は、駆動信号の電圧によって第３電圧ＶＣＯＭＤＣ２へ充電するのではなく、第３電圧配線５０４によって、非選択共通電極を第３電圧ＶＣＯＭＤＣ２へ充電すればよくなり、駆動信号形成回路１５００に要求される駆動能力が小さくしてもよく、小型化を図ることが可能となる。
【０２５８】
実施の形態１〜３において、第１駆動電極ドライバ１２および第２駆動電極ドライバ１２−Ｕを構成するスイッチ、論理回路およびフリップフロップ回路は、ＭＯＳＦＥＴにより構成される。この場合、それぞれのＭＯＳＦＥＴは、ＴＦＴ基板３００（図３、図４）に形成される。特に、第１駆動電極ドライバ１２を構成するＭＯＦＳＥＴは、ドライブ用半導体装置ＤＤＩＣによって覆われる部分に形成されている。また、第２駆動電極ドライバ１２−Ｕを構成するＭＯＳＦＥＴは、液晶パネル２の領域５０１の短辺５０１−Ｕ（図５）とモジュールの短辺との間の領域に形成されている。しかしながら、これに限定されるものではない。
【０２５９】
また、実施の形態１〜４は、共通電極ＴＬ（０）〜ＴＬ（ｐ）と信号線ＳＬ（０）〜ＳＬ（ｐ）とが平行して配置される縦ＣＯＭ配置を例にして説明したが、これに限定されず、共通電極ＴＬ（０）〜ＴＬ（ｐ）が信号線ＳＬ（０）〜ＳＬ（ｐ）と交差するように配置される横ＣＯＭ配置であってもよい。
【０２６０】
本発明の思想の範疇において、当業者であれば、各種の変形例及び修正例に想到し得るものであり、それら変形例及び修正例についても本発明の範囲に属するものと了解される。
【０２６１】
例えば、前述の各実施の形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０２６２】
例えば、実施の形態においては、共通電極ＴＬ（０）〜ＴＬ（ｐ）および信号線ＳＬ（０）〜ＳＬ（ｐ）は、列方向に延在し、行方向に配置されている場合を説明したが、行方向および列方向は、見る視点により変化する。見る視点を変えて、共通電極ＴＬ（０）〜ＴＬ（ｐ）および信号線ＳＬ（０）〜ＳＬ（ｐ）が、行方向に延在し、列方向に配置されている場合も本発明の範囲に含まれるものである。
【符号の説明】
【０２６３】
１  タッチ機能付き液晶表示装置
２  液晶パネル
５  表示制御装置
６  信号線セレクタ
７  タッチ制御装置
８  ゲートドライバ
１０  駆動回路
１１  信号線ドライバ
１２  駆動電極ドライバ
１７  駆動信号形成部
５０２  第１電圧配線
５０３ａ  第２電圧配線
５０４  第３電圧配線
５０３ｂ  第４電圧配線
Ｓ１０〜Ｓ１３  第２スイッチ
Ｓ２０〜Ｓ３０  第３スイッチ
Ｓ３０〜Ｓ３３  第１スイッチ
ＵＣＧ１（０）〜ＵＣＧ１（ｐ）  第１単位駆動電極ドライバ
ＵＣＧ２（０）〜ＵＣＧ２（ｐ）  第２単位駆動電極ドライバ
ＵＳＷ１（０）〜ＵＳＷ１（ｐ）  第１単位スイッチ回路
ＵＬＧ１（０）〜ＵＬＧ１（ｐ）  第１単位ロジック回路
ＵＳＷ２（０）〜ＵＳＷ２（ｐ）  第２単位スイッチ回路
ＵＬＧ２（０）〜ＵＬＧ２（ｐ）  第２単位ロジック回路
ＦＦ１〜ＦＦ３  フリップフロップ回路
ＳＰｉｘ  液晶表示素子
ＴＬ（０）〜ＴＬ（ｐ）  共通電極
ＳＬ（０）〜ＳＬ（ｐ）  信号線
ＲＬ（０）〜ＲＬ（ｐ）  検出電極
ＧＬ（０）〜ＧＬ（ｐ）  走査線
【図１】
2019075178.tif 000003
【図２】
2019075178.tif 000004
【図３】
2019075178.tif 000005
【図４】
2019075178.tif 000006
【図５】
2019075178.tif 000007
【図６】
2019075178.tif 000008
【図７】
2019075178.tif 000009
【図８】
2019075178.tif 000010
【図９】
2019075178.tif 000011
【図１０】
2019075178.tif 000012
【図１１】
2019075178.tif 000013
【図１２】
2019075178.tif 000014
【図１３】
2019075178.tif 000015
【図１４】
2019075178.tif 000016
【図１５】
2019075178.tif 000017
【図１６】
2019075178.tif 000018
【図１７】
2019075178.tif 000019
【図１８】
2019075178.tif 000020
【図１９】
2019075178.tif 000021
【図２０】
2019075178.tif 000022
【図２１】
2019075178.tif 000023